(57)【要約】【課題】パチンコ遊技機の外部端子板から、図柄確定信号のような既存の信号だけでなく、新たな信号を外部装置に送ることが考えられる。この場合、始動口センサのような既存のセンサによる検知信号は、主制御基板の遊技制御手段に入力されて、遊技制御手段により制御処理された信号が外部端子板に送られることになる。そこで、新たな信号も主制御基板の遊技制御手段を介して外部端子板に送ろうとする構成が考えられるが、そうすると遊技制御手段の制御処理の負担が増加してしまう。【解決手段】、所定の信号を主基板を介して外部端子板に送る場合に、主基板の制御手段による制御処理の負担が増加するのを回避することが可能な遊技機を提供するものである。【選択図】図６６
2020058954.tif 000002
【特許請求の範囲】
【請求項１】
所定条件の成立に基づいて当否判定を行う当否判定制御部と、
前記当否判定の結果が特定結果となると、遊技者に所定の遊技利益を付与可能な特別遊技を実行する特別遊技制御部と、
前記遊技利益の付与量を管理制御する遊技利益付与制御部と、を備えた遊技機であって、
前記当否判定制御部、前記特別遊技制御部、及び、前記遊技利益付与制御部の少なくとも１個の制御部を有する遊技制御部と、
前記遊技制御部に対して第１特定信号を出力可能な第１特定信号出力部と、
前記遊技制御部に対して第２特定信号を出力可能な第２特定信号出力部と、
遊技機の外部に信号を出力可能な外部信号出力部（外部出力部）と、を備え、
前記遊技制御部に入力された前記第１特定信号は、前記遊技制御部の有する制御部で制御処理され、当該制御処理に基づく信号が前記遊技制御部から前記外部信号出力部に出力され、
前記遊技制御部に入力された前記第２特定信号は、前記遊技制御部の有する制御部で制御処理されることなく、前記遊技制御部から前記外部信号出力部に出力される
ことを特徴とする遊技機。
【請求項２】
遊技領域に遊技媒体を発射して遊技を行う遊技機であって、
前記遊技領域の前面を覆う閉状態と、前記遊技領域に前面を開放する開状態と、に開閉可能な前面枠と、
前記前面枠が開状態又は閉状態にあることを検知して枠信号を出力する枠信号出力部と、を備え、
前記第２特定信号出力部は前記枠信号出力部であり、
前記第２特定信号は前記枠信号であることを特徴とする請求項１に記載の遊技機。
【請求項３】
遊技球の入球を検知可能な始動検知部を備え、
前記所定条件は、前記始動検知部が遊技球を検知することに基づいて成立するものとされ、
前記第１特定信号出力部は、前記始動検知部であり、
前記第１特定信号は、前記始動検知部が遊技球を検知することに基づいて出力する始動検知信号であることを特徴とする請求項２に記載の遊技機。
【請求項４】
前記遊技利益として付与される遊技球を検知可能な付与遊技球検知部を備え、
前記遊技利益付与制御部は、前記付与遊技球検知部の検知結果に基づいて前記遊技利益として付与される遊技球の付与個数を管理制御するものとされ、
前記第１特定信号出力部は、前記付与遊技球検知部であり、
前記第１特定信号は、前記付与遊技球検知部が遊技球を検知することに基づいて出力する付与遊技球検知信号であることを特徴とする請求項２に記載の遊技機
【請求項５】
所定条件の成立に基づいて当否判定を行う当否判定制御部と、
前記当否判定の結果が特定結果となると、遊技者に所定の遊技利益を付与可能な特別遊技を実行する特別遊技制御部と、
前記遊技利益の付与量を管理制御する遊技利益付与制御部と、を備えた遊技機であって、
少なくとも前記遊技利益付与制御部を有する遊技制御部と、
前記遊技制御部に対して第１特定信号を出力可能な第１特定信号出力部と、
前記遊技制御部に対して第２特定信号を出力可能な第２特定信号出力部と、
遊技機の外部に信号を出力可能な外部信号出力部と、を備え、
遊技領域に遊技媒体を発射して遊技を行う遊技機であって、
前記遊技領域の前面を覆う閉状態と、前記遊技領域に前面を開放する開状態と、に開閉可能な前面枠と、
前記前面枠が開状態又は閉状態にあることを検知して枠信号を出力する枠信号出力部と、を備え、
前記遊技制御部は前記枠信号の入力時間を計測する計測部を備え、
前記第２特定信号は前記枠信号であり、
前記遊技制御部に入力された前記第１特定信号は、前記遊技制御部の有する制御部で制御処理され、当該制御処理に基づく信号が前記遊技制御部から前記外部信号出力部に出力され、
前記遊技制御部に入力された前記枠信号は、前記計測部による計測時間が特定時間を超えた場合には前記遊技制御部から前記外部信号出力部に出力し、前記計測部による計測時間が前記特定時間を超えない場合には前記遊技制御部から前記外部信号出力部に出力しない
ことを特徴とする遊技機。
【発明の詳細な説明】
【技術分野】
【０００１】
本発明は、遊技機に関し、特にパチンコ遊技機等に適用することができる。
【背景技術】
【０００２】
パチンコ遊技機等の遊技機は、例えば下記特許文献１に記載のように、外部端子板を備え、外部端子板から遊技の進行に伴って様々な信号を遊技機の外部に出力している。遊技機の外部とは、外部装置（例えば、ホール内で遊技機の上方に設置されて、接続されている遊技機の動作状況に関する表示を行うデータ表示器や、ホール内にある各遊技機の動作状況等の情報を集計して管理（営業管理や遊技管理）を行うホールコンピュータ等）のことである。
【０００３】
このようなパチンコ遊技機は、主基板（主制御基板、払出制御基板）を備え、主基板は遊技の結果に影響を及ぼす制御処理を実行可能な制御手段（遊技制御手段、払出制御手段）を備えている。例えば、主基板としての主制御基板には、始動口センサ等、様々なセンサが接続されていて、始動口センサ等による検知信号が入力される。この場合、遊技制御手段は、始動口センサによる検知信号の入力に基づいて、当否判定等の制御処理を行ったり、図柄の確定停止表示を示す変動停止信号を外部端子板に出力したりする。そして、その変動停止信号を入力した外部端子板は、外部装置に図柄の停止表示を知らせるべく、当該変動停止信号（図柄確定信号）を遊技機外部に出力するようになっている。
【先行技術文献】
【特許文献】
【０００４】
【特許文献１】特開２００７−１１１２６４
【発明の概要】
【発明が解決しようとする課題】
【０００５】
ところでパチンコ遊技機の外部端子板から、図柄確定信号のような既存の信号だけでなく、新たな信号（情報）を外部装置に送ることが考えられる。外部装置が、当該パチンコ遊技機の状況をより詳細に把握可能となるためである。この場合、始動口センサのような既存のセンサによる検知信号は、主制御基板（主基板）の遊技制御手段（制御手段）に入力されて、遊技制御手段により制御処理された信号が外部端子板に送られることになる。そこで、新たな信号も主制御基板の遊技制御手段を介して外部端子板に送ろうとする構成が考えられるが、そうすると遊技制御手段の制御処理の負担が増加してしまう。
【０００６】
本発明は、前述の事情に鑑みてなされたものであり、所定の信号を主基板を介して外部端子板に送る場合に、主基板の制御手段による制御処理の負担が増加するのを回避することが可能な遊技機を提供することにある。
【課題を解決するための手段】
【０００７】
前述の課題を解決するための第１発明の遊技機は、
所定条件の成立に基づいて当否判定を行う当否判定制御部と、
前記当否判定の結果が特定結果となると、遊技者に所定の遊技利益を付与可能な特別遊技を実行する特別遊技制御部と、
前記遊技利益の付与量を管理制御する遊技利益付与制御部と、を備えた遊技機であって、
前記当否判定制御部、前記特別遊技制御部、及び、前記遊技利益付与制御部の少なくとも１個の制御部を有する遊技制御部と、
前記遊技制御部に対して第１特定信号を出力可能な第１特定信号出力部と、
前記遊技制御部に対して第２特定信号を出力可能な第２特定信号出力部と、
遊技機の外部に信号を出力可能な外部信号出力部（外部出力部）と、を備え、
前記遊技制御部に入力された前記第１特定信号は、前記遊技制御部の有する制御部で制御処理され、当該制御処理に基づく信号が前記遊技制御部から前記外部信号出力部に出力され、
前記遊技制御部に入力された前記第２特定信号は、前記遊技制御部の有する制御部で制御処理されることなく、前記遊技制御部から前記外部信号出力部に出力される
ことを特徴とするものである。
【０００８】
このような遊技機によれば、当否判定制御部、特別遊技制御部、及び遊技利益付与制御部のうちの少なくとも１個の制御部を有する遊技制御部を備えている。また、第１特定信号出力部から出力された第１特定信号は、遊技制御部に入力されて当該遊技制御部で制御処理されて、遊技制御部から外部信号出力部に出力される。また、第２特定信号出力部から出力された第２特定信号は、遊技制御部に入力されて当該遊技制御部で制御処理されることなく、遊技制御部から外部信号出力部に出力される。これにより、第２信号を、遊技制御部を介して外部信号出力部に送る場合に、遊技制御部の有する制御部による制御処理の負担が増加するのを極力防止することが可能となる。
【０００９】
また、第２発明の遊技機は、第１発明の遊技機において、
遊技領域に遊技媒体を発射して遊技を行う遊技機であって、
前記遊技領域の前面を覆う閉状態と、前記遊技領域に前面を開放する開状態と、に開閉可能な前面枠と、
前記前面枠が開状態又は閉状態にあることを検知して枠信号を出力する枠信号出力部と、を備え、
前記第２特定信号出力部は前記枠信号出力部であり、
前記第２特定信号は前記枠信号であることを特徴とするものである。
【００１０】
このような遊技機によれば、遊技領域の前面を開閉する前面枠と、前記前面枠が開状態にあること（又は、閉状態にあること）を検知して枠信号を出力する枠信号出力部と、を備える。そして、第２特定信号出力部である枠信号出力部が、第２特定信号である枠信号を出力するものとする。これにより、枠信号出力部から出力された枠信号は、遊技制御部の制御手段の制御処理に用いられることなく、外部信号出力部に出力される。そして外部信号出力部が、枠信号の入力に基づく信号を、外部装置に出力することが可能である。またこれにより、外部装置側で、前面枠が開状態にあるのか又は閉状態にあるのかを判断し、不正防止を図ることが可能となる。また、このような枠信号を、遊技制御部を介して外部信号出力部（外部装置）に送った場合にも、遊技制御部の制御手段による制御処理の負担が増加するのを回避することが可能である。
【００１１】
また、第３発明の遊技機は、第２発明の遊技機において、
遊技球の入球を検知可能な始動検知部を備え、
前記所定条件は、前記始動検知部が遊技球を検知することに基づいて成立するものとされ、
前記第１特定信号出力部は、前記始動検知部であり、
前記第１特定信号は、前記始動検知部が遊技球を検知することに基づいて出力する始動検知信号であることを特徴とするものである。
【００１２】
このような遊技機によれば、始動検知部が遊技球を検知することに基づいて、当否判定を行うための所定条件を成立するものとする。そして、第１特定信号出力部である始動検知部が第１特定信号である始動検知信号を出力するものとする。これにより、遊技制御部に入力されて当該遊技制御部で制御処理される第１特定信号を、当否判定に必要な始動検知信号とし、当該始動検知信号を制御処理して遊技制御部から外部信号出力部に出力される。
【００１３】
また、第４発明の遊技機は、第２発明の遊技機において、
前記遊技利益として付与される遊技球を検知可能な付与遊技球検知部を備え、
前記遊技利益付与制御部は、前記付与遊技球検知部の検知結果に基づいて前記遊技利益として付与される遊技球の付与個数を管理制御するものとされ、
前記第１特定信号出力部は、前記付与遊技球検知部であり、
前記第１特定信号は、前記付与遊技球検知部が遊技球を検知することに基づいて出力する付与遊技球検知信号であることを特徴とするものである。
【００１４】
このような遊技機によれば、遊技利益付与制御部は、付与遊技球検知部の検知結果に基づいて、遊技利益の付与個数を管理制御するものとする。そして、第１特定信号出力部である付与遊技球検知部が、第１特定信号である付与遊技球検知信号を出力するものとする。これにより、遊技制御部に入力されて当該遊技制御部で制御処理される第１特定信号を、遊技利益の付与量の管理制御に必要な付与遊技球検知信号とし、当該付与遊技球検知信号を制御処理して遊技制御部から外部信号出力部に出力される。
【００１５】
また、第５発明の遊技機は、
所定条件の成立に基づいて当否判定を行う当否判定制御部と、
前記当否判定の結果が特定結果となると、遊技者に所定の遊技利益を付与可能な特別遊技を実行する特別遊技制御部と、
前記遊技利益の付与量を管理制御する遊技利益付与制御部と、を備えた遊技機であって、
少なくとも前記遊技利益付与制御部を有する遊技制御部と、
前記遊技制御部に対して第１特定信号を出力可能な第１特定信号出力部と、
前記遊技制御部に対して第２特定信号を出力可能な第２特定信号出力部と、
遊技機の外部に信号を出力可能な外部信号出力部と、を備え、
遊技領域に遊技媒体を発射して遊技を行う遊技機であって、
前記遊技領域の前面を覆う閉状態と、前記遊技領域に前面を開放する開状態と、に開閉可能な前面枠と、
前記前面枠が開状態又は閉状態にあることを検知して枠信号を出力する枠信号出力部と、を備え、
前記遊技制御部は前記枠信号の入力時間を計測する計測部を備え、
前記第２特定信号は前記枠信号であり、
前記遊技制御部に入力された前記第１特定信号は、前記遊技制御部の有する制御部で制御処理され、当該制御処理に基づく信号が前記遊技制御部から前記外部信号出力部に出力され、
前記遊技制御部に入力された前記枠信号は、前記計測部による計測時間が特定時間を超えた場合には前記遊技制御部から前記外部信号出力部に出力し、前記計測部による計測時間が前記特定時間を超えない場合には前記遊技制御部から前記外部信号出力部に出力しない
ことを特徴とするものである。
【００１６】
このような遊技機によれば、当否判定制御部、特別遊技制御部、及び遊技利益付与制御部のうちの少なくとも１個の制御部を有する遊技制御部を備えている。また、遊技領域の前面を開閉する前面枠と、前記前面枠が開状態にあること（又は、閉状態にあること）を検知して枠信号を出力する枠信号出力部と、を備える。そして、第１特定信号出力部から出力された第１特定信号は、遊技制御部に入力されて当該遊技制御部で制御処理されて、遊技制御部から外部信号出力部に出力される。また、第２特定信号出力部である枠信号出力部が、第２特定信号である枠信号を出力するものとする。この、枠信号出力部から出力された枠信号は、遊技制御部の計測部で入力時間を計測され、計測時間が特定時間を越えた場合には外部信号出力部に出力され、特定時間を越えない場合は外部信号出力部に出力されない。
【００１７】
また、枠信号が外部信号出力部に出力された場合には、外部信号出力部が、枠信号の入力に基づく信号を、外部装置に出力することが可能である。またこれにより、外部装置側で、前面枠が開状態にあるのか又は閉状態にあるのかを判断し、不正防止を図ることが可能となる。またこれにより、入力時間が特定時間を越えた場合にのみ枠信号を出力するため、余分な制御信号を出力することなく、制御処理の負担が増加するのを回避できる。またこれにより、枠信号を、遊技制御部を介して外部信号出力部（外部装置）に送った場合にも、遊技制御部の制御手段による制御処理の負担が増加するのを極力防止することが可能となる。
【発明の効果】
【００１８】
本発明の遊技機によれば、主基板の制御手段による制御処理の負担が増加するのを回避することが可能となる。
【図面の簡単な説明】
【００１９】
【図１】本発明の実施例に係る遊技機の正面図である。
【図２】本発明の実施例に係る遊技機の裏面図である。
【図３】本発明の実施例の遊技盤の構成を示す正面図である。
【図４】図３に示す主表示器の拡大図であり、同遊技機が備える表示器類を示す図である。
【図５】同遊技機の電気的な構成を示すブロック図である。
【図６】当りの種別と大入賞口の開放パターンとの対応等を示す表である。
【図７】遊技制御用マイコンが取得する各種乱数を示す表である。
【図８】（Ａ）は大当り判定テーブルであり、（Ｂ）は大当り種別判定テーブルであり、（Ｃ）はリーチ判定テーブルであり、（Ｄ）は普通図柄当り判定テーブルであり、（Ｅ）は普通図柄変動パターン選択テーブルである。
【図９】変動パターンテーブルである。
【図１０】主制御メイン処理のフローチャートである。
【図１１】割り込み処理のフローチャートである。
【図１２】始動口センサ検知処理のフローチャートである。
【図１３】普図動作処理のフローチャートである。
【図１４】普通図柄待機処理のフローチャートである。
【図１５】普通図柄当否判定処理のフローチャートである。
【図１６】普通図柄乱数シフト処理のフローチャートである。
【図１７】普通図柄変動中処理のフローチャートである。
【図１８】普通図柄確定処理のフローチャートである。
【図１９】普通電動役物処理のフローチャートである。
【図２０】特図動作処理のフローチャートである。
【図２１】特別図柄待機処理のフローチャートである。
【図２２】特図２当否判定処理のフローチャートである。
【図２３】特図２変動パターン選択処理のフローチャートである。
【図２４】特図２変動パターン選択処理のフローチャートである。
【図２５】特図２乱数シフト処理のフローチャートである。
【図２６】特図１当否判定処理のフローチャートである。
【図２７】特図１変動パターン選択処理のフローチャートである。
【図２８】特図１変動パターン選択処理のフローチャートである。
【図２９】特図１乱数シフト処理のフローチャートである。
【図３０】特別図柄変動中処理のフローチャートである。
【図３１】特別図柄確定処理のフローチャートである。
【図３２】特別電動役物処理１（大当り遊技）のフローチャートである。
【図３３】遊技状態設定処理のフローチャートである。
【図３４】特別電動役物処理２（小当り遊技）のフローチャートである。
【図３５】特定領域センサ検知処理のフローチャートである。
【図３６】保留球数処理のフローチャートである。
【図３７】電源断監視処理のフローチャートである。
【図３８】情報出力処理のフローチャートである。
【図３９】情報出力処理のフローチャートである。
【図４０】情報出力処理のフローチャートである。
【図４１】外部出力する信号を示す表である。
【図４２】外部出力装置等の電気的な構成を示すブロック図である。
【図４３】各種信号の状態を示すタイミングチャートである。
【図４４】各種信号の状態を示すタイミングチャートである。
【図４５】各種信号の状態を示すタイミングチャートである。
【図４６】サブ制御メイン処理のフローチャートである。
【図４７】受信割り込み処理のフローチャートである。
【図４８】２ｍｓタイマ割り込み処理のフローチャートである。
【図４９】１０ｍｓタイマ割り込み処理のフローチャートである。
【図５０】受信コマンド解析処理のフローチャートである。
【図５１】受信コマンド解析処理のフローチャートである。
【図５２】ゲート通過時処理のフローチャートである。
【図５３】変動演出開始処理のフローチャートである。
【図５４】変動演出終了処理のフローチャートである。
【図５５】オープニングコマンド受信処理のフローチャートである。
【図５６】エンディングコマンド受信処理のフローチャートである。
【図５７】当り遊技終了後発射報知処理のフローチャートである。
【図５８】発射報知内容を示す表である。
【図５９】他の態様の当り遊技終了後発射報知処理のフローチャートである。
【図６０】実施例２の情報出力処理のフローチャートである。
【図６１】実施例２の情報出力処理のフローチャートである。
【図６２】実施例２の情報出力処理のフローチャートである。
【図６３】実施例３のパチンコ遊技機の斜視図である。
【図６４】実施例３のパチンコ遊技機の側面図である。
【図６５】実施例３のパチンコ遊技機の側面図である。
【図６６】実施例３のパチンコ遊技機の電気的な構成を示すブロック図である。
【図６７】実施例３のパチンコ遊技機の電気的な構成を示すブロック図の他の態様である。
【発明を実施するための形態】
【００２０】
次に、本発明の実施の形態を、実施例を用いて説明する。尚、以下では、図柄の変動表示の終了に伴い大当り図柄が停止表示された場合と、小当り図柄が停止表示されたことに基づき入球可能となる可変入球口に入球した遊技球が所定の特定領域を通過した場合とに、遊技者に所定量の遊技利益（例えば、賞球）を付与可能な大当り遊技を実行可能な１種２種混合タイプのパチンコ遊技機に、本発明を適用した例を説明する。
【実施例１】
【００２１】
図１乃至図３に示すように、実施例１のパチンコ遊技機１は、遊技機枠５０と、遊技機枠５０内に取り付けられた遊技盤２とを備えており、遊技盤２は遊技機枠５０から着脱自在に構成されている。図３は、遊技盤２を遊技機枠５０から取り外した状態のものを示す。遊技機枠５０は、装飾面を有する前面枠５１と、遊技盤２等を取り付ける本体枠５２と、パチンコ遊技機１をホールの島設備に取り付けるための外枠５３と、を有して構成されており、前面枠５１、本体枠５２及び外枠５３は、一側端側で軸支され夫々開閉可能に構成されている。
【００２２】
また、前面枠５１には、遊技者の操作量（回転角度）に応じた発射強度で遊技球を発射させるための発射ハンドル６０、遊技球を貯留し貯留した遊技球を発射装置側に供給可能な打球供給皿（上皿）６１、及び打球供給皿６１に収容しきれない遊技球を貯留する余剰球受皿（下皿）６２が設けられている。また前面枠５１には、遊技の進行に伴って実行される遊技演出の実行中などに遊技者が操作可能な第１演出ボタン６３ａ、第２演出ボタン６３ｂ（これら２個の演出ボタンを総称して単に「演出ボタン６３」ともいう）が設けられており、この他、装飾用の枠ランプ６６及びスピーカ６７等も設けられている。演出ボタン６３は遊技者による入力が可能な入力手段として機能するもので、遊技演出の種類に応じて使用する演出ボタンを使い分けることができる。遊技演出の実行中に第１演出ボタン６３ａまたは第２演出ボタン６３ｂを操作すると、当該操作に基づいて所定の操作対応演出が行われる。尚、演出ボタン６３の構成は本実施例１の態様に限らず、遊技者が入力を行うことができるものであればたり、遊技者が直接ボタン部に接触して入力を行う入力手段（例えば、出没式、タッチセンサ式等）であってもよいし、遊技者の身体の一部が近接したことを検知して入力を行う非接触式の入力手段（光電式等）であってもよい。
【００２３】
遊技盤２には、発射ハンドル６０の操作により発射された遊技球が流下する遊技領域３が、レール部材４で囲まれて形成されている。また遊技盤２には、装飾用の盤面ランプ５が設けられている。遊技領域３には、遊技球を誘導する複数の遊技釘１６が突設されている。また、レール部材４の先端には球戻り防止片６が設けられており、一旦遊技領域へ誘導された遊技球が発射装置側へ戻るのを防止することができる。また、遊技領域３の中央付近には、液晶表示装置からなる画像表示装置７が設けられている。画像表示装置７の表示画面７ａには、演出図柄８Ｌ、８Ｃ、８Ｒ（単に「演出図柄８」ともいう）が表示される演出図柄表示領域７ｂ（「演出図柄表示部」ともいう）が設けられており、当該演出図柄８Ｌ、８Ｃ、８Ｒは、後述の第１特別図柄の変動表示及び第２特別図柄の変動表示に同期して変動表示を行う。演出図柄表示領域７ｂは、例えば「左」「中」「右」の３つの図柄表示エリアからなり、左の図柄表示エリアには左演出図柄８Ｌが表示され、中の図柄表示エリアには中演出図柄８Ｃが表示され、右の図柄表示エリアには右演出図柄８Ｒが表示される。
【００２４】
また、演出図柄８Ｌ、８Ｃ、８Ｒはそれぞれ、例えば「１」〜「９」までの数字をあらわした複数の図柄（識別情報）からなる。演出図柄表示領域７ｂに停止表示される左、中、右の演出図柄によって、後述（図４参照）の第１特別図柄表示器４１ａ（「第１特別図柄表示部」ともいう）に表示される第１特別図柄（第１図柄）の変動表示の結果（つまり、特別図柄当否判定（単に「当否判定」ともいう）の結果）、及び第２特別図柄表示器４１ｂ（「第２特別図柄表示部」ともいう）に表示される第２特別図柄（第２図柄）の変動表示の結果（特別図柄当否判定の結果）を、遊技者が認識し易いように表示する。尚、第１特別図柄、第２特別図柄、演出図柄のいずれかを指して単に「図柄」や「識別情報」ということもある。
【００２５】
例えば、特別図柄当否判定の結果が大当りとなった場合には、「７７７」などの３桁同一のゾロ目（「当り演出図柄」ともいう）で演出図柄を停止表示することが可能である。また、小当りとなった場合には「１３５」などの予め設定したチャンス図柄や「３★３」などの専用図柄（「小当り演出図柄」ともいう）で演出図柄を停止表示することが可能である。また、外れとなった場合には「６３７」や「３７３」などの３つの図柄のうち少なくとも１つの図柄が異なるバラケ目図柄（「外れ演出図柄」ともいう）で演出図柄を停止表示することが可能である。これにより、遊技者は停止表示した演出図柄を見ることで、遊技の進行状況を容易に把握することが可能となる。つまり遊技者は、一般的には特別図柄当否判定の結果を第１特別図柄表示器４１ａや第２特別図柄表示器４１ｂに表示される特別図柄を見て直接的に把握するのではなく、演出図柄表示領域７ｂに表示される演出図柄を見て把握する。尚、左・中・右の図柄表示エリアの位置は夫々区別して設ける必要はなく、左・中・右の演出図柄の表示エリアをそれぞれ図柄表示エリア（演出図柄表示領域７ｂ）の全体としてもよい。また、演出図柄の変動表示の態様としては、例えば上下、左右、斜め方向等にスクロール表示する態様がある。
【００２６】
画像表示装置７の表示画面７ａ上では、前述のような演出図柄を用いた遊技演出（演出図柄遊技演出）を表示するほか、当り遊技に伴って実行される当り遊技演出や、客待ち用のデモ演出などが表示される。尚、演出図柄遊技演出や当り遊技演出やデモ演出では、数字等の演出図柄のほか、背景画像やキャラクタ画像などの演出図柄以外の演出画像も表示される。また画像表示装置７の表示画面７ａには、後述の第１特図保留の記憶数に応じて第１演出保留９ａを表示する第１演出保留表示領域９ｃ（第１演出保留表示部）と、後述の第２特図保留の記憶数に応じて第２演出保留９ｂを表示する第２演出保留表示領域９ｄ（第２演出保留表示部）とがある。第１演出保留又は第２演出保留の表示態様（表示数）により、後述の第１特図保留表示器４３ａ（図４参照）にて表示される第１特図保留の記憶数及び第２特図保留表示器４３ｂにて表示される第２特図保留の記憶数を、遊技者にわかりやすく示すことができる。
【００２７】
遊技領域３の中央付近であって画像表示装置７の前方には、演出図柄表示領域７ｂを取り囲むように、センター装飾体１０が設けられている。センター装飾体１０の下部には、遊技球が転動可能な遊技球転動面を有するステージ部１１が設けられている。またセンター装飾体１０の左部には、中空状のワープ部１２が設けられている。ワープ部１２にはワープ入口とワープ出口とが設けられており、遊技領域３を流下する遊技球をワープ入口から受け入れ、当該遊技球をワープ出口から排出しステージ部１１へと誘導する。ステージ部１１の転動面に誘導された遊技球は、ステージ部１１に誘導されない遊技球と比して高い可能性で、後述の第１始動口２０に入球可能とされている。さらにセンター装飾体１０の上部には、ＬＥＤ等の電飾部材（盤面ランプ５）を有し遊技状態に応じて点灯可能であって、文字や図形等を象った装飾部材１３が配されている。
【００２８】
また、センター装飾体１０の上部であって、装飾部材１３の後方には、遊技演出に伴って動作可能な可動装飾部材１４が設けられている。図３では、可動装飾部材１４の一部分のみが視認可能となっているが、例えば、比較的当りの可能性の高い遊技演出の実行に伴って、可動装飾部材が下方に落下し、当該可動装飾部材が表示画面７ａの前面を覆い、その大部分が視認可能となる。これにより、遊技者は当りへの期待感を高めることとなる。遊技領域３における画像表示装置７の下方には、遊技球の入球し易さが変化しない非可変式の第１始動口２０を備える固定入賞装置１９が設けられている。第１始動口２０への遊技球の入球に基づいて、特別図柄当否判定用乱数等が取得され、予め定められた所定条件が成立すると第１特別図柄に係る当否判定（第１特別図柄当否判定）が実行されると共に第１特別図柄が変動表示され、当否判定の結果に基づいて停止表示される。
【００２９】
第１始動口２０の下方には、遊技球の入球し易さが変化する可変式の第２始動口２１を備える可変入賞装置２２（「可変式始動口」ともいう）が設けられている。第２始動口２１への遊技球の入球に基づいて、特別図柄当否判定用乱数等が取得され、予め定められた所定条件が成立すると第２特別図柄の当否判定（第２特別図柄当否判定）が実行されると共に第２特別図柄が変動表示され、当否判定の結果に基づいて停止表示される。可変入賞装置２２は、可動部材２３を備え、可動部材２３の作動によって第２始動口２１を開閉するものである。この開閉動作によって、第２始動口２１は、第１の態様（閉状態）から当該第１の態様よりも遊技球の入球可能性が高い第２の態様（開状態）へと変化可能である。可動部材２３は、第２始動口ソレノイド２４（図５参照）により駆動される。本実施例１では、第２始動口２１は、可動部材２３が開状態にあるときだけ遊技球が入球可能とされ、可動部材２３が閉状態にあるときには遊技球が入球不能となっている。尚、第２始動口２１は、可動部材２３が閉状態にあるときは開状態にあるときよりも遊技球が入球困難となるものであれば、可動部材２３が閉状態にあるときに完全に入球不能となるものでなくてもよい。
【００３０】
遊技領域３における第１始動口２０の右方には、後述する大当り遊技の実行に際して作動する第１大入賞装置３１（「第１可変入球口」ともいう）が設けられている。第１大入賞装置３１は第１大入賞口３０と開閉部材３２を備えており、開閉部材３２の開動作により第１大入賞口３０を開放し、開閉部材３２の閉動作により第１大入賞口３０を閉鎖するものである。開閉部材３２は、第１大入賞口ソレノイド３３（図５参照）により駆動される。第１大入賞口３０は、開閉部材３２が開状態にあるときだけ遊技球が入球可能となる。すなわち、第１可変入球口３１は、開閉部材３２の開閉動作により、遊技球が入球不能な入球不能状態（閉状態）と遊技球が入球可能な入球可能状態（開状態）とに変化可能である。
【００３１】
また、遊技領域３における第１大入賞口３０の上方であってセンター装飾体１０の右下部には、後述する小当り遊技の実行に際して作動する第２大入賞装置３６（「第２可変入球口」ともいう）が設けられている。第２大入賞装置３６は第２大入賞口３５と開閉部材（羽根部材）３７を備えており、開閉部材３７の開作動により第２大入賞口３５を開放し、開閉部材３７の閉動作により第２大入賞口３５を閉鎖するものである。開閉部材３７は、第２大入賞口ソレノイド３８（図５参照）により駆動される。第２大入賞口３５は、開閉部材３７が開状態にあるときだけ遊技球が入球可能となる。すなわち、第２可変入球口３６は、開閉部材３７の開閉動作により、遊技球が入球不能な入球不能状態（閉状態）と遊技球が入球可能な入球可能状態（開状態）とに変化可能である。
【００３２】
第２大入賞装置３６には、第２大入賞口３５に入球した遊技球が通過可能な特定領域３９が形成されている。本パチンコ遊技機１では、第２大入賞口３５に入球した遊技球の少なくとも１個が特定領域３９を通過したことが検知されることに基づいて、後述の大当り遊技を開始させるものとなっている。つまり特定領域３９は、大当り遊技開始口となっている。また、第２大入賞装置３６には、遊技球が特定領域３９を通過し得る状態（開状態）と通過し得ない状態（閉状態）とを創出するための図示しない可動片（特定領域への遊技球の通過可能性を変化させる部材）が設けられている。この可動片は、第２大入賞装置３６の非作動時、すなわち開閉部材３７が第２大入賞口３５を閉鎖しているときには特定領域３９を閉状態としており、第２大入賞装置３６の作動開始、すなわち第２大入賞口３５を開閉する開閉部材３７の開動作の開始に基づいて、特定領域３９を開状態とすべく動作を開始する。つまり、可動片は開閉部材３７の開動作に伴って動作を開始する。また、可動片は所定の動作パターンで動作するものとなっており、所定の動作時間が経過することに基づいて、特定領域３９を閉状態とする状態に戻る。
【００３３】
これにより、開放した第２大入賞口３５に遊技球が入球し、当該入球した遊技球が特定領域３９の位置に到達するタイミングと、可動片が特定領域３９を開放しているタイミングとが合致すると、その遊技球は特定領域３９を通過（Ｖ通過）して大当り遊技が開始されることとなり、それらタイミングが合致しなければ、遊技球は特定領域３９を通過することなくそのまま機外に排出され、大当り遊技が開始されることはない。また、所定の動作パターンとして、閉状態と開状態とに複数回変化したり、複数回ある開状態又は閉状態の時間が異なったりする動作パターンを設定してもよい。そして、所定の動作パターンを開始後のどのタイミングで開閉部材を開動作させるかによって、特定領域への遊技球の通過可能性を変化させてもよい。遊技領域３におけるセンター装飾体１０の右側領域には、遊技球が通過可能なゲート２８（遊技球通過口）が設けられている。ゲート２８への遊技球の通過に基づいて、普通図柄当否判定用乱数等が取得され、予め定められた所定条件が成立すると、第２始動口２１を開状態とするか否かを判定する普通図柄当否判定が実行されると共に普通図柄が変動表示され、普通図柄当否判定の結果に基づいて停止表示される。当り普通図柄が停止表示すると第２始動口２１を開状態となる。さらに、遊技領域３の下部には、複数の一般入球口２７が設けられている。
【００３４】
このように各種入球口等が配されている遊技領域３を、左右方向の中央より左側の左遊技領域（第１遊技領域）３Ａと、右側の右遊技領域（第２遊技領域）３Ｂと、に分けることができる。左遊技領域３Ａを遊技球が流下するように遊技球を発射する打方を、左打ちといい、右遊技領域３Ｂを遊技球が流下するように遊技球を発射する打方を、右打ちという。本パチンコ遊技機１では、遊技開始の際は左打ちにて第１始動口２０への入球を狙う。一方、第１始動口２０への入球に基づく当否判定において当りとなり遊技状態が変化した際には、右打ちにてゲート２８、第２始動口２１、第１大入賞口３０、及び第２大入賞口３５への入球を狙うこととなる。そして、第１始動口、第２始動口、第１大入賞口、第２大入賞口、及び一般入球口に遊技球が入球した場合には、夫々の入球口において予め定められた数の遊技球（「賞球」ともいう）が払い出される。
【００３５】
また、図３及び図４に示すように、遊技盤２の右下部には主表示器４０が配置されている。主表示器４０には、第１特別図柄を変動表示及び停止表示する第１特別図柄表示器４１ａ（第１特別図柄表示部）、第２特別図柄を変動表示及び停止表示する第２特別図柄表示器４１ｂ（第２特別図柄表示部）、及び、普通図柄を変動表示及び停止表示する普通図柄表示器４２（普通図柄表示部）が含まれている。また主表示器４０には、第１特別図柄に係る当否判定情報（第１特図保留）の記憶数を表示する第１特図保留表示器４３ａ、第２特別図柄に係る当否判定情報（第２特図保留）の記憶数を表示する第２特図保留表示器４３ｂ、及び、普通図柄表示器４２の作動保留（普図保留）の記憶数を表示する普図保留表示器４４が含まれている。
【００３６】
また主表示器４０には、第１特別図柄当否判定又は第２特別図柄当否判定の結果が当りになったことを示す当り表示器４８、第１特別図柄当否判定又は第２特別図柄当否判定の結果が当りになった場合に実行される当り遊技のラウンド数を示すラウンド表示器４５、変動時間短縮機能（時短機能）が作動することを示す遊技状態表示器４６、及び、遊技球の発射方向、すなわち右打ちすべき状態か左打ちすべき状態かを示す発射方向表示器４７が含まれている。これら主表示器４０に含まれる各種表示器は後述の主制御部によって表示制御される。
【００３７】
ここで、ラウンド表示器４５は、４Ｒ用、６Ｒ用、１５Ｒ用、５Ｒ用、１６Ｒ用の５個のＬＥＤで構成されている。そして、大当り図柄として、特図１大当り図柄Ａ又は特図２大当り図柄Ａが停止表示すると、４Ｒ用ランプが点灯表示され、「４Ｒ▲６Ｒ△１５Ｒ△５Ｒ△１６Ｒ△」（例えば、▲：点灯、△：消灯とする）の様な表示態様となる。また、大当り図柄として、特図１大当り図柄Ｂが停止表示すると、６Ｒ用ランプが点灯表示され、大当り図柄として、特図２大当り図柄Ｂが停止表示すると、１５Ｒ用ランプが点灯表示される。これらのランプは、対応する大当り図柄が確定表示するタイミングで、点灯表示される。また、小当り経由で特定領域通過に基づいて大当りとなった場合には、特定領域通過後に実行される大当り遊技のラウンド数に、小当り遊技の開放遊技を１加算した数のラウンド数を示すランプを点灯する。具体的に、小当り図柄として、特図１小当り図柄Ａ又は特図２小当り図柄Ａが停止表示され、小当り遊技によって開放した第２大入賞口内の特定領域を遊技球が通過した場合には、４ラウンドに小当り分の１ラウンドを加算した５Ｒ用ランプが点灯表示される。具体的には、「４Ｒ△６Ｒ△１５Ｒ△５Ｒ▲１６Ｒ△」の様な表示態様となる。また、小当り図柄として、特図２小当り図柄Ｂが停止表示され、小当り遊技によって開放した第２大入賞口内の特定領域を遊技球が通過した場合には、１５ラウンドに小当り分の１ラウンドを加算した１６Ｒ用ランプが点灯表示される。
【００３８】
第１特別図柄の変動表示は、第１始動口２０への遊技球の入球を契機として行われる。第２特別図柄の変動表示は、第２始動口２１への遊技球の入球を契機として行われる。尚以下の説明では、第１特別図柄及び第２特別図柄を総称して特別図柄ということがある。また、第１特別図柄表示器４１ａ及び第２特別図柄表示器４１ｂを総称して特別図柄表示部４１ということがある。また、第１特図保留表示器４３ａ及び第２特図保留表示器４３ｂを総称して特図保留表示部４３ということがある。
【００３９】
特別図柄表示部４１では、特別図柄（識別情報）を所定時間変動表示した後に停止表示し、停止表示された特別図柄（停止図柄）によって第１始動口２０又は第２始動口２１への入球に基づく抽選（特別図柄当否判定、大当り抽選、小当り抽選等）の結果を報知する。停止表示される特別図柄は、特別図柄当否判定によって複数種類の特別図柄の中から選択された一つの特別図柄である。停止図柄が予め定めた特定特別図柄（特定識別情報）である場合（すなわち、大当り図柄や小当り図柄である場合）には、停止表示された特定特別図柄の種類（当り種別）に応じた開放パターンにて第１大入賞口３０又は第２大入賞口３５を開放させる特別遊技（大当り遊技又は小当り遊技）が行われる。
【００４０】
具体的に、図４に示すとおり、第１特別図柄表示器４１ａは「ｉ〜ｐ」で示す８個のＬＥＤで構成されており、各ＬＥＤの点灯と消灯との組み合わせにより複数の表示態様（最大２５６通り）を表示可能となっている。同様に、第２特別図柄表示器４１ｂも「ａ〜ｈ」で示す８個のＬＥＤで構成されており、各ＬＥＤの点灯と消灯との組み合わせにより複数の表示態様（最大２５６通り）を表示可能となっている。そして、第１特別図柄表示器４１ａでは第１特別図柄当否判定の結果に応じた特別図柄（第１特別図柄）を表示し、第２特別図柄表示器４１ｂでは第２特別図柄当否判定の結果に応じた特別図柄（第２特別図柄）を表示する。尚、特別図柄が停止表示される前には所定の変動時間にわたって特別図柄の変動表示がなされるが、その変動表示の態様は、例えば予め定められた順序で、左から右へ光が繰り返し流れるように各ＬＥＤが点灯する態様とすることができる。
【００４１】
本実施例１では、第１特別図柄当否判定の結果が大当りとなった場合の大当りの種別として「特図１大当りＡ〜Ｄ」の４種類を設け（図６（Ａ），（Ｂ）を参照）、小当りとなった場合の小当りの種別として「特図１小当りＡ，Ｂ」の２種類を設けており（図６（Ｃ），（Ｄ）を参照）、これらの大当り又は小当りを第１特別図柄表示器４１ａの表示態様によって識別可能に表示するものとなっている。例えば、第１特別図柄当否判定の結果が大当りとなった場合、その種別が「特図１大当りＡ」又は「特図１大当りＣ」であれば「ｉｊｎ」の３個のＬＥＤを点灯して残りを消灯し、「特図１大当りＢ」又は「特図１大当りＤ」であれば「ｊｎｋｌ」の４個のＬＥＤを点灯して残りを消灯し、この他の特図１大当りについてもそれぞれ表示態様が定められている。また、第１特別図柄当否判定の結果が小当りとった場合であって、その種別が「特図１小当りＡ」又は「特図１小当りＢ」の場合には「ｍｎｏｐ」の４個のＬＥＤを点灯して残りを消灯する。また、第１特別図柄当否判定の結果が外れとなった場合には、「ｌｏ」の２個のＬＥＤを点灯して残りを消灯する。尚、「特図１大当りＡ」と「特図１大当りＣ」とは、大当り遊技後の時短機能及び開放延長機能の作動状態が異なるだけで、停止図柄や大入賞口の開放パターン等は同じとされている。すなわち、「特図１大当り図柄Ａ」が停止表示したときの遊技状態が、通常状態か時短状態かによって、大当り遊技後の時短機能及び開放延長機能の作動状態を異ならせているのである（図６参照）。また、本実施例では、「特図１小当りＡ」又は「特図１小当りＢ」は、停止図柄、大入賞口の開放パターン、Ｖ通過後の大当り遊技の態様、大当り遊技終了後の時短機能及び開放延長機能の作動状態等、全て同じとされている。
【００４２】
また、第２特別図柄当否判定の結果が大当りとなった場合の大当りの種別として「特図２大当りＡ〜Ｄ」の４種類を設け（図６（Ａ），（Ｂ）を参照）、小当りとなった場合の小当りの種別として「特図２小当りＡ〜Ｄ」の４種類を設けており（図６（Ｃ），（Ｄ）を参照）、これらの大当り又は小当りを、前述の第１特別図柄表示器４１ａと同様に、第２特別図柄表示器４１ｂの表示態様（各ＬＥＤの点灯と消灯との組み合わせ）によって識別可能に表示するものとなっている。尚、各当り（大当り及び小当り）に対応する特別図柄表示部４１の表示態様は、複数の当り種別（時短機能や開放延長機能の作動状態のみが異なる態様も含む）に対して一の表示態様としたり、一の当りに対して一の表示態様としたり、一の当りに対して複数の表示態様としたりすることが可能で、外れについても同様に一又は複数の表示態様とすることが可能である。そして、表示態様を複数とした場合には、例えば乱数抽選等により表示態様を選択し、該選択した表示態様に基づいて特別図柄表示部４１の表示制御を行うものとすればよい。
【００４３】
本実施例１では、停止表示された特別図柄（停止図柄）の表示態様が大当り（第１特定態様）または小当り（第２特定態様）である場合、その大当りや小当りの種別によって、遊技者に付与する利益の内容が異なるものとなっている。この点についての詳細は後述する。
【００４４】
本パチンコ遊技機１では、第１始動口２０又は第２始動口２１への遊技球の入球があると、その入球に基づいて特別図柄当否判定用乱数等の各種情報（「入球情報」ともいう）を取得し、取得した各種情報は、主制御部のＲＡＭに形成される特図保留記憶部（図示せず）に一旦記憶される。詳細には、第１始動口２０への入球であれば第１特図保留として第１特図保留記憶部（図示せず）に記憶され、第２始動口２１への入球であれば第２特図保留として第２特図保留記憶部（図示せず）に記憶される。各々の特図保留記憶部に記憶可能な特図保留の数には上限が設定されており、本実施例１における上限値は、第１特図保留記憶部が「４」、第２特図保留記憶部が「１」となっている。これら第１特図保留記憶部及び第２特図保留記憶部を、夫々「第１入球情報記憶手段（第１保留情報記憶手段）」及び「第２入球情報記憶手段（第２保留情報記憶手段）」ともいい、総じて「入球情報記憶手段（保留情報記憶手段）」ともいう。尚、各々の特図保留記憶部に記憶可能な特図保留の数（上限値）は、遊技機設計の段階で遊技性や仕様等を考慮して任意に設定可能で、第１特図保留記憶部と第２特図保留記憶部とで上限値を同じとしたり、第１特図保留記憶部の上限値を第２特図保留記憶部の上限値よりも多くしたり、第２特図保留記憶部の上限値を第１特図保留記憶部の上限値よりも多くしたりすることが可能である。
【００４５】
特図保留記憶部に記憶された特図保留は、その特図保留に基づく特別図柄の変動表示が可能となったときに消化される。特図保留の消化とは、その特図保留に対応する特別図柄当否判定用乱数等を判定して、その判定結果を示すための特別図柄の変動表示を実行することをいう。従って、本パチンコ遊技機１では、第１始動口２０又は第２始動口２１への遊技球の入球に基づく特別図柄の変動表示がその入球時にすぐに実行できない場合、すなわち特別図柄の変動表示の実行中や特別遊技の実行中である場合であっても、所定個数を上限として、その入球に対する特別図柄当否判定の権利を留保することが可能となっている。
【００４６】
特図保留記憶部に記憶された特図保留の数は、第１特図保留表示器４３ａ及び第２特図保留表示器４３ｂに表示される。具体的には第１特図保留表示器４３ａは、「ｕｖ」の２個のＬＥＤで構成されており、第１特図保留の数に応じてＬＥＤを表示制御することにより、第１特図保留の数を表示するものである。例えば、保留数が「０」の場合は「ｕ□ｖ□」（例えば、□：消灯、●：赤点灯、▲：緑点灯とする）というように両ＬＥＤを消灯する表示態様とし、保留数が「１」の場合は「ｕ□ｖ●」というように「ｕ」のＬＥＤを消灯し「ｖ」のＬＥＤを赤色で点灯させる表示態様とし、保留数が「２」の場合は「ｕ●ｖ□」というように「ｕ」のＬＥＤを赤色で点灯させ「ｖ」のＬＥＤを消灯する表示態様とし、保留数が３の場合は「ｕ●ｖ●」というように両方のＬＥＤを赤色で点灯させる表示態様とし、保留数が「４」（上限数）の場合は「ｕ▲ｖ▲」というように両方のＬＥＤを緑色で点灯させ表示態様とすることができる。
【００４７】
また、第２特図保留表示器４３ｂは、「ｗｘ」の２個のＬＥＤで構成されており、第２特図保留の数に応じてＬＥＤを表示制御することにより、第２特図保留の数を表示するものである。例えば、保留数が「０」の場合は「ｗ□ｘ□」（例えば、□：消灯、●：赤点灯）というように両ＬＥＤを消灯する表示態様とし、保留数が「１」の場合は「ｗ□ｘ●」というように「ｗ」のＬＥＤを消灯し「ｘ」のＬＥＤを赤色で点灯させる表示態様としている。尚、第２特図保留記憶部の記憶数の上限は「１」とされているので、第２特図保留の数は「０」又は「１」のみとされる。普通図柄の変動表示は、ゲート２８への遊技球の通過を契機として行われる。普通図柄表示器４２では、普通図柄を所定時間変動表示した後、停止表示し、停止表示された普通図柄（停止図柄）によって、ゲート２８への遊技球の通過に基づく普通図柄当否判定の結果を報知する。停止表示される普通図柄は、普通図柄当否判定によって複数種類の普通図柄の中から選択された一つの普通図柄である。停止表示された普通図柄が予め定めた特定普通図柄（当り普通図柄）である場合には、現在の遊技状態に応じた開放パターンにて第２始動口２１を開放させる補助遊技が行われる。尚、第２始動口２１の開放パターンについては後述する。
【００４８】
具体的には図４に示す通り、普通図柄表示器４２は、「ｓｔ」の２個のＬＥＤから構成されており、その点灯態様によって普通図柄当否判定の結果に応じた普通図柄を表示するものである。例えば、判定結果が当りである場合には、「ｓ■ｔ■」（例えば、■：点灯、□：消灯とする）というように両ＬＥＤが点灯した当り普通図柄を停止表示する。また判定結果が外れである場合には、「ｓ□ｔ■」というように「ｔ」のＬＥＤのみが点灯した態様の外れ普通図柄を表示する。尚、外れ普通図柄は、特定普通図柄ではない。普通図柄が停止表示される前には予め定められた所定の変動時間にわたって普通図柄の変動表示が実行されるが、その変動表示の態様は、例えば両ＬＥＤが交互に点灯・消滅を繰り返す態様である。
【００４９】
本パチンコ遊技機１では、ゲート２８への遊技球の通過があると、その通過に基づいて普通図柄当否判定用乱数等の各種情報（「入球情報」ともいう）を取得し、取得した各種情報は主制御部のＲＡＭに形成される普図保留記憶部（図示せず）に普図保留として一旦記憶される。普図保留記憶部に記憶可能な普図保留の数には上限が設定されており、本実施例１における上限値は４個となっている。普図保留記憶部に記憶された普図保留は、その普図保留に基づく普通図柄の変動表示が可能となったときに消化される。普図保留の消化とは、その普図保留に対応する普通図柄当否判定用乱数を判定して、その判定結果を示すための普通図柄の変動表示を実行することをいう。従って本パチンコ遊技機１では、ゲート２８への遊技球の通過に基づく普通図柄の変動表示がその通過時にすぐ実行できない場合、すなわち普通図柄の変動表示の実行中や補助遊技の実行中である場合であっても、所定個数を上限として、その通過に対する普通図柄当否判定の権利を留保することができるようになっている。
【００５０】
普図保留記憶部に記憶された普図保留の数は、普図保留表示器４４に表示される。具体的には普図保留表示器４４は、「ｑｒ」の２個のＬＥＤで構成されており、普図保留の数に応じてＬＥＤを点灯させることにより普図保留の数を表示するものである。例えば、保留数が０の場合は「ｑ□ｒ□」（例えば、□：消灯、●：赤点灯、▲：緑点灯とする）というように両ＬＥＤを消灯する表示態様とし、保留数が１の場合は「ｑ□ｒ●」というように「ｑ」のＬＥＤを消灯し「ｒ」のＬＥＤを赤色で点灯させる表示態様とすることができる。また、保留数２〜４についても第１特図保留表示器４３ａと同様に定められている。
【００５１】
次に図２及び図５に基づいて、本パチンコ遊技機１における電気的な構成を説明する。本実施例１のパチンコ遊技機１は、特別図柄当否判定や普通図柄当否判定や遊技状態の移行など、遊技進行や遊技利益に関する制御を行う主制御基板８０（「主制御部」ともいい、「遊技制御部」ともいう）、遊技の進行に伴って実行する演出に関する制御を行うサブ制御基板９０（「サブ制御部」ともいい、「演出制御部」ともいう）、遊技球の払い出しに関する制御を行う払出制御基板１１０（「払出制御部」ともいう）、画像表示装置７に表示される演出図柄８、演出表示器１０２に表示される図柄、演出第１特図保留表示器１０３ａ、及び演出第２特図保留表示器１０３ｂ等の表示制御を行う画像制御基板１００（画像制御部）等を備えている。
【００５２】
また、図２に示すように、パチンコ遊技機１の後面側（裏面側）の略中央部には主制御基板８０を収納した主制御基板収納ケースが設けられ、この主制御基板ケースの上方には、音声制御基板１０６、ランプ制御基板１０７及び画像制御基板１００を収納した画像制御基板等収納ケースが設けられ、その画像制御基板等収納ケース上にはサブ制御基板９０を収納したサブ制御基板収納ケースが設けられている。また、主制御基板ケースの下方左側には、払出制御基板を収納する払出制御基板ケースが設けられ、その右側には、電源基板１０９を収納する電源基板ケースが設けられている。
【００５３】
主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ、ワークメモリとして使用されるＲＡＭ、ＲＯＭに記憶されたプログラムを実行するＣＰＵが含まれている。遊技制御用マイコン８１は、入出力回路８７（Ｉ／Ｏポート部）を介して他の基板等とデータ（情報）の送受信を行う。入出力回路８７は、遊技制御用マイコン８１に内蔵されていてもよい。また、ＲＯＭは外付けであってもよい。遊技制御用マイコン８１のＲＡＭには、前述した特図保留記憶部（第１特図保留記憶部及び第２特図保留記憶部）と普図保留記憶部とが設けられている。
【００５４】
主制御基板８０には、中継基板８８を介して各種センサやソレノイドが接続されている。そのため、主制御基板８０には各センサから信号が入力され、各ソレノイドには主制御基板８０から信号が出力される。具体的にはセンサ類としては、第１始動口センサ２０ａ、第２始動口センサ２１ａ、ゲートセンサ２８ａ、第１大入賞口センサ３０ａ、第２大入賞口センサ３５ａ、特定領域センサ３９ａ、及び一般入球口センサ２７ａが接続されている。これら各種センサを「検知手段」ともいう。
【００５５】
第１始動口センサ２０ａは、第１始動口２０内に設けられて第１始動口２０に入球した遊技球を検知するものである。第２始動口センサ２１ａは、第２始動口２１内に設けられて第２始動口２１に入球した遊技球を検知するものである。ゲートセンサ２８ａは、ゲート２８内に設けられてゲート２８を通過した遊技球を検知するものである。第１大入賞口センサ３０ａは、第１大入賞口３０内に設けられて第１大入賞口３０に入球した遊技球を検知するものである。第２大入賞口センサ３５ａは、第２大入賞口３５内に設けられて第２大入賞口３５に入球した遊技球を検知するものである。特定領域センサ３９ａは、第２大入賞口３５内の特定領域３９に設けられており、特定領域３９を通過した遊技球を検知するものである。一般入球口センサ２７ａは、各一般入球口２７内にそれぞれ設けられて一般入球口２７に入球した遊技球を検知するものである。
【００５６】
またソレノイド類としては、第２始動口ソレノイド２４、第１大入賞口ソレノイド３３、及び第２大入賞口ソレノイド３８が接続されている。第２始動口ソレノイド２４は、可変入賞装置２２の可動部材２３を駆動するためのものである。第１大入賞口ソレノイド３３は、第１大入賞装置３１の開閉部材３２を駆動するためのものである。第２大入賞口ソレノイド３８は、第２大入賞装置３６の開閉部材３７を駆動するためのものである。
【００５７】
さらに主制御基板８０には、第１特別図柄表示器４１ａ、第２特別図柄表示器４１ｂ、普通図柄表示器４２、第１特図保留表示器４３ａ、第２特図保留表示器４３ｂ、普図保留表示器４４、ラウンド表示器４５、遊技状態表示器４６、発射方向表示器４７及び当り表示器４８が接続されている。すなわち、これらの主表示器４０の表示制御は、遊技制御用マイコン８１によりなされる。
【００５８】
また主制御基板８０は、払出制御基板１１０に各種コマンドを送信するとともに、払い出し監視のために払出制御基板１１０から信号を受信する。払出制御基板１１０には、賞球や貸球を払い出す払出装置１２０、及びカードユニット１３５（パチンコ遊技機１に隣接して設置され、挿入されたプリペイドカード（遊技価値記憶媒体）等に記憶されている情報に基づいて球貸しを可能にするもの）が接続されているとともに、発射制御基板１１１（「発射制御部」ともいう）を介して発射装置１１２が接続されている。発射装置１１２には、発射ハンドル６０（図１参照）が含まれる。
【００５９】
払出制御基板１１０は、プログラムに従ってパチンコ遊技機１の遊技球の払い出しを制御する払出制御用ワンチップマイコン１１６（「払出制御用マイコン」ともいう）が実装されている。払出制御用マイコン１１６には、遊技球の払い出しを制御するためのプログラム等を記憶したＲＯＭ、ワークメモリとして使用されるＲＡＭ、ＲＯＭに記憶されたプログラムを実行するＣＰＵが含まれている。払出制御用マイコン１１６は、入出力回路１１７を介し、遊技制御用マイコン８１からの信号や、パチンコ遊技機１に接続されたカードユニット１３５からの信号に基づいて、払出装置１２０の払出モータ１２１を駆動して賞球の払い出しを行ったり、貸球の払い出しを行ったりする。払い出される遊技球は、その計数のため払出センサ１２２、１２３により検知される。尚、遊技者による発射装置１１２のハンドル６０（図１参照）の操作があった場合には、タッチスイッチ１１４が発射ハンドル６０への遊技者の接触を検知し、発射ボリューム１１５が発射ハンドル６０の回転量を検知する。そして、発射ボリューム１１５の検知信号の大きさに応じた強さで遊技球が発射されるよう発射モータ１１３が駆動制御されることとなる。
【００６０】
また主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００６１】
また図５に示すように、サブ制御基板９０には、プログラムに従ってパチンコ遊技機１の演出を制御する演出制御用ワンチップマイコン９１（「演出制御用マイコン」）が実装されている。演出制御用マイコン９１には、遊技の進行に伴って演出を制御するためのプログラム等を記憶したＲＯＭ、ワークメモリとして使用されるＲＡＭ、ＲＯＭに記憶されたプログラムを実行するＣＰＵが含まれている。演出制御用マイコン９１は、入出力回路９５を介して他の基板等とデータの送受信を行う。入出力回路９５は、演出制御用マイコン９１に内蔵されていてもよい。また、ＲＯＭは外付けであってもよい。
【００６２】
サブ制御基板９０には、画像制御基板１００、音声制御基板１０６、ランプ制御基板１０７が接続されている。サブ制御基板９０の演出制御用マイコン９１は、主制御基板８０から受信したコマンドに基づいて、画像制御基板１００の画像制御用ワンチップマイコン１０１（「画像制御用マイコン」）のＣＰＵに、画像表示装置７、演出表示器１０２、演出第１特図保留表示器１０３ａ、及び演出第２保留表示器１０３ｂの表示制御を行わせる。画像制御基板１００のＲＡＭは、画像データを展開するためのメモリである。画像制御基板１００のＲＯＭには、画像表示装置７に表示される静止画データや動画データ、具体的にはキャラクタ、アイテム、図形、文字、数字および記号等（演出図柄、保留図柄等を含む）や背景画像等の画像データが格納されている。画像制御基板１００のＣＰＵは、演出制御用マイコン９１からの指令に基づいてＲＯＭから画像データを読み出す。そして、読み出した画像データに基づいて表示制御を実行する。
【００６３】
演出表示器１０２は、２個のＬＥＤからなり、演出図柄８の変動表示及び停止表示にあわせて変動表示及び停止表示を行い、２個のＬＥＤの点灯・消灯、又は色の組合せにより、演出図柄８の表示結果（特別図柄当否判定の結果）を示す表示態様で停止表示する。また、演出第１特図保留表示器１０３ａ、及び演出第２保留表示器１０３ｂも同様に２個のＬＥＤからなる。そして、２個のＬＥＤの点灯・消灯、又は色の組合せにより、演出第１特図保留表示器１０３ａは第１演出保留表示領域９ｃに表示される保留個数及び第１特図保留表示器４３ａで表示される保留個数と同じ保留個数を示す表示態様で表示制御される。また、演出第２特図保留表示器１０３ｂは第２演出保留表示領域９ｄに表示される保留個数及び第２特図保留表示器４３ｂで表示される保留個数と同じ保留個数を示す表示態様で表示制御される。これは、キャラクタ図柄を表示画面７ａ（演出図柄表示部）の略全体に表示したり、可動装飾部材１４を動作させて表示画面７ａの演出図柄表示領域７ｂ（演出図柄表示部）を被覆したりすることで、演出図柄、第１演出保留表示部、又は第２演出保留表示部の一部又は全部が視認できない状態になることがあり得るため、この様な表示器が設けられている。尚、画像制御基板１００の画像制御用ワンチップマイコン１０１に換えて、または加えてＶＤＰ（Video Display Processor）を設けてもよい。
【００６４】
また演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、サブ制御基板９０のＲＯＭに格納されている。尚、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御基板１００のＣＰＵに音声制御を実行させてもよい。さらにこの場合、画像制御基板１００のＲＯＭに音響データを格納してもよい。
【００６５】
また演出制御用マイコン９１は、主制御基板８０から受信したコマンドに基づいて、枠ランプ６６や盤面ランプ５等のランプの発光態様を決める発光パターンデータ（点灯/消灯や発光色等を決めるデータ、ランプデータともいう）を、ＲＯＭに格納されているデータから決定し、ランプ制御基板１０７を介して枠ランプ６６や盤面ランプ５等のランプ（ＬＥＤ）の点灯制御を行う。
【００６６】
さらに演出制御用マイコン９１は、主制御基板８０から受信したコマンドに基づいて、ランプ制御基板１０７に中継基板１０８を介して接続されたモータやソレノイド等の電気的駆動源を駆動して可動装飾部材１４を動作させる。前述したように、可動装飾部材１４は、センター装飾体１０（装飾部材１３の後方）に設けられた可動式のいわゆるギミックのことである。演出制御用マイコン９１は、可動装飾部材１４を所定の動作態様で動作させるための動作パターンデータ（「駆動データ」ともいう）を、サブ制御基板９０のＲＯＭに格納されているデータから決定し、決定した動作パターンデータに基づいて可動装飾部材１４の動作を制御する。尚、ランプ制御基板１０７にＣＰＵを実装してもよく、その場合、そのＣＰＵにランプの点灯制御や可動装飾部材１４の動作制御を実行させてもよい。さらにこの場合、ランプ制御基板１０７にＲＯＭを実装してもよく、そのＲＯＭに発光パターンや動作パターンに関するデータを格納してもよい。
【００６７】
またサブ制御基板９０には、第１演出ボタン６３ａ又は第２演出ボタン６３ｂ（図１参照）が操作（押す、回転、引く等）されたことを検知する第１演出ボタン検知スイッチ６３ｃ及び第２演出ボタン検知スイッチ６３ｄが接続されている。従って、第１演出ボタン６３ａ又は第２演出ボタン６３ｂに対して遊技者が所定の入力操作を行うと、対応する演出ボタン検知スイッチからサブ制御基板９０に対して信号が出力される。尚、第１演出ボタン検知スイッチ６３ｃ及び第２演出ボタン検知スイッチ６３ｄを総称して単に「演出ボタン検知スイッチ」ともいう。
【００６８】
次に、本実施例１のパチンコ遊技機１における当否判定に係る制御について説明する。本実施例１では、特別図柄当否判定の結果として「大当り」、「小当り」、「外れ」がある。「大当り」のときには、特別図柄表示部４１に「大当り図柄」（第１特定識別情報）が停止表示される。また「小当り」のときには、特別図柄表示部４１に「小当り図柄」（第２特定識別情報）が停止表示される。また「外れ」のときには、特別図柄表示部４１に「外れ図柄」が停止表示される。大当り又は小当りと判定されると、停止表示された特別図柄の種類に応じた開放パターンにて、第１大入賞口３０又は第２大入賞口３５を開放する「特別遊技」が実行される。大当りとなって実行される特別遊技を「大当り遊技」と言い、小当りとなって実行される特別遊技を「小当り遊技」と言う。
【００６９】
本実施例１の当りには複数の種別がある。図６（Ａ）〜（Ｄ）に示すように、第１特別図柄（特図１）の当り種別として「特図１大当りＡ〜Ｄ」及び「特図１小当りＡ，Ｂ」があり、第２特別図柄（特図２）の当り種別として「特図２大当りＡ〜Ｄ」及び「特図２小当りＡ〜Ｄ」があり、各当りの種別に応じた停止図柄（大当り図柄、小当り図柄）が設けられている。特図１大当り及び特図２大当りでは第１大入賞口３０が開放し、特図１小当り及び特図２小当りでは第２大入賞口３５が開放する。
【００７０】
「特図１大当りＡ〜Ｄ」のうち「特図１大当りＡ、Ｂ」は大当り発生時の遊技状態が「通常状態（非時短状態）」の場合に発生し得る大当りであり（図６（Ａ）を参照）、「特図１大当りＣ、Ｄ」は大当り発生時の遊技状態が「時短状態」の場合に発生し得る大当りである（図６（Ｂ）を参照）。ここで、大当りの発生により行われる大当り遊技は、第１大入賞口３０が開放する複数回のラウンド（Ｒ）によって構成される。尚、時短状態とは後述するように特別図柄および普通図柄に対する変動時間短縮機能（時短機能）が作動する状態を意味する。また、本実施例１では、時短機能が作動する場合、第２始動口２１が開放する際の開放時間や開放回数を通常よりも延長・増加させる開放延長機能も併せて作動することとしている。本実施例１のパチンコ機１の遊技状態について詳細は後述する。
【００７１】
「特図１大当りＡ，Ｃ」はラウンド数が「４」で、１ラウンド〜４ラウンドの各ラウンドでの第１大入賞口３０の開放回数および開放時間が「１回」「２５秒」の大当りであり、各ラウンドで第１大入賞口３０に遊技球が容易に入球可能となっている。また、「特図１大当りＡ」は、大当り遊技終了後の遊技状態を時短状態とする大当り、すなわち変動時間短縮機能（時短機能）を作動させる大当りでもあり、「特図１大当りＣ」は、大当り遊技終了後の遊技状態を通常状態（非時短状態）とする大当り、すなわち変動時間短縮機能（時短機能）を作動させない大当りでもある。尚、以下では、大当り遊技終了後の遊技状態を時短状態とする大当り（変動時間短縮機能の作動開始契機となる大当り）のことを「時短大当り」ともいい、大当り遊技終了後の遊技状態を通常状態（非時短状態）とする大当り（変動時間短縮機能の作動開始契機とならない大当り）のことを「非時短大当り」ともいう。
【００７２】
「特図１大当りＢ，Ｄ」はラウンド数が「６」、１ラウンド〜６ラウンドの各ラウンドでの第１大入賞口３０の開放回数および開放時間が「１回」「２５秒」の大当りである。「特図１大当りＢ、Ｄ」のうち「特図１大当りＢ」は「非時短大当り」でもあり（６Ｒ非時短大当り）、「特図１大当りＤ」は「時短大当り」でもある（６Ｒ時短大当り）。
【００７３】
「特図１小当りＡ，Ｂ」は、いずれも第２大入賞口３５の開放回数および開放時間が「１回」「１．６秒」の小当りで、「特図１小当りＡ」は小当り発生時の遊技状態が「通常状態（非時短状態）」の場合、「特図１小当りＢ」は小当り発生時の遊技状態が「時短状態」の場合に、それぞれ発生し得る。尚、小当り（小当り遊技）においては、大入賞口の開放回数をラウンド数ではなく単に開放回数という。そして、「特図１小当りＡ，Ｂ」は、いずれも第２大入賞口３５に入球した遊技球の少なくとも１個が特定領域３９を通過（以下「Ｖ通過」ともいう）することで、Ｖ通過した後に、前述の「特図１大当りＣ」と同様の大当り、すなわちラウンド数が「４」、１ラウンド〜４ラウンドの各ラウンドでの第１大入賞口３０の開放回数および開放時間が「１回」「２５秒」、大当り遊技終了後の遊技状態を非時短状態とする「４Ｒ非時短大当り」を発生させる小当りである。
【００７４】
「特図２大当りＡ〜Ｄ」のうち「特図２大当りＡ、Ｂ」は大当り発生時の遊技状態が「通常状態（非時短状態）」の場合に発生し得る大当りであり、「特図２大当りＣ、Ｄ」は大当り発生時の遊技状態が「時短状態」の場合に発生し得る大当りである。「特図２大当りＡ、Ｃ」はラウンド数が「４」で、１ラウンド〜４ラウンドの各ラウンドでの第１大入賞口３０の開放回数および開放時間が「１回」「２５秒」の大当りであり、各ラウンドで第１大入賞口３０に遊技球が容易に入球可能となっている。「特図２大当りＡ，Ｃ」のうち「特図２大当りＡ」は「時短大当り」でもあり（４Ｒ時短大当り）、「特図２大当りＣ」は「非時短大当り」でもある（４Ｒ非時短大当り）。また、「特図２大当りＢ，Ｄ」はラウンド数が「１５」、１ラウンド〜１５ラウンドの各ラウンドでの第１大入賞口３０の開放回数および開放時間が「１回」「２５秒」の大当りであり、各ラウンドで第１大入賞口３０に遊技球が容易に入球可能となっている。「特図２大当りＢ、Ｄ」はいずれも「時短大当り」でもある（１５Ｒ時短大当り）。
【００７５】
「特図２小当りＡ〜Ｄ」は、いずれも第２大入賞口３５の開放回数および開放時間が「１回」「１．６秒」の小当りで、「特図２小当りＡ、Ｂ」は小当り発生時の遊技状態が「通常状態（非時短状態）」の場合、「特図２小当りＣ、Ｄ」は小当り発生時の遊技状態が「時短状態」の場合に、それぞれ発生し得る。「特図２小当りＡ〜Ｄ」のうち「特図１小当りＡ」は、第２大入賞口３５に入球した遊技球の少なくとも１個がＶ通過することで、前述の「特図１大当りＡ」や「特図２大当りＡ」と同様の大当り、すなわち「４Ｒ時短大当り」を発生させる小当りである。また、「特図２小当りＣ」は、第２大入賞口３５に入球した遊技球の少なくとも１個がＶ通過することで、前述の「特図１大当りＣ」や「特図２大当りＣ」と同様の大当り、すなわち「４Ｒ非時短大当り」を発生させる小当りである。また、「特図２小当りＢ，Ｄ」は、第２大入賞口３５に入球した遊技球の少なくとも１個がＶ通過することで、前述の「特図２大当りＢ，Ｄ」と同様の大当り、すなわち「１５Ｒ時短大当り」を発生させる小当りである。
【００７６】
図６に示すように、本実施例１では、特別図柄当否判定の結果が当りとなった場合における各当りへの振分確率を、当り発生時の遊技状態に応じて次のようにしている。すなわち、通常状態（非時短状態）において、第１特別図柄（特図１）の当否判定の結果が大当りの場合、特図１大当りＡ（４Ｒ時短大当り）が５０％、特図１大当りＢ（６Ｒ非時短大当り）が５０％となっており、特図１の当否判定の結果が小当りの場合、特図１小当りＡ（４Ｒ非時短大当りを発生可能な小当り）が１００％となっている。また、通常状態（非時短状態）において、第２特別図柄（特図２）の当否判定の結果が大当りの場合、特図２大当りＡ（４Ｒ時短大当り）が５０．５％、特図２大当りＢ（１５Ｒ時短大当り）が４９．５％となっており、特図２の当否判定の結果が小当りの場合、特図２小当りＡ（４Ｒ時短大当りを発生可能な小当り）が５０．２％、特図２小当りＢ（１５Ｒ時短大当りを発生可能な小当り）が４９．８％となっている。
【００７７】
一方、時短状態において、特図１の当否判定の結果が大当りの場合、特図１大当りＣ（４Ｒ非時短大当り）が５０％、特図１大当りＤ（６Ｒ時短大当り）が５０％となっており、特図１の当否判定の結果が小当りの場合、特図１小当りＢ（４Ｒ非時短大当りを発生可能な小当り）が１００％となっている。また、時短状態において、特図２の当否判定の結果が大当りの場合、特図２大当りＣ（４Ｒ非時短大当り）が５０．５％、特図２大当りＤ（１５Ｒ時短大当り）が４９．５％となっており、特図２の当否判定の結果が小当りの場合、特図２小当りＣ（４Ｒ非時短大当りを発生可能な小当り）が５０．２％、特図２小当りＤ（１５Ｒ時短大当りを発生可能な小当り）が４９．８％となっている。
【００７８】
ここで、本実施例１のパチンコ機１の遊技仕様について簡単に説明しておく。本実施例１のパチンコ機１では、通常状態（非時短状態）にて遊技球が第２始動口２１に入球する頻度は時短状態よりも低くなっていることから、通常状態（非時短状態）にて遊技を進める場合、左打ち（遊技領域の左側領域に遊技球を発射）にて第１始動口２０への入球を狙うこととなる。つまり、特図１の当否判定を主体的に行いつつ遊技を進行させることとなる。そして、特図１の当否判定の結果が大当りとなり、その大当りが「特図１大当りＡ（４Ｒ時短大当り）」となれば、当該大当りに係る大当り遊技の終了後の遊技状態が時短状態となる。時短状態では、遊技球が第２始動口２１に入球する頻度が通常状態よりも高くなる（且つ第２始動口への入球頻度が第１始動口への入球頻度よりも高くなる）ことから、時短状態にて遊技を進める場合、右打ち（遊技領域の右側領域に遊技球を発射）にて第２始動口２１への入球を狙うこととなる。つまり、特図２の当否判定を主体的に行いつつ遊技を進行させることとなる。そして、特図２の当りには、特図１の当りでは発生し得ない「１５Ｒ時短大当り」や「１５Ｒ時短大当りを発生可能な小当り」が存在し、また、特図１の小当り（特図１小当りＡ，Ｂ）に係る小当り遊技でのＶ通過により発生する大当り（以下「Ｖ大当り」ともいう）は「４Ｒ非時短大当り」しか存在せず特図１のＶ大当りを経て時短状態が発生することはない。このことから、本実施例１のパチンコ機１では、第２始動口２１に遊技球が入球して行われる特図２の当否判定において当りとなる方が遊技者にとって有利となる可能性が高い（時短状態の発生可能性が高い）といえる。よって、第２始動口２１への入球頻度が高まる開放延長機能の作動中（時短状態）においては、開放延長機能が作動しない通常状態（非時短状態）に比べ遊技を有利に進めることが可能となるので、遊技者は時短状態（右打ち）での遊技を期待することとなる。
【００７９】
また、詳しくは後述するが、本実施例１のパチンコ機１では、「０〜６５５３５」の範囲で値をとる特別図柄当否判定用乱数を設けており（図７（Ａ）を参照）、特図１の当否判定および特図２の当否判定における大当り判定値は「６５５２３２〜６５５３５」、特図１の当否判定における特図１小当り判定値は「１〜３２７７」、特図２の当否判定における特図２小当り判定値は「１〜１６０８０」としている（図８（Ａ）を参照）。つまり、大当り確率が「１／２１５．５７」、特図１小当り確率が「１／１９．９９」、特図２小当り確率が「１／４．０７」となっている。このため、特図２の当否判定を主体的に行う時短状態では、高い確率で特図２小当りが発生することとなるので、特図２小当りを契機とするＶ大当りを繰り返し発生させることが遊技の主目的となる。そして、時短状態にて特図２小当りＣ（４Ｒ非時短大当りを発生可能な小当り）を引いてＶ大当りが発生すると、当該Ｖ大当りに係る大当り遊技終了後の遊技状態は非時短状態となる。ここで、本実施例１では、第２特図保留記憶部の保留数の上限を「１」としており、また、後述するように第２特図保留の消化（第２特別図柄の変動表示）を第１特図保留の消化（第１特別図柄の変動表示）に優先して実行するものとしていることから、第２特図保留が存在する状態で大当り遊技が終了し、これに続いて非時短状態での遊技（特別図柄の変動表示）が開始される場合、第２特図保留の消化（第２特別図柄の変動表示）から開始されることとなる。そして、上述したように、本実施例１では、非時短状態における特図２小当り確率は「１／４．０７」であり、特図２の小当りは「特図２小当りＡ」と「特図２小当りＢ」の２種類で、いずれも時短大当りを発生可能な小当りである。よって、時短状態から非時短状に移行（転落）した後、第１特図保留の消化に優先して第２特図保留の消化が行われ、その結果、特図２の小当りとなってＶ大当りが発生すれば、再度、時短状態への移行が確定することとなる。このように、本実施例１のパチンコ機１では、時短状態から非時短状に移行（転落）した（特図２小当りＣに係る大当り遊技を実行した）直後の第２特図保留の消化が、遊技者にとって、再度、時短状態への復帰（時短引き戻し）を期待できるものとなっており、これにより、時短状態から非時短状に移行（転落）した直後の遊技興趣を高めることが可能となっている。
【００８０】
本パチンコ遊技機１では、大当りか、小当りか、外れかの判定は「特別図柄当否判定用乱数（「当否判定用情報」ともいう）」に基づいて行われ、大当りとなった場合の大当り種別の判定は「大当り種別決定用乱数（「大当り図柄決定用乱数」、「大当り図柄決定用情報」ともいう）」に基づいて行われ、小当りとなった場合の小当り種別の判定は「小当り種別決定用乱数（「小当り図柄決定用乱数」、「小当り図柄決定用情報」ともいう）」に基づいて行われる。図７（Ａ）に示すように、特別図柄当否判定用乱数は「０〜６５５３５」の範囲で値をとり、大当り種別決定用乱数は「０〜１９９」の範囲で値をとり、小当り種別決定用乱数は「０〜２１０」の範囲で値をとる。尚、第１始動口２０又は第２始動口２１への入球に基づいて取得される乱数（入球情報）には、特別図柄当否判定用乱数や大当り種別決定用乱数、小当り種別決定用乱数の他に、「リーチ乱数（「リーチ情報」ともいう）」及び「変動パターン乱数（「変動パターン情報」ともいう）」がある。
【００８１】
リーチ乱数は、特別図柄当否判定の結果が外れである場合に、演出図柄を用いてその結果を示す遊技演出（演出図柄遊技演出）においてリーチを発生させるか否かを決める乱数である。リーチとは例えば、左と右の２個の演出図柄８Ｒ、８Ｌが同じ図柄で停止（仮停止）され、残り１個の中演出図柄８Ｃが変動中の状態をいう（「７↓７」の状態）。そして、変動中の中演出図柄８Ｃが停止中の演出図柄８Ｒ、８Ｌと同じ図柄で停止すれば、３つの演出図柄が同一の図柄で停止することとなり、当りとなる。尚、この場合の演出図柄の停止（仮停止）には、演出図柄表示領域７ｂ内で多少揺れているような表示（揺れ変動）も含まれる。このリーチ乱数は「０〜１２６」の範囲で値をとる。
【００８２】
また、変動パターン乱数は、変動時間を含む変動パターンを決めるための乱数である。変動パターン乱数は「０〜１９８」の範囲で値をとる。また、ゲート２８の通過に基づいて取得される乱数には、図７（Ｂ）に示す普通図柄当否判定用乱数がある。普通図柄当否判定用乱数は、第２始動口２１を開放させる補助遊技を行うか否かの判定（普通図柄抽選）のための乱数である。普通図柄乱数は「０〜２４０」の範囲で値をとる。
【００８３】
次に、本実施例１のパチンコ遊技機１の遊技状態について説明する。パチンコ遊技機１は、特別図柄及び普通図柄に対する確率変動機能、変動時間短縮機能、及び、開放延長機能の各機能が作動状態又は非作動状態となる組合せにより、複数の遊技状態を有している。尚、本実施例１のパチンコ機は１種２種混合タイプであることから、特別図柄に対する確率変動機能は備えていない。
【００８４】
特別図柄（第１特別図柄及び第２特別図柄）について変動時間短縮機能が作動している状態を「時短状態」といい、作動していない状態を「非時短状態」という。時短状態および非時短状態では、図８（Ａ）に示す当り判定テーブルを用いて当否判定を行う。具体的には、特別図柄当否判定で大当りと判定される確率（大当り確率）が、第１特別図柄と第２特別図柄ともに「１／２１５．５７」となっている。また、特別図柄当否判定で小当りと判定される確率（小当り確率）は、第１特別図柄が「１／１９．９９」、第２特別図柄が「１／４．０７」となっており、第２特別図柄の小当り確率が第１特別図柄の小当り確率よりも高くなっている（図８（Ａ）を参照）。
【００８５】
また、時短状態では、特別図柄の変動時間（変動表示の開始時から確定表示時までの時間）の平均値が、非時短状態における特別図柄の変動時間の平均値よりも短くなっている。すなわち、時短状態においては、変動時間の短い変動パターンが選択されることが非時短状態よりも多くなるように定められた変動パターンテーブルを用いて、変動パターンの判定を行う（図９参照）。その結果、時短状態では、特図保留の消化のペースが速くなり、始動口への有効な入球（特図保留として記憶され得る入球）が発生しやすくなる。そのため、スムーズな遊技の進行のもとで大当りを狙うことができる。
【００８６】
普通図柄についての確率変動機能及び変動時間短縮機能は、特別図柄の変動時間短縮機能に同期して作動するようになっている。すなわち、普通図柄の確率変動機能及び変動時間短縮機能は、特別図柄の時短状態において作動し、非時短状態において作動しない。よって、時短状態では、普通図柄当否判定における当り確率が非時短状態よりも高くなっている。すなわち、当りと判定される普通図柄乱数（当り乱数）の値が非時短状態で用いる普通図柄当り判定テーブルよりも多い普通図柄当り判定テーブルを用いて、普通図柄当否判定（普通図柄の判定）を行う（図８（Ｅ）参照）。つまり、普通図柄表示器４２の確率変動機能が作動すると、作動していないときに比して、普通図柄の変動表示の結果が当りとなる（停止図柄が普通当り図柄となる）確率が高くなる。
【００８７】
また時短状態では、普通図柄の変動時間が非時短状態よりも短くなっている。本実施例１では、普通図柄の変動時間は非時短状態では３０秒であるが、時短状態では１秒である（図８（Ｅ）参照）。さらに時短状態では、補助遊技における第２始動口２１の開放時間が、非時短状態よりも長くなっている。すなわち、可変入賞装置２２の開放時間延長機能が作動している。加えて時短状態では、補助遊技における第２始動口２１の開放回数が非時短状態よりも多くなっている。すなわち、可変入賞装置２２の開放回数増加機能が作動している。具体的に、非時短状態において普通図柄当否判定の結果が当りになると、可変入賞装置２２の開閉部材３７が０．２秒の開放動作を１回行い、その期間第２始動口が開状態となる。また時短状態において普通図柄当否判定の結果が当りになると、可変入賞装置２２の開閉部材３７が２．０秒の開放動作を３回行うものとされる。尚、開放時間延長機能と開放回数増加機能を総称して単に「開放延長機能」ということがある。
【００８８】
普通図柄についての確率変動機能及び変動時間短縮機能、並びに、可変入賞装置２２の開放延長機能が作動している状況下では、これらの機能が作動していない場合に比して、第２始動口２１が頻繁に開放され、第２始動口２１へ遊技球の入球頻度が高くなる（「高頻度状態」ともいう）。その結果、発射球数に対する賞球数の割合であるベースが高くなる。従って、これらの機能が作動している状態を「高ベース状態」といい、作動していない状態を「低ベース状態」という。高ベース状態では、手持ちの遊技球を大きく減らすことなく大当りを狙うことができる。
【００８９】
高ベース状態（高頻度状態）は、上記の全ての機能が作動するものでなくてもよい。すなわち、普通図柄についての確率変動機能及び変動時間短縮機能、並びに、可変入賞装置２２の開放時間延長機能及び開放回数増加機能のうち少なくとも一つの機能の作動によって、その機能が作動していないときよりも第２始動口が開放され易く（入球頻度が高く）なっていればよい。また、高ベース状態は、特別図柄の時短状態に付随せずに独立して制御されるようにしてもよい。この様な高ベース状態を発生する機能を「高ベース発生機能」ということもできる。
【００９０】
本実施例１のパチンコ遊技機１では、「特図１大当りＡ、Ｄ」又は「特図２大当りＡ、Ｂ、Ｄ」となった場合の大当り遊技終了後の遊技状態は時短状態且つ高ベース状態となる（図６参照）。この遊技状態を「時短高ベース状態」ともいう。時短高ベース状態は、所定回数（例えば１００回）の特別図柄の変動表示が実行されるか、大当りに当選してその大当り遊技が実行されるか、小当りに当選してその小当り遊技中に遊技球が特定領域３９を通過してＶ大当りとなりその大当り遊技が実行されることにより終了する。また、「特図１大当りＢ、Ｃ」又は「特図２大当りＣ」となった場合の大当り遊技終了後の遊技状態は非時短状態且つ低ベース状態となる（図６参照）。この遊技状態を「非時短低ベース状態」ともいう。尚、パチンコ遊技機１を初めて遊技する場合において電源投入後の（初期状態の）遊技状態は非時短低ベース状態（通常状態）である。
【００９１】
さらに、「特図２小当りＡ、Ｂ、Ｄ」となって小当り遊技中に遊技球が特定領域３９を通過してＶ大当りとなった場合の大当り遊技終了後の遊技状態は時短高ベース状態となり（図６参照）、「特図１小当りＡ、Ｂ」又は「特図２小当りＣ」となってその小当り遊技中に遊技球が特定領域３９を通過してＶ大当りとなった場合の大当り遊技終了後の遊技状態は非時短低ベース状態となる（図６参照）。尚、小当り遊技中に遊技球が特定領域３９を通過しなかった場合（Ｖ大当りとならなかった場合）、小当り遊技終了後の遊技状態は原則、小当り遊技開始前と同じ状態となる。但し、時短高ベース状態にて当該時短高ベース状態が終了することとなる最終回（本実施例では１００回目）の特別図柄の変動表示で小当り図柄が停止表示され、これに係る小当り遊技中に遊技球が特定領域３９を通過しなかった場合（Ｖ大当りとならなかった場合）には、小当り遊技終了後の遊技状態は非時短低ベース状態となる。
【００９２】
高ベース状態では、右打ちにより右遊技領域（右側領域）３Ｂへ遊技球を進入させた方が有利に遊技を進行できる。第２始動口は、右遊技領域に発射した遊技球が入球可能であって、左遊技領域に発射した遊技球が入球不能な位置に配置されている。尚、ゲート２８も右遊技領域に発射した遊技球が入球可能な位置に配置されている。そして、高ベース状態では、低ベース状態と比べて第２始動口２１が開放されやすくなっており、左遊技領域に遊技球を発射して第１始動口２０を狙うよりも、右遊技領域に遊技球を発射して第２始動口２１へ狙って発射する方が始動口への入球可能性が高くされている。そのため、普通図柄当否判定の契機となるゲート２８へ遊技球を通過させつつ、第２始動口２１へ遊技球を入球させるべく右打ちを行う。これにより高ベース状態では、左打ちをするよりも右打ちをする方が、多数の始動入球（特別図柄当否判定の機会）を得ることができ、遊技者に有利である。この状態（高ベース状態）のとき、主制御部８０によって表示制御される発射方向表示器４７（「第１発射報知手段」ともいう）が所定の態様で点灯制御され、右遊技領域へ発射すべきことを報知するものとされる。また、本実施例では、大当り遊技や小当り遊技においても、右打ちにより遊技を行うため、発射方向表示器４７は、右遊技領域へ発射すべきことを報知するものとされる。
【００９３】
これに対して、低ベース状態では、左打ちにより左遊技領域（左側領域）３Ａへ遊技球を進入させた方が有利に遊技を進行できる。第１始動口は、左遊技領域に発射した遊技球が入球可能な位置に配置されている。また、第１始動口へは右遊技領域に発射した遊技球が入球不能に配置しても良いし、入球可能に配置しても良い。入球可能に配置する場合には、左遊技領域に遊技球を発射した方が、右遊技領域に遊技球を発射するよりも、第１始動口への遊技球の入球可能性を高くするものとする。また、低ベース状態では、高ベース状態と比べて第２始動口２１が開放されにくくなっているため、右遊技領域に発射して第２始動口２１への入球を狙うよりも、左遊技領域に発射して第１始動口２０への入球を狙って発射する方が、始動口への入球可能性が高くされている。これにより、低ベース状態では、第１始動口２０へ遊技球を入球させるべく左打ちを行う方が、右打ちするよりも、多数の始動入球（特別図柄当否判定の機会）を得ることができ、遊技者に有利である。この状態（低ベース状態）のとき、主制御部８０によって表示制御される発射方向表示器４７が高ベース状態のときとは異なる所定の態様で点灯制御（表示制御）され、左遊技領域へ発射すべきことを報知するものとされる。
【００９４】
具体的には発射方向表示器４７は、「ｙｚ」の２個のＬＥＤで構成されており、遊技状態に応じてＬＥＤを点灯させることにより発射方向を示すものである。例えば、低ベース状態では、「ｙ□ｚ□」（例えば、□：消灯、■：点灯とする）というように両ＬＥＤを消灯する表示態様として左遊技領域へ発射すべきことを報知することができる。また、高ベース状態及び当り遊技の実行中は、「ｙ■ｚ■」（例えば、□：消灯、■：点灯とする）というように両ＬＥＤを点灯する表示態様として右遊技領域へ発射すべきことを報知することができる。
【００９５】
［主制御メイン処理］
次に、図１０〜図３８に基づいて遊技制御用マイコン８１の動作（主制御部による制御処理）について説明する。尚、遊技制御用マイコン８１の動作説明にて登場するカウンタ、フラグ、ステータス、バッファ等は、主制御基板８０のＲＡＭに設けられている。主制御基板８０に備えられた遊技制御用マイコン８１は、パチンコ遊技機１の電源がオンされると、主制御基板８０のＲＯＭから図１０に示した主制御メイン処理のプログラムを読み出して実行する。
【００９６】
同図に示すように、主制御メイン処理では、まず初期設定を行う（S101）。初期設定では例えば、スタックの設定、定数設定、割り込み時間の設定、主制御基板８０のＣＰＵの設定、ＳＩＯ、ＰＩＯ、ＣＴＣ（割り込み時間用コントローラ）の設定や、各種のフラグ、ステータス及びカウンタのリセット等を行う。フラグの初期値は「０」つまり「ＯＦＦ」であり、ステータスの初期値は「１」であり、カウンタの初期値は「０」である。尚初期設定（S101）は、電源投入後に一度だけ実行され、それ以降は実行されない。尚、本実施例１及び図面において、普通図柄を「普図」、特別図柄を「特図」、第１特別図柄を「特図１」「第１特図」、第２特別図柄を「特図２」「第２特図」ということがある。
【００９７】
初期設定（S101）に次いで、割り込みを禁止し（S102）、普通図柄・特別図柄主要乱数更新処理（S103）を実行する。この普通図柄・特別図柄主要乱数更新処理（S103）では、図７に示した種々の乱数カウンタの値を１加算する更新を行う。各乱数カウンタの値は上限値に至ると「０」に戻って再び加算される。尚各乱数カウンタの初期値は「０」以外の値であってもよく、ランダムに変更されるものであってもよい。更新された乱数カウンタ値は主制御基板８０のＲＡＭの所定の更新値記憶領域（図示せず）に逐次記憶される。
【００９８】
普通図柄・特別図柄主要乱数更新処理（S103）が終了すると、割り込みを許可する（S104）。割り込み許可中は、割り込み処理（S105）の実行が可能となる。この割り込み処理（S105）は、例えば４ｍｓ周期で主制御基板８０のＣＰＵに繰り返し入力される割り込みパルスに基づいて実行される。そして、割り込み処理（S105）が終了してから、次に割り込み処理（S105）が開始されるまでの間に、普通図柄・特別図柄主要乱数更新処理（S103）による各種カウンタ値の更新処理が繰り返し実行される。尚、割り込み禁止状態のときにＣＰＵに割り込みパルスが入力された場合は、割り込み処理（S105）はすぐには開始されず、割り込み許可（S104）がされてから開始される。
【００９９】
［割り込み処理］
次に、割り込み処理（S105）について説明する。図１１に示すように、割り込み処理（S105）では、まず出力処理（S201）を実行する。出力処理（S201）では、以下に説明する各処理において主制御基板８０のＲＡＭに設けられた出力バッファにセットされたコマンド（制御信号）等を、サブ制御基板９０や払出制御基板１１０等に出力する。ここで出力するコマンド等には、遊技状態、特別図柄当否判定の結果、当り種別としての図柄（大当り図柄、小当り図柄）、変動パターン等に関する情報等が挙げられる。尚コマンドは、例えば２バイトの情報からなる。上位１バイトは、コマンドの種類に関する情報であり、下位１バイトはコマンドの内容に関する情報である。
【０１００】
出力処理（S201）に次いで行われる入力処理（S202）では、主にパチンコ遊技機１に取り付けられている各種センサ（第１始動口センサ２０ａ、第２始動口センサ２１ａ、第１大入賞口センサ３０ａ、第２大入賞口センサ３５ａ、一般入球口センサ２７ａ等（図５参照））が検知した検知信号を読み込み、賞球情報としてＲＡＭの出力バッファに記憶する。また、下皿６２の満杯を検知する下皿満杯スイッチからの検知信号も取り込み、下皿満杯データとしてＲＡＭ８４の出力バッファに記憶する。
【０１０１】
次に行われる普通図柄・特別図柄主要乱数更新処理（S203）は、図１０の主制御メイン処理で行う普通図柄・特別図柄主要乱数更新処理（S103）と同じである。即ち、図７に示した各種乱数カウンタ値（普通図柄乱数カウンタ値も含む）の更新処理は、タイマ割り込み処理（S105）の実行期間と、それ以外の期間（割り込み処理（S105）の終了後、次の割り込み処理（S105）が開始されるまでの期間）との両方で行われている。
【０１０２】
普通図柄・特別図柄主要乱数更新処理（S203）に次いで、後述する始動口センサ検知処理（S204）、普図動作処理（S205）、特図動作処理（S206）、保留球数処理（S207）、電源断監視処理（S208）、及び情報出力処理（S209）を実行する。その後、その他の処理（S209）を実行して、割り込み処理（S105）を終了する。そして、次に主制御基板８０のＣＰＵに割り込みパルスが入力されるまでは主制御メイン処理のS102〜S104の処理が繰り返し実行され（図１０参照）、割り込みパルスが入力されると（約４ｍｓｅｃ後）、再び割り込み処理（S105）が実行される。再び実行された割り込み処理（S105）の出力処理（S201）においては、前回の割り込み処理（S105）にてＲＡＭの出力バッファにセットされたコマンド等が出力される。ここで、詳細は後述するが、情報出力処理では、主制御基板８０の遊技制御用マイコン８１で生成された種々の信号（遊技情報）を、情報出力回路８２を介して遊技機外部に出力するための処理である。そして外部出力装置８３（「ターミナル基板」ともいう）に設けられたターミナル（端子）に、外部機器（ホールコンピュータ等の配線）を接続することで、当該外部機器は、遊技制御用マイコン８１から出力される各種遊技情報を受信することが可能となる（図５及び図４１）。
【０１０３】
［始動口センサ検知処理］
図１２に示すように、始動口センサ検知処理（S204）ではまず、ゲート２８に遊技球が通過したか否か、即ち、ゲートセンサ２８ａによって遊技球が検知されたか否かを判定する（S301）。ゲート２８を遊技球が通過していれば（S301でYES）、普通図柄保留球数（普図保留の数、具体的にはＲＡＭに設けた普図保留の数をカウントするカウンタの値）が４以上であるか否かを判定し（S302）、遊技球がゲート２８を通過していなければ（S301でNO）、S305に進む。
【０１０４】
普通図柄保留球数が４以上であれば（S302でYES）、S305に進む。一方、普通図柄保留球数が４以上でなければ（S302でNO）、普通図柄保留球数に「１」を加算し（S303）、普通図柄乱数取得処理（S304）を行う。普通図柄乱数取得処理（S304）では、ＲＡＭの更新値記憶領域（図示せず）に記憶されている普通図柄当否判定用乱数カウンタの値（ラベル−ＴＲＮＤ−Ｈ、図７（Ｂ））を取得し、その取得乱数値（入球情報）を、主制御基板８０のＲＡＭに設けられた普図保留記憶部のうち現在の普通図柄保留球数に応じたアドレス空間に格納する。
【０１０５】
S305では、第２始動口２１に遊技球が入球したか否か、即ち、第２始動口センサ２１ａによって遊技球が検知されたか否かを判定する（S305）。第２始動口２１に遊技球が入球していない場合（S305でNO）にはS309に進むが、第２始動口２１に遊技球が入球した場合には（S305でYES）、特図２保留球数（第２特図保留の数、具体的には主制御部８０のＲＡＭに設けた第２特図保留の数をカウントするカウンタの数値）が１個（上限数）に達しているか否かを判定する（S306）。そして、特図２保留球数が１個に達している場合（S306でYES）には、S309に進むが、特図２保留球数が１個未満、すなわち特図２保留がない場合には（S306でNO）、特図２保留球数に１を加算する（S307）。
【０１０６】
続いて特図２関係乱数取得処理（S308）を行う。特図２関係乱数取得処理（S308）では、ＲＡＭの更新値記憶領域（図示せず）に記憶されている特別図柄当否判定用乱数カウンタの値（ラベル−ＴＲＮＤ−Ａ）、大当り種別決定用乱数カウンタの値（ラベル−ＴＲＮＤ−ＡＳ）、小当り種別決定用乱数カウンタの値（ラベル−ＴＲＮＤ−ＫＳ）、リーチ乱数カウンタの値（ラベル−ＴＲＮＤ−ＲＣ）及び変動パターン乱数カウンタの値（ラベル−ＴＲＮＤ−Ｔ１）を取得し（つまり図７（Ａ）に示す乱数の値を取得し）、それら取得乱数値（入球情報）を第２特図保留記憶部のうち現在の特図２保留球数に応じたアドレス空間に格納する。
【０１０７】
続いて始動口センサ検知処理（S204）では、第１始動口２０に遊技球が入球したか否か、即ち、第１始動口センサ２０ａによって遊技球が検知されたか否かを判定する（S309）。第１始動口２０に遊技球が入球していない場合（S309でNO）には処理を終えるが、第１始動口２０に遊技球が入球した場合には（S309でYES）、特図１保留球数（第１特図保留の数、具体的には主制御部８０のＲＡＭに設けた第１特図保留の数をカウントするカウンタの数値）が４個（上限数）に達しているか否かを判定する（S310）。そして、特図１保留球数が４個に達している場合（S310でYES）には、処理を終えるが、特図１保留球数が４個未満である場合には（S310でNO）、特図１保留球数に「１」を加算する（S311）。
【０１０８】
続いて特図１関係乱数取得処理（S312）を行う。特図１関係乱数取得処理（S312）では、特図２関係乱数取得処理（S308）と同様に、ＲＡＭの更新値記憶領域（図示せず）に記憶されている特別図柄当否判定用カウンタの値（ラベル−ＴＲＮＤ−Ａ）、大当り種別決定用乱数カウンタの値（ラベル−ＴＲＮＤ−ＡＳ）、小当り種別決定用乱数カウンタの値（ラベル−ＴＲＮＤ−ＫＳ）、リーチ乱数カウンタの値（ラベル−ＴＲＮＤ−ＲＣ）及び変動パターン乱数カウンタの値（ラベル−ＴＲＮＤ−Ｔ１）を取得し（つまり図７（Ａ）に示す乱数値を取得し）、それら取得乱数値を第１特図保留記憶部のうち現在の特図１保留球数に応じたアドレス空間に格納する。
【０１０９】
［普図動作処理］
遊技制御用マイコン８１は、始動口センサ検知処理（S204）に次いで、図１３に示す普図動作処理（S205）を行う。普図動作処理（S205）では、普通図柄表示器４２および可変入賞装置２２に関する処理を４つの段階に分け、それらの各段階に「普図動作ステータス１、２、３、４」を割り当てている。そして、「普図動作ステータス」が「１」である場合には（S401でYES）、普通図柄待機処理（S402）を行い、「普図動作ステータス」が「２」である場合には（S401でNO、S403でYES）、普通図柄変動中処理（S404）を行い、「普図動作ステータス」が「３」である場合には（S401、S403で共にNO、S405でYES）、普通図柄確定処理（S406）を行い、「普図動作ステータス」が「４」である場合には（S401、S403、S405の全てがNO）、普通電動役物処理（S407）を行う。尚普図動作ステータスは、初期設定では「１」である。
【０１１０】
［普通図柄待機処理］
図１４に示すように、普通図柄待機処理（S402）ではまず、普通図柄の保留球数が「０」であるか否かを判定し（S501）、「０」であれば（S501でYES）この処理を終える。一方「０」でなければ（S501でNO）、後述の普通図柄当否判定処理を行う（S502）。また、普通図柄当否判定処理（S502）に次いで、普通図柄変動パターン選択処理を行う（S503）。普通図柄変動パターン選択処理では、図８（Ｅ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３０秒の普通図柄変動パターンを選択する。また普通図柄変動パターン選択処理に次いで後述の普通図柄乱数シフト処理（S504）を行う。また、普通図柄乱数シフト処理（S504）に次いで、普通図柄変動開始処理を行い（S505）、処理を終える。普通図柄変動開始処理では、S503で選択した普通図柄変動パターンにて普通図柄の変動表示を開始するとともに、普通動作ステータスを「２」にセットする。また普通図柄変動開始処理では、サブ制御基板９０に普通図柄の変動開始を知らせるため、普通図柄変動開始コマンドをセットする。
【０１１１】
［普通図柄当否判定処理］
図１５に示すように、普通図柄当否判定処理（S502）ではまず、普図保留記憶部に格納されている普通図柄当否判定用乱数カウンタの値（ラベル−ＴＲＮＤ−Ｈ）を読み出す（S601）。次いで、時短フラグがＯＮか否か（すなわち遊技状態が時短状態であるか否か）を判定する（S602）。S602で、時短フラグがＯＮである、すなわち時短状態であると判定した場合（S602でYES）、図８（Ｄ）に示す普通図柄当り判定テーブルのうち時短状態用のテーブル（当り判定値が「０」〜「２３９」）に基づく高確率普図当否判定により、当りか否かを判定し（S604）、S605の処理に移行する。すなわち、読み出した普通図柄当否判定用乱数カウンタの値（ラベル−ＴＲＮＤ−Ｈ）が当り判定値の何れかと一致するか否かを判定する。一方、S602で、時短フラグがＯＮでない、すなわち、非時短状態であると判定した場合（S602でNO）、図８（Ｄ）に示す普通図柄当り判定テーブルのうち非時短状態用のテーブル（当り判定値が「０」、「１」）に基づく低確率普図当否判定により、当りか否かを判定し（S603）、S605の処理に移行する。
そして、S605で、普図当否判定（S603、S604）の結果が、当り（普図当り）か否かを判定し（S605）、外れと判定した場合（S605でNO）、停止表示する外れ普通図柄（普図外れ図柄）を決定し（S606）、処理を終える。一方、S605で当り（普図当り）と判定した場合（S605でYES）、停止表示する当り普通図柄（普図当り図柄）を決定し（S607）、普図当りフラグをＯＮにして（S608）、処理を終える。
【０１１２】
［普通図柄乱数シフト処理］
普通図柄変動パターン選択処理（S503）に次いで普通図柄乱数シフト処理（S504）を実行する。図１６に示すように、普通図柄乱数シフト処理（S504）ではまず、普通図柄保留球数を１ディクリメントする（S701）。次いで、普図保留記憶部における各普図保留の格納場所を、現在の位置から読み出される側に一つシフトする（S702）。そして、普図保留記憶部における最上位の保留記憶の格納場所であるアドレス空間を空（「０」）にして、即ち普図保留の４個目に対応するＲＡＭ領域を０クリアして（S703）、処理を終える。このようにして、普図保留が保留順に消化されるようにしている。
【０１１３】
［普通図柄変動中処理］
図１７に示すように、普通図柄変動中処理（S404）ではまず、普通図柄の変動時間が経過したか否かを判定し（S801）、経過していなければ（S801でNO）処理を終える。一方、経過していれば（S801でYES）、普通図柄変動停止コマンドをセットする（S802）とともに、普図動作ステータスを「３」にセットする（S803）。そして、普通図柄の変動表示を、普通図柄当否判定用乱数の判定結果に応じた表示結果（当り普通図柄又は外れ普通図柄）で停止させる等のその他の処理を行ってから（S804）、この処理を終える。
【０１１４】
［普通図柄確定処理］
図１８に示すように、普通図柄確定処理（S406）ではまず、普図当りフラグがＯＮであるか否かを判定する（S901）。普図当りフラグがＯＮでなければ（S901でNO）、普図動作ステータスを「１」にセットして（S905）、この処理を終える。一方、普図当りフラグがＯＮであれば（S901でYES）、続いて時短フラグがＯＮであるか否か、すなわち時短状態中か否かを判定する（S902）。そして時短状態中であれば（S902でYES）、可変入賞装置２２（第２始動口２１）の開放パターンとして時短状態中の開放パターンをセットする（S903）。時短状態中の開放パターンとは、前述の通り、２．０秒の開放を３回繰り返す開放パターンである。従って、第２始動口２１の開放回数をカウントする第２始動口開放カウンタに「３」をセットする。
【０１１５】
これに対して、非時短状態中であれば（S902でNO）、可変入賞装置２２（第２始動口２１）の開放パターンとして非時短状態中の開放パターンをセットする（S906）。非時短状態中の開放パターンとは、前述の通り、０．２秒の開放を１回行う開放パターンである。従って、第２始動口開放カウンタに「１」をセットする。そして、開放パターンのセット（S903、S906）に続いて、普図動作ステータスを「４」にセットし（S904）、この処理を終える。
【０１１６】
［普通電動役物処理］
図１９に示すように、普通電動役物処理（S407）ではまず、普図当り終了フラグがＯＮであるか否かを判定する（S1001）。普図当り終了フラグは、当りとなって実行された補助遊技において、第２始動口２１の開放が終了したことを示すフラグである。
【０１１７】
普図当り終了フラグがＯＮでなければ（S1001でNO）、第２始動口２１の開放中か否かを判定する（S1002）。開放中でなければ（S1002でNO）、第２始動口２１を開放させる時期（タイミング）に至ったか否かを判定し（S1003）、至っていなければ（S1003でNO）処理を終え、至っていれば第２始動口２１を開放させ（S1004）、処理を終える。一方、第２始動口２１の開放中であれば（S1002でYES）、第２始動口２１を閉鎖させる時期（タイミング）に至ったか否か（すなわち第２始動口２１を開放してから予め定められた開放時間が経過したか否か）を判定し（S1005）、至っていなければ（S1005でNO）処理を終え、至っていれば（S1005でYES）第２始動口２１を閉状態（閉鎖）とする（S1006）。
【０１１８】
そして第２始動口２１の閉鎖処理（S1006）に次いで、第２始動口開放カウンタの値を１ディクリメントし（S1007）、第２始動口開放カウンタの値が「０」であるか否かを判定する（S1008）。「０」でなければ（S1008でNO）、再び第２始動口２１を開放させるためにそのまま処理を終える。一方「０」であれば（S1008でYES）、補助遊技を終了させる普図当り終了処理を行う（S1009）とともに、普図当り終了フラグをセットして（S1010）処理を終える。尚、第２始動口開放カウンタは、時短状態中であれば第２始動口２１の開放（可動部材２３の開放動作）が３回なされると「０」になり、非時短状態中であれば第２始動口２１の開放が１回なされると「０」になる。
【０１１９】
これに対してS1001において普図当り終了フラグがＯＮであれば（S1001でYES）、S903又はS906にてセットされた回数の第２始動口２１の開放動作は終了しているので、普図当り終了フラグをＯＦＦするとともに（S1011）、普図当りフラグをＯＦＦし（S1012）、普図動作ステータスを「１」にセットして（S1013）処理を終える。これにより、次回の割り込み処理において、普図動作処理（図１３）として再び普通図柄待機処理（S402）が実行されることになる。
【０１２０】
［特図動作処理］
図１１に示すように遊技制御用マイコン８１は、普図動作処理（S205）に次いで特図動作処理（S206）を行う。特図動作処理（S206）では、図２０に示すように、特別図柄表示器４１及び大入賞装置（第１大入賞装置３１及び第２大入賞装置３６）に関する処理を５つの段階に分け、それらの各段階に「特図動作ステータス１、２、３、４、５」を割り当てている。そして、「特図動作ステータス」が「１」である場合には（S1101でYES）、特別図柄待機処理（S1102）を行い、「特図動作ステータス」が「２」である場合には（S1101でNO、S1103でYES）、特別図柄変動中処理（S1104）を行い、「特図動作ステータス」が「３」である場合には（S1101、S1103で共にNO、S1105でYES）、特別図柄確定処理（S1106）を行い、「特図動作ステータス」が「４」である場合には（S1101、S1103、S1105で共にNO、S1107でYES）、大当り遊技としての特別電動役物処理１（S1108）を行い、「特図動作ステータス」が「５」である場合には（S1101、S1103、S1105、S1107の全てがNO）、小当り遊技としての特別電動役物処理２（S1109）を行う。尚、特図動作ステータスは、初期設定では「１」である。
【０１２１】
［特別図柄待機処理］
図２１に示すように、特別図柄待機処理（S1102）ではまず、第２始動口２１の保留球数（即ち特図２保留球数）が「０」であるか否かを判定する（S1201）。特図２保留球数が「０」である場合（S1201でYES）、即ち、第２始動口２１への入球に基づいて取得される乱数カウンタ値の記憶がない場合には、第１始動口２０の保留球数（即ち特図１保留球数）が「０」であるか否かを判定する（S1206）。そして、特図１保留球数も「０」である場合（S1206でYES）、即ち、第１始動口２０への入球に基づいて取得される乱数カウンタ値の記憶もない場合には、画像表示装置７の表示画面７ａを待機画面とする処理中（客待ち用のデモ画面の実行中）であるか否かを判定し（S1211）、そうであれば（S1211でYES）処理を終え、そうでなければ（S1211でNO）待機画面を表示するために待機画面設定処理を実行する（S1212）。
【０１２２】
S1201において特図２保留球数が「０」でない場合（S1201でNO）、即ち、第２始動口２１への入球に基づいて取得される乱数カウンタ値の記憶が１つ以上ある場合には、後述の特図２当否判定処理（S1202）、特図２変動パターン選択処理（S1203）、特図２乱数シフト処理（S1204）、特図２変動開始処理（S1205）をこの順に行う。また、特図２保留球数が「０」であるが特図１保留球数が「０」でない場合（S1201でYES、S1206でNO）、即ち、第２始動口２１に係る乱数カウンタ値の記憶はないが、第１始動口２０への入球に基づいて取得される乱数カウンタ値の記憶が１つ以上ある場合には、後述の特図１当否判定処理（S1207）、特図１変動パターン選択処理（S1208）、特図１乱数シフト処理（S1209）、特図１変動開始処理（S1210）をこの順に行う。このように本実施例１では、第１特図保留に基づく第１特別図柄の変動表示は、第２特図保留が「０」の場合（S1201でYESの場合）に限って行われる。すなわち第２特図保留の消化（第２特別図柄の変動表示）は、第１特図保留の消化（第１特別図柄の変動表示）に優先して実行される。そして本実施例１では、第２特図保留に基づく当否判定の方が、第１特図保留に基づく当否判定よりも、遊技者にとって利益の大きい大当りになりやすくなっている（図８（Ｂ））。
【０１２３】
［特図２当否判定処理］
図２２に示すように、特図２当否判定処理（S1202）ではまず、判定値として、ＲＡＭの第２特図保留記憶部の最下位の領域（即ち第２特図保留の１個目に対応するＲＡＭ領域）に記憶されている（最も古い記憶の）特別図柄当否判定用乱数カウンタの値（ラベル−ＴＲＮＤ−Ａ）を読み出す（S1302）。次いで、図８（Ａ）の当り判定テーブルに基づいて当否判定を行う（S1303）。この当り判定テーブルでは、特図１の当否判定および特図２の当否判定における大当り判定値は「６５５２３２〜６５５３５」とされている（大当り確率：。また、特図１の当否判定における特図１小当り判定値は「１〜３２７７」とされており、特図２の当否判定における特図２小当り判定値は「１〜１６０８０」とされている。
【０１２４】
当否判定（S1303）の結果が「大当り」と判定した場合（S1304でYES）、大当り種別決定用乱数カウンタの値（ラベル−ＴＲＮＤ−ＡＳ）を読み出して、図８（Ｂ）に示す大当り種別判定テーブルに基づいて大当り種別を判定し（S1310）、当該大当り種別決定用乱数の値に基づいて大当り図柄を決定し（S1311）、大当りフラグをＯＮにして（S1312）、処理を終える。尚、第１特別図柄に係る当否判定の場合は、第１特別図柄用の大当り種別判定テーブルを用いて大当り種別を判定し、第２特別図柄に係る当否判定の場合は、第２特別図柄用の大当り種別判定テーブルを用いて大当り種別を判定する。また、大当り種別の判定は、当該判定を行うときの遊技状態（現在の遊技状態）に基づいて行う。すなわち、時短フラグがＯＮであるか否かを判定し、時短フラグがＯＮでなければ非時短状態用の大当り種別判定テーブルを用いて大当り種別を判定し、時短フラグがＯＮであれば時短状態用の大当り種別判定テーブルを用いて大当り種別を判定する。第２特別図柄（特図２）の当否判定（S1303）の結果が大当りと判定し、現在の遊技状態が非時短状態である場合、大当り種別は特図２大当りＡ、Ｂの何れか（４Ｒ大当りまたは１５Ｒ大当り）となり（図６（Ａ）、図８（Ｂ）を参照）、現在の遊技状態が時短状態である場合、大当り種別は特図２大当りＣ、Ｄの何れか（４Ｒ大当りまたは１５Ｒ大当り）となる（図６（Ｂ）、図８（Ｂ）を参照）。そして、本実施例１では、「特図２大当りＡに対応する特図２大当りフラグＡ、特図２大当りＢに対応する特図２大当りフラグＢ・・・」といったように、大当りフラグを大当り種別毎に対応して設けているので、S1312では、S1310で判定された大当り種別（S1310の判定結果）に対応する大当りフラグをＯＮにする。
【０１２５】
一方、当否判定（S1303）の結果が「大当り」でないと判定した場合（S1304でNO）、小当りか否かを判定する（S1305）。ここで、第１特別図柄に係る当否判定の場合は、特別図柄当否判定用乱数カウンタの値（ラベル−ＴＲＮＤ−Ａ）が特図１の小当り判定値である「１」〜「３２２７」の何れかと一致するか否かを判定し、第２特別図柄に係る当否判定の場合は、特別図柄当否判定用乱数カウンタの値（ラベル−ＴＲＮＤ−Ａ）が特図２の小当り判定値である「１」〜「１６０８０」の何れかと一致するか否かを判定する（図８（Ａ）を参照）。そして、「小当り」でないと判定した場合（S1305でNO）、外れ図柄を決定し（S1309）、処理を終える。つまり、当否判定（S1303）の結果が「大当り」でもなく「小当り」でもない場合（S1304でNO、S1305でNO）、その結果は「外れ」となる。
【０１２６】
一方、小当り判定（S1305）の結果が「小当り」であると判定した場合（S1305でYES）、小当り種別決定用乱数カウンタの値（ラベル−ＴＲＮＤ−ＫＳ）を読み出して、図８（Ｃ）に示す小当り種別判定テーブルに基づいて小当り種別を判定し（S1306）、当該小当り種別決定用乱数の値に基づいて小当り図柄を決定し（S1307）、小当りフラグをＯＮにして（S1308）、処理を終える。尚、第１特別図柄に係る当否判定の場合は、第１特別図柄用の小当り種別判定テーブルを用いて小当り種別を判定し、第２特別図柄に係る当否判定の場合は、第２特別図柄用の小当り種別判定テーブルを用いて小当り種別を判定する。また、小当り種別の判定は、当該判定を行うときの遊技状態（現在の遊技状態）に基づいて行う。すなわち、時短フラグがＯＮであるか否かを判定し、時短フラグがＯＮでなければ非時短状態用の小当り種別判定テーブルを用いて小当り種別を判定し、時短フラグがＯＮであれば時短状態用の小当り種別判定テーブルを用いて小当り種別を判定する。第２特別図柄（特図２）の当否判定にて小当りと判定した場合、現在の遊技状態が非時短状態であれば特図２小当りＡ，Ｂの何れかとなり（図６（Ｃ）、図８（Ｃ）を参照）、時短状態であれば特図２小当りＣ、Ｄの何れかとなる（図６（Ｄ）、図８（Ｃ）を参照）。そして、本実施例１では、「特図２小当りＡに対応する特図２小当りフラグＡ、特図２小当りＢに対応する特図２小当りフラグＢ・・・」といったように、小当りフラグを小当り種別毎に対応して設けているので、S1308では、S1306で判定された小当り種別（S1306の判定結果）に対応する小当りフラグをＯＮにする。
【０１２７】
［特図２変動パターン選択処理］
特別図柄待機処理（図２１）では、特図２当否判定処理（S1202）に次いで、特図２変動パターン選択処理を行う（S1203）。図２３及び図２４に示すように、特図２変動パターン選択処理（S1203）ではまず、遊技状態が時短状態か否か（時短フラグがＯＮか否か）を判定する（S1401）。そして、時短状態でなければ（S1401でNO）、すなわち非時短状態であれば、大当りフラグがＯＮか否かを判定し（S1402）、ＯＮであれば（S1402でYES）、非時短状態中大当り用テーブル（図９に示す変動パターンテーブルのうち非時短状態且つ大当りに該当する部分）を参照して、変動パターン乱数カウンタ値（ラベル−ＴＲＮＤ−Ｔ１）に基づいて変動パターンを選択する（S1403）。本処理では変動パターンＰ１，Ｐ２，Ｐ３の何れかが選択される。
【０１２８】
一方、大当りフラグがＯＮでなければ（S1402でNO）、小当りフラグがＯＮか否かを判定する（S1405）。そして、小当りフラグがＯＮであれば（S1405でYES）、非時短状態中小当り用テーブル（図９に示す変動パターンテーブルのうち非時短状態且つ小当りに該当する部分）を参照して、変動パターン乱数カウンタ値に基づいて変動パターンを選択する（S1409）。具体的には、本実施例１では必ず変動パターンＰ４が選択される。
【０１２９】
また、小当りフラグがＯＮでなければ（S1405でNO）、リーチ乱数カウンタ値（ラベル−ＴＲＮＤ−ＲＣ）がリーチ成立乱数値か否かを判定する（S1406）。図８（Ｄ）に示すように、リーチ成立乱数値は時短状態であれば「０」〜「５」であり、非時短状態であれば「０」〜「１３」である。すなわち、時短状態の方が非時短状態よりも外れ時のリーチがかかりにくくなっている。これは、時短状態において変動時間の短いリーチ演出無し外れがより多く選択されようにすることで、特図保留の消化スピードを早めるためである。
【０１３０】
リーチ乱数カウンタ値（ラベル−ＴＲＮＤ−ＲＣ）がリーチ成立乱数値である場合（S1406でYES）、即ち、リーチ有外れの場合には、非時短状態中リーチ有外れ用テーブル（図９に示す変動パターンテーブルのうち非時短状態且つリーチ有外れに該当する部分）を参照して、変動パターン乱数カウンタ値に基づいて変動パターンを選択する（S1407）。本実施例１では、変動パターンＰ５又はＰ６が選択される。
【０１３１】
リーチ乱数カウンタ値（ラベル−ＴＲＮＤ−ＲＣ）がリーチ成立乱数値でない場合（S1406でNO）、即ち、リーチ無外れの場合には、非時短状態中リーチ無外れ用テーブル（図９に示す変動パターンテーブルのうち非時短状態且つリーチ無外れに該当する部分）を参照して、変動パターン乱数カウンタ値に基づいて変動パターンを選択する（S1408）。このリーチ無外れ時には、保留球数に応じた短縮変動の機能が働くようになっている。すなわち、特別図柄の保留球数が「３」又は「４」であるときは、特別図柄の保留球数が「０」〜「２」であるときに比して変動時間の短い変動パターンが選択されるようになっている。本実施例１では、変動パターンＰ７又はＰ８が選択される。
【０１３２】
またS1401において、遊技状態が時短状態であると判定した場合（S1401でYES）には、図２４に示すように、参照する変動パターンテーブルを時短状態中用のテーブル（図９に示す変動パターンテーブルのうち時短状態に該当する部分）にする事以外は、上記ステップS1402〜S1609と同様の流れで処理（S1410〜S1416）を行う。すなわち、大当りであれば図９の時短状態中且つ大当りに該当する部分を参照し、小当りであれば図９の時短状態中且つ小当りに該当する部分を参照し、リーチ有外れであれば図９の時短状態中且つリーチ有外れに該当する部分を参照し、リーチ無外れであれば図９の時短状態中且つリーチ無外れに該当する部分を参照して、変動パターン乱数カウンタ値に基づいて変動パターンを選択する。
【０１３３】
尚、時短状態中の変動パターンテーブル（図９に示す変動パターンテーブルのうち時短状態に該当する部分）では、リーチ無外れ時の保留球数に応じた短縮変動の機能が保留球数「２」〜「４」のときに働く。すなわち、非時短状態中よりも短縮変動が選択され易くなっている。また、大当りに当選した場合に、非時短状態中よりも変動時間の短い変動パターンが選択され易くなっている。つまり、時短状態中の変動パターンテーブルは、非時短状態中の変動パターンテーブルよりも特別図柄の変動時間の平均値が短くなるようなテーブルとなっている。
【０１３４】
前述のようにして変動パターンの選択を行った後は、図２３に示すその他の処理（S1404）を行ってこの処理を終える。尚、その他の処理（S1404）では、選択した変動パターンに応じた変動パターン指定コマンドをＲＡＭの出力バッファにセットする。セットした変動パターン指定コマンドは、後述の変動開始コマンドに含められて、出力処理（S201）によりサブ制御基板９０に送られる。
【０１３５】
［特図２乱数シフト処理］
図２５に示すように、特図２乱数シフト処理（S1204）ではまず、特図２保留球数を１ディクリメントする（S1501）。次いで、第２特図保留記憶部における各種カウンタ値の格納場所を、１つ下位側（例えば第２特図保留記憶部がアドレス「００００」〜「０００３」に対応するアドレス空間からなる場合、アドレス「００００」側）にシフトする（S1502）。そして、第２特図保留記憶部の最上位のアドレス空間に「０」をセットして、即ち、（上限数まで記憶されていた場合）第２特図保留の４個目に対応するＲＡＭ領域を０クリアして（S1503）、この処理を終える。
【０１３６】
特図２乱数シフト処理（S1204）を実行した後は、図２１の特図２変動開始処理（S1205）を実行する。特図２変動開始処理（S1205）では、特図動作ステータスを「２」にセットすると共に、変動開始コマンドをＲＡＭの出力バッファにセットして、第２特別図柄の変動表示を開始する。
【０１３７】
図２１の特別図柄待機処理（S1102）において、特図２保留球数が「０」であり、且つ、特図１保留球数が「０」でない場合（S1201でYES、S1206でNO）には、特図１当否判定処理（S1207）、特図１変動パターン選択処理（S1208）、特図１乱数シフト処理（S1209）、特図１変動開始処理（S1210）をこの順に行う。
【０１３８】
［特図１当否判定処理］
図２６に示すように、特図１当否判定処理（S1207）では、図２２に示した特図２当否判定処理（S1202）と同様の流れで処理（S1601〜S1612）を行う。従って本処理の詳細な説明は省略する。
【０１３９】
但し、本処理は特図１に関する処理であるので、S1601では、ＲＡＭの第１特図保留記憶部の最下位の領域（即ち第１特図保留の１個目に対応するＲＡＭ領域）に記憶されている特別図柄当否判定用乱数カウンタ値（ラベル−ＴＲＮＤ−Ａ）を読み出し、図８（Ａ）の当り判定テーブルに基づいて当否判定を行う（S1603）。そして、第１特別図柄（特図１）の当否判定（S1603）の結果が大当りである場合（S1604でYES）、S1610にて判定される大当り種別は、現在の遊技状態が非時短状態でれば特図１大当りＡ，Ｂの何れか（４Ｒ大当りまたは６Ｒ大当り）となり（図６（Ａ）、図８（Ｂ）を参照）、時短状態であれば特図１大当りＣ、Ｄの何れか（４Ｒ大当りまたは６Ｒ大当り）となる（図６（Ｂ）、図８（Ｂ）を参照）。そして、本実施例１では、「特図１大当りＡに対応する特図１大当りフラグＡ、特図１大当りＢに対応する特図１大当りフラグＢ・・・」といったように、大当りフラグを大当り種別毎に対応して設けているので、S1612では、S1610で判定された大当り種別（S1610の判定結果）に対応する大当りフラグをＯＮにする。
【０１４０】
また、第１特別図柄（特図１）の当否判定（S1603）の結果が小当りである場合（S1605でYES）、S1606にて判定される小当り種別は、現在の遊技状態が非時短状態であれば特図１小当りＡとなり（図６（Ｃ）、図８（Ｃ）を参照）、時短状態であれば特図１小当りＢとなる（図６（Ｄ）、図８（Ｃ）を参照）。そして、本実施例１では、「特図１小当りＡに対応する特図１小当りフラグＡ、特図１小当りＢに対応する特図１小当りフラグＢ・・・」といったように、小当りフラグを小当り種別毎に対応して設けているので、S1608では、S1606で判定された小当り種別（S1606の判定結果）に対応する小当りフラグをＯＮにする。
【０１４１】
［特図１変動パターン選択処理］
図２７及び図２８に示すように、特図１変動パターン選択処理（S1208）では、図２３及び図２４に示した特図２変動パターン選択処理（S1203）と同様の流れで処理（S1701〜S1716）を行う。従って本処理の詳細な説明は割愛する。
【０１４２】
［特図１乱数シフト処理］
図２９に示すように、特図１乱数シフト処理（S1209）ではまず、特図１保留球数を１ディクリメントする（S1801）。次いで、第１特図保留記憶部における各種カウンタ値の格納場所を、１つ下位側にシフトする（S2002）。そして、第１特図保留記憶部の最上位のアドレス空間に「０」をセットして、即ち、（上限数まで記憶されていた場合）第１特図保留の４個目に対応するＲＡＭ領域を０クリアして（S1803）、この処理を終える。
【０１４３】
特図１乱数シフト処理（S1209）を実行した後は、図２１の特図１変動開始処理（S1210）を実行する。特図１変動開始処理（S1210）では、特図動作ステータスを「２」にセットすると共に、変動開始コマンドをＲＡＭの出力バッファにセットして、第１特別図柄の変動表示を開始する。
【０１４４】
［特別図柄変動中処理］
図３０に示すように、特別図柄変動中処理（S1104）ではまず、S1909で、変動表示を実行したのが第２特別図柄かどうかを判定する（S1909）。変動表示したのが第２特別図柄でない、すなわち第１特別図柄であると判定した場合（S1909でNO）、特図２連続変動フラグをＯＦＦし（既にＯＦＦであればＯＦＦのままとし）、S1901の処理に移行する。一方、変動表示したのが第２特別図柄であると判定した場合（S1909でYES）、次いで特図２停止フラグがＯＮかどうかを判定する（S1910）。S1910で、特図２停止フラグがＯＮでない、すなわち、特図１停止フラグがＯＮであるか又は何れの停止フラグもＯＮでない場合（S1910でNO）、S1901の処理に移行する。
【０１４５】
ここで、特図停止フラグとは、後述する特別図柄確定処理（S1106）において、特別図柄の変動表示を終了する際に、設定するフラグである。そして、変動表示を終了するのが第１特別図柄である場合には、特図１停止フラグをＯＮにし、変動表示を終了するのが第２特別図柄である場合には、特図２停止フラグをＯＮにすることとなる。従って、S1910で、特図２停止フラグがＯＮと判定されるのは、前回変動表示した特別図柄（前回停止表示した特別図柄）が第２特別図柄であることを意味し、特図１停止フラグがＯＮであると判定されるのは、前回変動表示した特別図柄（前回停止表示した特別図柄）が第１特別図柄であることを意味する。尚、電源投入後の１回目の特別図柄の変動表示においては、前回変動表示した特別図柄（前回停止表示した特別図柄）がないため、特図１停止フラグ及び特図２停止フラグの両フラグ共、ＯＦＦにされている。
【０１４６】
S1910で、特図２停止フラグがＯＮであると判定した場合（S1910でYES）、特図２連続変動フラグをＯＮにし（S1911）、S1901の処理に移行する。S1910で特図２停止フラグがＯＮであると判定した場合には、前回変動表示した特別図柄も、今回変動表示した特別図柄も、第２特別図柄である。すなわち、第２特別図柄が連続して変動表示した場合にＯＮにする「特図２連続変動フラグ」は、第２特別図柄が連続して変動表示したことを示すフラグである。本実施例のパチンコ遊技機では、低ベース状態においては、第２始動口への遊技球の入球が非常に困難な状態に設定されているため、当該低ベース状態で通常の態様で遊技を行っていれば、第２特別図柄が連続して変動表示する可能性は非常に低いものとされている。
【０１４７】
また、第２始動口への遊技球の入球を可能にする右打ち遊技を、低ベース状態で行うと、右打ち遊技の禁止を報知する左打ち報知演出が実行されるため、これに従い遊技を行うと、低ベース状態で第２特別図柄が連続して変動表示する可能性はないといえる。すなわち、第２特別図柄が連続して変動表示する状態、「特図２連続変動フラグ」がＯＮにされる状態は、高ベース状態、若しくは、後述する高ベース状態を経て設定された低ベース状態であるといえる。
【０１４８】
S1901では、特別図柄の変動時間（図２１のS1203又はS1208で選択された変動パターンに応じて決まる変動時間、図９参照）が経過したか否かを判定する（S1901）。変動時間が経過していないと判定した場合（S1901でNO）、処理を終える。これにより特別図柄の変動表示が継続される。
【０１４９】
一方、変動時間が経過したと判定した場合（S1901でYES）、変動停止コマンドをセットする（S1902）。そして、時短フラグがＯＮか否かを判定し（S1903）、ＯＮであれば（S1903でYES）、時短カウンタを１減算し（S1904）、時短カウンタの値が「０」か否かを判定する（S1905）。S1905で時短カウンタが「０」であると判定した場合、時短フラグをＯＦＦし、S1907の処理に移行する。一方、時短フラグがＯＮでないと判定した場合（S1903でNO）、S1907の処理に移行する。
【０１５０】
S1907では、特図動作ステータスを「３」にセットする（S1907）。そして、特別図柄の変動表示を、特別図柄当否判定乱数、大当り種別決定用乱数および小当り種別決定用乱数の判定結果に応じた結果で停止させる等のその他の処理を行い（S1908）、この処理を終える。
【０１５１】
［特別図柄確定処理］
図３１に示すように、特別図柄確定処理（S1106）ではまず、S2014〜S2020により、特別図柄停止時の特図停止フラグ設定処理を行う。S2014では、停止表示した特別図柄が第２特別図柄かどうかを判定する（S2014）。停止表示したのが第２特別図柄であると判定した場合（S2014でYES）、次いで特図１停止フラグがＯＮであるかどうかを判定し（S2015）、ＯＮであると判定した場合（S2015でYES）、今回停止表示したのは第２特別図柄であるので、特図１停止フラグをＯＦＦにし（S2016）、特図２停止フラグをＯＮにし（既にＯＮであればＯＮのまま維持する）（S2017）、S2001の処理に移行する。また、特図１停止フラグがＯＮでないと判定した場合（S2015でNO）、特図２停止フラグをＯＮにし（既にＯＮであればＯＮのまま維持する）（S2017）、S2001の処理に移行する。
【０１５２】
一方、S2014で、停止表示したのは第２特別図柄でないと判定した場合（S2014でNO）、次いで、特図２停止フラグがＯＮであるかどうかを判定し（S2018）、ＯＮであると判定した場合（S2018でYES）、今回停止表示したのは第１特別図柄であるので、特図２停止フラグをＯＦＦにし（S2019）、特図１停止フラグをＯＮにし（既にＯＮであればＯＮのまま維持する）（S2020）、S2001の処理に移行する。また、特図２停止フラグがＯＮでないと判定した場合（S2018でNO）、特図１停止フラグをＯＮにし（既にＯＮであればＯＮのまま維持する）（S2020）、S2001の処理に移行する。
【０１５３】
S2001では、大当りフラグがＯＮであるか否かを判定する（S2001）。大当りフラグがＯＮであれば（S2001でYES）、当該ＯＮとなっている大当りフラグに基づいて、大当り遊技中に実行するラウンドの回数をカウントするラウンドカウンタの値をセットするとともに、第１大入賞口３０の１ラウンドあたりの開放回数および開放時間（図６参照）をセットする（S2003）。上述したように、本実施例１では、特図１大当りに係る大当り遊技のラウンド数が「４Ｒ」「６Ｒ」、特図２大当りに係る大当り遊技のラウンド数が「４Ｒ」「１５Ｒ」の何れかとなることから、S2003では、ラウンドカウンタの値として「４」「６」「１５」の何れかをセットし、第１大入賞口３０の１ラウンドあたりの開放回数および開放時間として「１回」「２５秒」をセットする。
【０１５４】
S2003の処理を終えたら、大当り遊技を開始するべく、大当りのオープニングコマンドをセットするとともに（S2005）、大当り遊技のオープニング演出を開始し（S2006）、特図動作ステータスを「４」にセットする（S2007）。
【０１５５】
また、S2001において大当りフラグがＯＮでないと判定した場合（S2001でNO）、小当りフラグがＯＮであるか否かを判定する（S2008）。小当りフラグがＯＮであれば（S2008でYES）、小当り遊技中における大入賞口（第２大入賞口３５）の開放回数をカウントする小当り用開放カウンタの値をセットするとともに、第２大入賞口３５の開放時間（図６参照）をセットする（S2009）。上述したように、本実施例１では、小当り遊技における第２大入賞口３５の開放回数および開放時間が「１回」「１．６秒」であることから、S2009では、小当り用開放カウンタの値として「１」をセットし、開放時間として「１．６秒」をセットする。
【０１５６】
S2009の処理を終えたら、小当り遊技を開始するべく、小当りのオープニングコマンドをセットするとともに（S2010）、小当り遊技のオープニング演出を開始し（S2011）、特図動作ステータスを「５」にセットする（S2012）。尚、S2008において小当りフラグがＯＮでなければ（S2008でNO）、大当り遊技も小当り遊技も開始しないため、特図動作ステータスを「１」にセットし、処理を終える。
【０１５７】
［特別電動役物処理１（大当り遊技）］
図３２に示すように、特別電動役物処理１（S1108）ではまず、大当り遊技実行フラグがＯＮかどうかを判定する（S2125）。大当り遊技実行フラグは、大当り遊技が実行中であることを示すフラグであり、大当り遊技が実行されている間、この大当り遊技実行フラグがＯＮにされ、大当り遊技が終了するとＯＦＦにされる。S2125で、大当り遊技実行フラグがＯＮでないと判定した場合（S2125でNO）、大当り遊技の実行中を示す大当り遊技実行フラグをＯＮにし（S2126）、S2103の処理に移行する。一方、大当り遊技実行フラグがＯＮである、すなわち、大当り遊技の開始時に既にＯＮにされていると判定した場合（S2125でYES）、そのままS2103の処理に移行する。
【０１５８】
S2103では、時短フラグがＯＮか否かを判定し（S2103）、ＯＮと判定した場合（S2103でYES）、時短フラグをＯＦＦする（S2104）。つまり、大当り遊技の実行中は非時短状態に制御される。本実施例１では非時短状態時は常に低ベース状態であるので、大当り遊技の実行中は低ベース状態に制御されることにもなる。
【０１５９】
次に、大当り終了フラグがＯＮであるか否かを判定する（S2105）。大当り終了フラグは、大当り遊技において第１大入賞口３０の開放が全て終了（大当り遊技が終了）したことを示すフラグである。
【０１６０】
大当り終了フラグがＯＮでなければ（S2105でNO）、第１大入賞口３０の開放中か否かを判定する（S2106）。開放中でなければ（S2106でNO）、第１大入賞口３０を開放させる時期（タイミング）に至ったか否か、すなわち大当りのオープニングの時間が経過して１ラウンド目を開始する時期に至ったか、又は、ラウンド間のインターバルの時間が経過して次ラウンド（次の開放）を開始する時期に至ったか否かを判定する（S2107）。
【０１６１】
S2107の判定結果がNOであれば、そのまま処理を終える。一方、S2107の判定結果がYESであればS2110に進んで、大当りの種類に応じた開放パターン（図６参照）に従って第１大入賞口３０を開放させるべく、第１大入賞装置３１を作動させる。
【０１６２】
S2106において第１大入賞口３０の開放中であれば（S2106でYES）、そのラウンドにおける第１大入賞口３０への入球個数が規定の最大入球個数（本実施例１では１ラウンド当り１０個）に達しているか否かを判定する（S2111）。規定入球個数に達していなければ（S2111でNO）、第１大入賞口３０を閉鎖させる時期（タイミング）に至ったか否か、すなわち第１大入賞口３０を開放してから所定の開放時間（図６参照）が経過したか否かを判定する（S2112）。そして第１大入賞口３０の開放時間が経過していなければ（S2112でNO）、処理を終える。
【０１６３】
これに対して、規定入球個数に達している場合（S2111でYES）、又は第１大入賞口３０の開放時間が経過した場合（S2112でYES）、すなわち２つのラウンド終了条件のうちのいずれかが成立した場合には、第１大入賞口３０を閉鎖する（S2113）。そして、ラウンドカウンタの値を１ディクリメントし（S2114）、ラウンドカウンタの値が「０」であるか否かを判定する（S2115）。「０」でないと判定した場合（S2115でNO）、次のラウンドを開始するため、処理を終える。
【０１６４】
一方、「０」と判定した場合（S2115でYES）、大当り遊技を終了させる大当り終了処理として、大当りのエンディングコマンドをセットするとともに（S2116）、大当りのエンディング演出を開始する（S2117）。そして、大当り終了フラグをセットし（S2118）、処理を終える。尚、ラウンドカウンタは、今回の大当りが１５Ｒ大当りであれば第１大入賞口３０の開放が１５回実行されると「０」になり、６Ｒ大当りであれば第１大入賞口３０の開放が６回実行されると「０」になり、４Ｒ大当りであれば第１大入賞口３０の開放が４回実行されると「０」になる。
【０１６５】
また、S2105において大当り終了フラグがＯＮであれば（S2105でYES）、最終ラウンドが終了しているので、大当りのエンディング演出の実行時間（エンディング時間）が経過したか否かを判定し（S2119）、エンディング時間が経過していなければ（S2119でNO）、処理を終える。一方、エンディング時間が経過していれば（S2119でYES）、大当り終了フラグをＯＦＦにした後（S2120）、後述の遊技状態設定処理（S2121）を行う。そして、大当りフラグをＯＦＦにし（S2122）、大当り遊技実行フラグをＯＦＦにし（S2124）、特図動作ステータスを「１」にセットし（S2123）、処理を終える。これにより、次回の割り込み処理において、特図動作処理（図２０）として再び特別図柄待機処理（S1102）が実行されることになる。
【０１６６】
［特別電動役物処理２（小当り遊技）］
図３３に示すように、特別電動役物処理２（S1109）ではまず、小当り遊技実行フラグがＯＮかどうかを判定する（S2229）。小当り遊技実行フラグは、小当り遊技が実行中であることを示すフラグであり、小当り遊技が実行されている間、この小当り遊技実行フラグがＯＮにされ、小当り遊技が終了するとＯＦＦにされる。S2229で、小当り遊技実行フラグがＯＮでないと判定した場合（S2229でNO）、小当り遊技の実行中を示す小当り遊技実行フラグをＯＮにし（S2230）、S2201の処理に移行する。一方、小当り遊技実行フラグがＯＮである、すなわち、小当り遊技の開始時に既にＯＮにされていると判定した場合（S2229でYES）、そのままS2201の処理に移行する。
【０１６７】
S2201では、小当り終了フラグがＯＮであるか否かを判定する（S2201）。小当り終了フラグは、小当り遊技において第２大入賞口３５の開放が全て終了したことを示すフラグである。
【０１６８】
小当り終了フラグがＯＮでなければ（S2201でNO）、第２大入賞口３５の開放中か否かを判定する（S2202）。開放中でなければ（S2202でNO）、第２大入賞口３５を開放させる時期（タイミング）に至ったか否か、すなわち小当りのオープニングの時間が経過して１回目の開放を開始する時期に至ったか、又は、複数回にわたる開放の間のインターバルの時間が経過して次の開放を開始する時期に至ったか否かを判定する（S2203）。
【０１６９】
S2203の判定結果がNOであれば、そのまま処理を終える。一方、S2203の判定結果がYESであれば、小当りの開放パターン（図６参照）に従って第２大入賞口３５を開放させるべく第２大入賞装置３６を作動させるとともに（S2204）、第２大入賞装置３６に設けられた特定領域３９を開状態とすべく、所定の動作パターンに従って可動片（図示せず）の動作を開始させ（S2205）、さらに、特定領域センサ３９ａによる遊技球の検知を有効と判定するＶ有効期間を設定する（S2206）。尚、特定領域センサ３９ａによる遊技球の検知を有効と判定するというのは、特定領域センサ３９ａによる遊技球の検知に基づいて大当りフラグをＯＮする（後述のステップS2211〜S2221参照）ということであり、特定領域センサ３９ａによる遊技球の検知を無効と判定するというのは、特定領域センサ３９ａによる遊技球の検知があったとしても大当りフラグをＯＮしないということである。
【０１７０】
ここで、本実施例１では、小当り遊技での第２大入賞口３５の開放パターンを開放回数「１回」、開放時間「１．６秒」としている。また、本実施例１では、可動片の動作パターンを、第２大入賞口３５の開放開始に伴い特定領域３９を「０．７５秒」開状態とし、その後、「０．１秒」の閉状態を経て再度「０．７５秒」開状態とし、第２大入賞口３５の閉鎖に合わせて特定領域３９を閉状態とするものとしている。さらに、本実施例１では、小当り遊技における第２大入賞口３５の開放中および第２大入賞口３５の閉鎖後（小当り遊技での第２大入賞口３５の開放終了後）の数秒間をＶ有効期間に設定するものとしている。第２大入賞口３５の開放中だけでなく第２大入賞口３５の閉鎖後の数秒間もＶ有効期間とするのは、例えば、第２大入賞口３５の開放が終了する間際に第２大入賞口３５に入球した遊技球が第２大入賞口３５の閉鎖後に特定領域センサ３９ａにより検知される（特定領域３９を通過する）可能性があることを考慮したものであり、こうすることで、第２大入賞口３５に入球した遊技球が正当に特定領域３９を通過したにもかかわらず大当りとならないといったトラブルの発生を防ぐことが可能となる。本実施例１ではＶ有効期間を「２．６秒」としており、小当り遊技での第２大入賞口３５の開放時間「１．６秒」に加え、第２大入賞口３５の閉鎖後「１秒」は、特定領域センサ３９ａによる遊技球の検知を有効と判定することとしている。
【０１７１】
次に、S2202において第２大入賞口３５の開放中であれば（S2202でYES）、第２大入賞口３５への入球個数が規定の最大入球個数（本実施例１では１０個）に達しているか否かを判定する（S2207）。規定入球個数に達していなければ（S2207でNO）、第２大入賞口３５を閉鎖させる時期に至ったか否か、すなわち第２大入賞口３５を開放してから所定の開放時間（図６参照）が経過したか否かを判定する（S2208）。そして、第２大入賞口３５の開放時間が経過していなければ（S2208でNO）、S2211の処理に移行する。
【０１７２】
これに対して、第２大入賞口３５への入球個数が規定入球個数に達したか（S2207でYES）、あるいは第２大入賞口３５の開放時間が経過した場合（S2208でYES）には、第２大入賞口３５を閉鎖し（S2209）、小当り用開放カウンタの値を１ディクリメントする（S2210）。尚、本実施例１では、小当り遊技での第２大入賞口３５の開放パターンを開放回数「１回」、開放時間「１．６秒」としていることから、第２大入賞口３５に遊技球が１０個入球することは実質的に不可能である。このことからS2207の処理で肯定判定される可能性は無いに等しい。
【０１７３】
次に、S2211で特定領域センサ３９ａによる遊技球の検知があったか否か（遊技球が特定領域３９を通過したか否か）を判定する（S2211）。検知があったと判定した場合（S2211でYES）、図３４に示すS2220以降の処理に進み、検知がないと判定した場合（S2211でNO）、小当り用開放カウンタの値が「０」であるか否かを判定する（S2212）。S2212で「０」でないと判定した場合（S2212でNO）、そのまま処理を終える。一方、S2212で「０」であると判定した場合（S2212でYES）、S2213の小当り終了処理に移行する。S2213では、小当り遊技を終了させる小当り終了処理として、小当りのエンディングコマンドをセットするとともに、小当りのエンディング演出を開始する（S2214）。そして、小当り終了フラグをＯＮにし（S2313）、処理を終える。尚、本実施例１では、小当り用開放カウンタは第２大入賞口３５の開放が１回なされると「０」になる。
【０１７４】
S2201において、小当り終了フラグがＯＮであれば（S2201でYES）、第２大入賞口３５の１回の開放が終了しているので、小当りのエンディングの時間が経過したか否かを判定し（S2216）、エンディング時間が経過していなければ（S2216でNO）、処理を終える。一方、エンディング時間が経過していれば（S2216でYES）、小当り終了フラグをＯＦＦにするとともに（S2217）、小当りフラグをＯＦＦにし（S2218）、小当り遊技実行フラグをＯＦＦにし（S2231）、更に、特図動作ステータスを「１」にセットし（S2219）、処理を終える。これにより、次回の割り込み処理において、特図動作処理（図２０）として再び特別図柄待機処理（S1102）が実行されることになる。
【０１７５】
尚、小当り遊技の開始に際して時短フラグをＯＮからＯＦＦに切り変えることはしない。また、小当り遊技の終了に際しては、遊技状態設定処理（S2121、図３５）を行わない。すなわち、本パチンコ遊技機１では、小当り遊技の実行前と実行後において遊技状態を変化させない。
【０１７６】
S2211で特定領域センサ３９ａによる遊技球の検知があったと判定した場合（S2211でYES）、Ｖ大当りを発生させるための処理、すなわち、小当り遊技を終了して大当り遊技を開始させるための処理を行う。具体的には、図３４に示すように、特定領域センサ３９ａによる遊技球の検知がＶ有効期間中における検知であるか否かを判定する（S2220）。そして、Ｖ有効期間中であると判定した場合（S2220でYES）、小当りフラグをＯＦＦにし（S2221）、小当り遊技実行フラグをＯＦＦにし（S2232）、大当りフラグをＯＮにし（S2222）、Ｖ通過コマンドをセットする（S2223）。ここで、本実施例１では、上述したように小当りフラグを小当り種別毎に対応して設けており、また、図６（Ｃ），（Ｄ）に示すように小当り種別に応じてＶ大当りの種別（４Ｒ時短大当り、４Ｒ非時短大当り、１５Ｒ時短大当り）が定まっている。また、本実施例１では、上述した特図１大当りフラグＡや特図２大当りフラグＡ等の大当り種別に対応した大当りフラグの他、Ｖ大当り種別に対応した大当りフラグである「４Ｒ時短大当りフラグ」「４Ｒ非時短大当りフラグ」「１５Ｒ時短大当りフラグ」を設けている。このことから、S2222では、S2221でＯＦＦにする小当りフラグ、すわなち、S1308またはS1608でＯＮにした小当りフラグの小当り種別に基づいて、これに対応するＶ大当り種別の大当りフラグ（４Ｒ時短大当りフラグ、４Ｒ非時短大当りフラグ、１５Ｒ時短大当りフラグの何れか）をＯＮにする（S2222）。
【０１７７】
S2224では、S2222でＯＮとした大当りフラグに基づいて、大当り遊技中に実行するラウンドの回数をカウントするラウンドカウンタの値をセットするとともに、第１大入賞口３０の１ラウンドあたりの開放回数および開放時間（図６参照）をセットする（S2224）。本実施例１では、図６（Ｃ），（Ｄ）に示すようにＶ大当りに係る大当り遊技のラウンド数が「４Ｒ」「１５Ｒ」の何れかとなることから、S2224では、ラウンドカウンタの値として「４」「１５」の何れかをセットし、第１大入賞口３０の１ラウンドあたりの開放回数および開放時間として「１回」「２５秒」をセットする。
【０１７８】
S2224の処理を終えたら、大当り遊技を開始するべく、大当りのオープニングコマンドをセットするとともに（S2225）、大当り遊技のオープニング演出を開始し（S2226）、特図動作ステータスを「４」にセットする（S2227）。尚、本オープニングコマンドは、小当り遊技に基づいて遊技球がＶ通過したこと（「小当りＶ」ともいう）により実行される大当り遊技に係るオープニングコマンドであることを特定可能なコマンドとすることが可能である。
【０１７９】
一方、S2220でＶ有効期間中でないと判定した場合（S2220でNO）、今回の特定領域センサ３９ａによる遊技球の検知は正当なものではなく不正の可能性が考えられるので、Ｖ大当りを発生させることなくエラー処理を行い（S2227）、そのまま処理を終える。エラー処理としては、Ｖ有効期間中でないときに特定領域センサ３９ａによる遊技球の検知が発生したことを示す異常状態報知を行ったり、第１始動口２０又は第２始動口２１への入球に基づく各種乱数の取得や特別図柄当否判定等の特別図柄変動に係る処理を一時的に停止（中断）したりする処理を例示できる。また、エラー処理の実行による異常状態報知や遊技進行の一時停止等は、所定の解除条件の成立により解除可能とすればよく、解除条件として、例えば、時間経過や電源再投入、ＲＡＭクリア等を例示できる。
【０１８０】
［遊技状態設定処理］
図３５に示すように、遊技状態設定処理（S2121）ではまず、今回実行した大当り遊技に係る大当り種別、すなわち、終了した大当りの種別が時短大当りであるか否かを判定する(S2301)。S2301では、現在ＯＮとなっている大当りフラグ、すなわち、S1312、S1612およびS2222の何れかでＯＮにした大当りフラグに対応する大当り種別に基づいて、終了した大当りの種別が時短大当りであるか否かを判定する。具体的には、今回の大当りが、特図１又は特図２の当否判定の結果が大当りの場合の「特図１大当りＡ、Ｄ」又は「特図２大当りＡ、Ｂ、Ｄ」であるか、小当りを契機とするＶ大当りの場合の「４Ｒ時短大当り」又は「１５Ｒ時短大当り」であれば、終了した大当りの種別は時短大当りということになる（図６を参照）。
【０１８１】
S2301で時短大当りであると判定した場合（S2301でYES）、時短フラグをＯＮにし（S2302）、時短カウンタに「１００」をセットし（S2303）、処理を終える。これにより、今回の大当り遊技終了後の遊技状態が特別図柄の時短状態且つ高ベース状態（すなわち時短高ベース状態）になる。この時短高ベース状態は、特別図柄が１００回変動表示すること、及び、次の大当り（Ｖ大当りを含む）が発生すること、の何れかの条件の成立により終了する。尚、時短カウンタは、第１特別図柄の変動表示回数と第２特別図柄の変動表示回数とを合算した回数を計数するものである。
【０１８２】
一方、S2301で時短大当りでないと判定した場合（S2301でNO）、すなわち今回の大当りが、特図１又は特図２の当否判定の結果が大当りの場合の「特図１大当りＢ、Ｃ」又は「特図２大当りＣ」であるか、小当りを契機とするＶ大当りの場合の「４Ｒ非時短大当り」であれば、時短フラグをＯＮにすることなく、処理を終える。これにより、今回の大当り遊技終了後の遊技状態が特別図柄の非時短状態且つ低ベース状態（すなわち非時短低ベース状態）になる。
【０１８３】
［保留球数処理］
図１１に示すように遊技制御用マイコン８１は、特図動作処理（S206）に次いで保留球数処理（S207）を行う。保留球数処理（S207）では図３６に示すように、まず、主制御基板８０のＲＡＭに記憶されている特図１保留球数、特図２保留球数及び普通図柄保留球数を読み出す（S2501）。次いで、その保留球数のデータ（その保留球数情報をサブ制御基板９０等に送信するための保留球数コマンド）を、ＲＡＭの出力バッファにセットする（S2502）。
【０１８４】
［電源断監視処理］
図１１に示すように遊技制御用マイコン８１は、保留球数処理（S207）に次いで電源断監視処理（S208）を行う。電源断監視処理（S208）では図３７に示すように、まず、電源断信号の入力の有無を判定し（S2601）、入力がなければ（S2601でNO）、処理を終了する。一方、電源断信号の入力があれば（S2601でYES）、現在の遊技機の状態（確変かどうか、当り遊技中かどうか、保留球数はいくつか、確変・時短の残り変動回数はいくつか等）に関するデータをＲＡＭに記憶するとともに（S2602）、電源断フラグをＯＮし（S2603）、その後は割り込み処理（図１１）に戻ることなくループ処理をする。
【０１８５】
［出力信号］
次に本実施例１の情報出力処理（図３８乃至図４０）により、外部出力可能な遊技信号（遊技情報）について図４１（Ａ）を用いて説明する。この情報出力処理により、遊技制御用マイコン等で生成される所定の遊技信号（遊技情報）を、外部機器（ホールコンピュータ等）で受信可能な態様で出力するものとする。本実施例１では、主制御基板８０から遊技機外部に出力する信号として、図４１（Ａ）に挙げる６種類の信号を有している。この６種類の出力信号について説明する。
【０１８６】
主制御基板８０の情報出力回路８２（信号出力部）は第１乃至第６出力部を備えており、遊技制御用マイコン８１で生成された信号が、情報出力回路８２の第１乃至第６出力部から夫々ＯＮ状態又はＯＦＦ状態で外部出力装置８３（信号出力部、外部端子板、呼出信号出力手段）に出力される（図４２）。そして外部出力装置にホールコンピュータ等の配線やコネクタが接続されている場合には、当該ホールコンピュータで出力信号を受信し、信号の状態（ＯＮ又はＯＦＦ）を読み取る（判断する）ことが可能となる。ホールコンピュータ等で遊技機から外部出力された遊技信号を読み取ることで、セキュリティ（不正防止対策、不正の発見、不正の未然防止等）に利用したり、受信した信号に基づいて遊技情報（大当り回数、連荘回数、特図変動表示回数等）を表示し、遊技者への情報提供に利用したりすることが可能となる。
【０１８７】
尚、主制御基板８０の情報出力回路８２は、外部出力装置８３に所定の信号（遊技信号、特別信号）を出力する「信号出力部」や「外部信号出力部」ともいう。また、外部出力装置８３も、当該外部出力装置８３に接続される遊技機外のホールコンピュータ１４２や島設備（データ表示器、外部装置）に、所定の信号（遊技信号、特別信号）を出力する「信号出力部」や「外部信号出力部」ともいう。
【０１８８】
また、情報出力回路８２の第１出力部からは大当り遊技中信号が出力可能とされ、第２出力部からは時短中信号が出力可能とされ、第３出力部からは特定信号（特別信号）が出力可能とされ、第４出力部からは小当り遊技中信号が出力可能とされ、第５出力部からは特別図柄確定信号が出力可能とれ、第６出力部からはエラー信号が出力可能とされている。これらの出力信号は、遊技状態（遊技の状態）に応じてＯＮ状態（信号の論理：１）又はＯＦＦ状態（信号の論理：０）に切り替えられるものとされる。
【０１８９】
具体的に、大当り遊技中信号は、大当り遊技の実行中はＯＮ状態で出力され、大当り遊技の非実行中はＯＦＦ状態で出力される。また、時短中信号は、時短状態中（高ベース状態中）はＯＮ状態で出力され、非時短状態中はＯＦＦ状態で出力される。また、特定信号（特別信号）については詳細を後述するが、大当り遊技状態、時短遊技状態、又は特図２連続変動状態（連続信号）の何れかの状態であればＯＮ状態で出力され、何れの状態にも該当しなければＯＦＦ状態で出力される。また、小当り遊技中信号は、小当り遊技の実行中はＯＮ状態で出力され、小当り遊技の非実行中はＯＦＦ状態で出力される。また、特別図柄確定信号は、特別図柄の変動停止（確定停止表示）時から所定時間（本実施例では０．６ｓとする）ＯＮ状態とされ、ＯＮ状態で所定時間が経過するとＯＦＦ状態とされる。また、エラー信号（異常信号）は、所定のエラー（例えば枠開放）が検知されるとＯＮ状態とされ、エラーが解除（例えば枠閉鎖）されるとＯＦＦ状態とされる。尚、大当り遊技中信号を「当り遊技中信号」ともいい、小当り遊技中信号を「当り遊技中信号」ともいい、大当り遊技中信号及び小当り遊技中信号を総じて「当り遊技中信号」ということもある。
【０１９０】
尚、本実施例１ではエラー信号は１種類のみとしているが、複数のエラー信号を出力可能としてもよい。例えば、Ｖ有効期間外のＶ通過を検知した場合に第２エラー信号をＯＮ状態とし、所定時間が経過するか、又は遊技店員の所定の操作により、第２エラー信号をＯＦＦ状態とすることが可能である。その他、左打ちすべき遊技状態において、右打ちを検知（ゲート２８による検知）した場合に、第３エラー信号をＯＮ状態としてもよい。また、不正電波、振動、又は磁気等を検知した場合に、所定のエラー信号をＯＮ状態としてもよい。これらについても、所定時間が経過するか、又は遊技店員の所定の操作により、ＯＦＦ状態とすることが可能である。
【０１９１】
［情報出力処理］
次に本実施例１の情報出力処理（S209）について図３８乃至図４０を用いて説明する。情報出力処理（S209）ではまず、大当り遊技実行フラグがＯＮかどうか、すなわち大当り遊技の実行中であるかどうかを判定する（S5101）。S5101で大当り遊技実行フラグがＯＮである、すなわち大当り遊技の実行中であると判定した場合（S5101でYES）、大当り遊技情報フラグをＯＮにし、大当り遊技中信号をＯＮ状態で出力する。ＯＮ状態の大当り遊技中信号を受信したホールコンピュータ等は、現在の遊技状態が大当り遊技中であると判定する。ここで「大当り遊技中信号（当り遊技中信号、第２特別信号）」は、大当り遊技実行フラグの状態（ＯＮ又はＯＦＦ）に対応して、ＯＮ状態又はＯＦＦ状態で出力されるものであり、大当り遊技の実行中（役物連続作動装置の作動中）であることを示す信号とされる。
【０１９２】
一方、「大当り遊技情報フラグ（当り遊技中信号、第２特別信号）」は、後述する特定信号の状態を設定するためのもので、ＯＮにするタイミングは大当り遊技の実行（開始）タイミングと同じであるが、ＯＦＦにするタイミングは大当り遊技の終了タイミングと異なっている。具体的に、ＯＮ状態の「大当り遊技情報フラグ」がＯＦＦにされるのは、大当り遊技の終了から所定時間（本実施例では５０ｍｓ）経過後とされている。これにより、大当り遊技情報フラグがＯＮからＯＦＦにされるタイミングを遅延させ、ＯＮ期間を実際の大当り遊技の実行期間よりも若干長く設定することが可能となる。これにより、詳細は後述するが、大当り遊技終了後の遊技状態が低ベース状態（第１頻度状態）に設定され、当該低ベース状態において第２特図保留記憶部８５ｂに記憶される保留情報に基づいて第２特別図柄が変動表示する際に、大当り遊技終了後、第２特別図柄の変動表示開始前のタイミングで、連荘期間中であることを示す特定信号がＯＦＦ状態になってしまうことを確実に防ぐことが可能となる。
【０１９３】
尚、本実施例では、大当り遊技情報フラグの遅延処理を、タイマ等を用いたソフト処理により行ったが、この様な態様に限らない。これに替えて、コンデンサ等を用いた遅延回路を設け回路構成により大当り遊技中信号がＯＮからＯＦＦに変化するタイミングを所定時間遅延させることも可能である。
【０１９４】
S5101で、大当り遊技実行フラグがＯＮでないと判定した場合（S5101でNO）、大当り遊技中信号をＯＦＦ状態で出力し（S5104）、S5105の処理に移行する。ＯＦＦ状態の大当り遊技中信号を受信したホールコンピュータ等は、現在の遊技状態が大当り遊技中でないと判定する。S5105では、大当り遊技情報フラグがＯＮであるかどうかを判定し（S5105）、大当り遊技情報フラグがＯＮでない、すなわち、大当り遊技中信号がＯＦＦ状態で、且つ大当り遊技情報フラグもＯＦＦであると判定した場合（S5105でNO）、S5110の処理に移行する。一方、S5105で、大当り遊技情報フラグがＯＮである、すなわち、大当り遊技中信号がＯＦＦ状態であるが、大当り遊技情報フラグがＯＮであると判定した場合（S5105でYES）、次いで、遅延タイマの実行中かどうか、すなわち、遅延タイマによって遅延時間の計測を実行中かどうか判定する（S5106）。S5106で、遅延タイマによって遅延時間を計測中でないと判定した場合（S5106でNO）、遅延タイマに所定の遅延時間（本実施例では５０ｍｓとされている）をセットし、遅延時間の計測を開始し（S5107）、S5108の処理に移行する。
【０１９５】
S5106で、遅延タイマによって遅延時間を計測中であると判定した場合（S5106でYES）、S5108の処理に移行する。S5108では、遅延タイマの値が「０」かどうかを判定し、「０」でない、すなわち未だ遅延時間の計測中（遅延処理の実行中）であると判定した場合（S5108でNO）、S5110の処理に移行する。S5108で、遅延タイマの値が「０」であると判定した場合（S5108でYES）、大当り遊技情報フラグをＯＦＦにし（S5109）、S5110の処理に移行する。これにより、大当り遊技情報フラグの遅延処理を終える。尚、遅延時間は、割り込み処理（S105）の周期（４ｍｓ）よりも長い時間に設定すればよく、５０ｍｓでなくともよい。
【０１９６】
S5110では、特図２連続変動フラグがＯＮであるかどうかを判定する。「特図２連続変動フラグ」は、特別図柄変動中処理（S1104）において、第１特別図柄と第２特別図柄とのうち、第２特別図柄が連続して（２回以上連続して）変動表示することに基づいてＯＮにされるものである。また、特図２連続変動フラグがＯＮにされている状態で第１特別図柄が変動表示するとＯＦＦにされる。尚、本実施例では連続回数を２回としているが、３回以上の所定回数とし、第２特別図柄が当該所定回数連続して変動表示した場合に「特図２連続変動フラグ」をＯＮにするものとしてもよい。
【０１９７】
S5110で、特図２連続変動フラグがＯＮであると判定した場合（S5110でYES）、S5114の処理に移行する。一方、S5110で特図２連続変動フラグがＯＮでないと判定した場合（S5110でNO）、次いで、大当り遊技情報フラグがＯＮかどうかを判定し（S5111）、大当り遊技情報フラグがＯＮであると判定した場合（S5111でYES）、S5114の処理に移行する。一方、S5111で、大当り遊技情報フラグがＯＮでないと判定した場合（S5111でNO）、次いで時短フラグがＯＮかどうかを判定する（S5112）。S5112で、時短フラグがＯＮであると判定した場合（S5112でYES）、時短中信号をＯＮ状態で出力し（S5113）、S5114の処理に移行する。ＯＮ状態の時短中信号を受信したホールコンピュータ等は、現在の遊技状態が時短状態であると判定することが可能となる。S5112で、時短フラグがＯＮでないと判定した場合（S5112でNO）、時短中信号をＯＦＦ状態で出力し（S5115）、S5116の処理に移行する。ＯＦＦ状態の時短中信号を受信したホールコンピュータ等は、現在の遊技状態が非時短状態であると判定することが可能となる。
【０１９８】
S5114では、特定フラグをＯＮにし、S5116では特定フラグをＯＦＦにし（既にＯＦＦであればＯＦＦのまま維持し）、S5117の処理に移行する。この「特定フラグ」は、S5110〜S5116の処理で、ＯＮ又はＯＦＦに設定されるところ、特図２連続変動フラグがＯＮとなっていること、大当り遊技情報フラグがＯＮとなっていること、及び時短フラグがＯＮとなっていること、の３条件のうち、少なくとも１つを満たしていれば（何れか１つがＯＮであれば）、ＯＮにされる。一方、これら３条件を全て満たしていない（全てＯＦＦ）場合にはＯＦＦにされる。また、この特定フラグがＯＮとされている期間は、遊技者が短期間で連続して大当り遊技を実行可能な期間、所謂遊技者に有利な連荘期間（「特定期間」ともいう）とされている。
【０１９９】
S5117では、特定フラグがＯＮかどうかを判定し、特定フラグがＯＮであると判定した場合（S5117でYES）、特定信号をＯＮ状態で出力し、S5113の処理に移行する。ＯＮ状態の特定信号を受信したホールコンピュータ等は、現在の遊技状態（遊技の状態）が連荘期間（特定期間）であると判定することが可能となる。一方、特定フラグがＯＮでないと判定した場合（S5117でNO）、特定信号をＯＦＦ状態で出力し（S5119）、S5120の処理に移行する。ＯＦＦ状態の特定信号を受信したホールコンピュータ等は、現在の遊技状態（遊技の状態）が連荘期間（特定期間）でないと判定することが可能となる。
【０２００】
S5120では、小当り遊技実行フラグがＯＮかどうかを判定し、小当り遊技実行フラグがＯＮであると判定した場合（S5120でYES）、小当り遊技中信号をＯＮ状態で出力し（S5121）、S5123の処理に移行する。ＯＮ状態の小当り遊技中信号を受信したホールコンピュータ等は、現在の遊技状態（遊技の状態）が小当り遊技中であると判定することが可能となる。一方、小当り遊技実行フラグがＯＦＦであると判定した場合（S5120でNO）、小当り遊技中信号をＯＦＦ状態で出力し（S5122）、S5123の処理に移行する。ＯＦＦ状態の小当り遊技中信号を受信したホールコンピュータ等は、現在の遊技状態（遊技の状態）が小当り遊技中であると判定することが可能となる。
【０２０１】
S5123では、特別図柄（第１特別図柄又は第２特別図柄）が停止表示（確定停止表示）したかどうかを判定し、特別図柄（第１特別図柄又は第２特別図柄）が停止表示したと判定した場合（S5123でYES）、特図確定信号をＯＮ状態で出力し（S5124）、S5126の処理に移行する。ＯＮ状態の特図確定信号を受信したホールコンピュータ等は、現在の遊技状態（遊技の状態）は特別図柄が停止表示した状態であると判定することが可能となる。また、この特図確定信号に基づいて、特別図柄の変動表示回数を計数することが可能となる。一方、特別図柄（第１特別図柄又は第２特別図柄）が停止表示していない判定した場合（S5123でYES）、特図確定信号をＯＦＦ状態で出力し（S5125）、S5126の処理に移行する。ＯＦＦ状態の特図確定信号を受信したホールコンピュータ等は、現在の遊技状態（遊技の状態）は特別図柄が停止表示した状態ではないと判定することが可能となる。
【０２０２】
S5126では、特図確定信号がＯＮ状態で出力中かをどうかを判定し、ＯＮ状態で出力中であると判定した場合（S5126でYES）、特図確定信号出力時間が経過したかを判定する（S5127）。特図確定信号は、出力開始から所定時間（本実施例では０．６ｓ）が経過すると、ＯＦＦにされる。従って、S5127で、特図確定信号出力時間（０．６ｓ）が経過したと判定した場合（S5127でYES）、特図確定信号をＯＦＦで出力し（S5128）、S5129の処理に移行する。一方、S5126で、特図確定信号がＯＮ状態で出力されていないと判定した場合（S5126でNO）、及び特図確定信号出力時間（０．６）が経過していない、すなわち特図確定信号出力時間の計測中であると判定した場合（S5126でNO）、S5129の処理に移行する。このS5123〜S5128の処理により、特別図柄が停止表示（確定停止表示）した時から所定時間（０．６ｓ）だけ、特図確定信号をＯＮ状態で出力することが可能となる。
【０２０３】
S5129では、所定のエラーフラグがＯＮかどうかを判定し、エラーフラグがＯＮであると判定した場合（S5129でYES）、エラー信号をＯＮ状態で出力し（S5130）、処理を終える。ＯＮ状態のエラー信号を受信したホールコンピュータ等は、現在の遊技状態（遊技の状態）はエラー状態であると判定することが可能となる。一方、エラーフラグがＯＦＦであると判定した場合（S5129でNO）、エラー信号をＯＦＦ状態で出力し（S5131）、処理を終える。ＯＦＦ状態のエラー信号を受信したホールコンピュータ等は、現在の遊技状態（遊技の状態）は正常状態である（エラー状態でない）と判定することが可能となる。このように遊技機の遊技の状態（遊技状況）を判断する手段を「状態判断制御部」という。
【０２０４】
［タイミングチャート］
次に、図４３乃至図４５を用いて、特図２連続変動フラグ、大当り遊技実行フラグ、時短フラグ等の各種フラグの状態の変化タイミングや、大当り遊技中信号や時短中信号や特定信号等の各種信号の出力状態の変化タイミングについて説明する。図４３に示す通り、特図２連続変動フラグは、第２特別図柄が連続して変動表示を開始したタイミング、具体的には、ｔｔ３に係る第２特別図柄の変動表示の開始に伴って、ＯＮに設定される。また、第２特別図柄が連続して変動表示したかどうかの判定は、特別図柄が停止表示したタイミングで、停止表示した特別図柄に対応してＯＮに設定される特図停止フラグに基づいて行っている。具体的には、特図２停止フラグがＯＮに設定されている状態で、第２特別図柄の変動表示が行われると、特図２連続変動フラグがＯＮに設定されることとなる。従って、ｔｔ１に係る第２特別図柄の変動表示のように、特図１停止フラグがＯＮにされた状態で第２特別図柄の変動表示が行われたと判定した場合には、特図２連続変動フラグがＯＮに設定されない。
【０２０５】
また図４４に示す通り、特定フラグは、特図２連続変動フラグ、大当り遊技情報フラグ、及び時短中フラグの何れか１つでもＯＮとなっていれば、ＯＮとされる。特定フラグがＯＮとされている期間は、遊技者が短期間で複数回の大当り遊技を獲得可能な期間であって、遊技者に有利な連荘期間（特定期間）とされる。具体的に、通常状態（非時短状態）において、第１始動口２０への遊技球の入球に基づいて、第１特別図柄に係る当否判定を実行し、当該当否判定の結果が時短大当り（図６の特図１大当りＡ）となると、連荘期間（特定期間）が開始することとなる。時短大当りとなった場合、当該大当り遊技終了後の遊技状態が時短状態（高ベース状態）とされ、本実施例のパチンコ遊技機の仕様上、指示通りに遊技を行えば、略次回の大当りの発生が保証されている。そして、この時短状態（第２頻度状態）において、入球容易となった第２始動口への入球に基づいて、第２特別図柄に係る当否判定を実行し、当該当否判定の結果が時短大当り（図６の特図２大当りＤ）となるか、又は時短小当り（図６の特図２小当りＤ）に基づいて大当りとなると、当該大当り遊技終了後が再度時短状態に設定され、これにより、短期間で複数回（多数回）の大当り遊技を実行させ、多量の遊技利益（賞球）を獲得することが可能となる。
【０２０６】
また、入球容易となった第２始動口への入球に基づいて、第２特別図柄に係る当否判定を実行し、当該当否判定の結果、大当り遊技終了後の遊技状態が非時短状態（低ベース状態）となる場合においても、大当り遊技終了の際に第２特図保留記憶部に保留情報が記憶されている場合には、非時短状態において第２特別図柄の変動表示が行われる。この大当り遊技終了後の１回目に実行される非時短状態での第２特別図柄当否判定は、時短状態での第２特別図柄当否判定よりも有利に設定されている。具体的には、当該第２特別図柄当否判定に基づいて大当りが実行される場合には、時短状態での第２特別図柄当否判定に基づいて大当りが実行される場合よりも、大当り遊技終了後の遊技状態が高い確率で時短状態とされる。より具体的に、非時短状態での第２特別図柄当否判定に基づいて大当りが実行される場合、１００％の確率で時短状態とされる。また、第２特別図柄当否判定においては、小当りと判定される確率が第１特別図柄当否判定と比べて、非常に高く設定されており、第２特別図柄当否判定が実行されると、第１特別図柄当否判定よりも、大当りの発生可能性が高いものとされている。
【０２０７】
従って、時短状態（高ベース状態）において第２特図保留記憶部に保留情報を記憶した状態で、大当り遊技終了後の遊技状態が非時短状態とされた場合には、単に、当該非時短状態となったタイミングで、連荘期間（特定期間）の終了と判断するのは好ましくない。すなわち、非時短状態に設定された後に実行される第２特図保留記憶部に保留情報に基づく第２特別図柄当否判定の結果に応じて、連荘期間（特定期間）を終了したり、連荘期間（特定期間）を継続したりするのが望ましい。例えば、当該第２特別図柄当否判定の結果に基づいて大当り遊技が実行されない（外れ、又は小当りとなったがＶ通過しない）ことが確定した場合には、連荘期間を終了するものとする。一方、当該第２特別図柄当否判定の結果に基づいて大当り遊技が実行される場合には、連荘期間を継続するものとする。これにより、連荘期間を長く設定することができ、連荘期間における大当り遊技の実行回数（連荘回数）を計数・表示するような場合には、当該連荘回数を多く示すことが可能となり、遊技興趣を高めることが可能となる。
【０２０８】
この様に、大当り遊技の実行中、時短状態の実行中、及び特図２連続変動フラグがＯＮ状態中の、いずれかを満たせば、連荘期間（特定期間）とみなすものとしている。ここで、これらの連荘期間を、大当り遊技の実行期間を示す大当り遊技実行フラグと特図２連続変動フラグと時短中フラグとにより、判定すると、大当り遊技実行フラグの状態変化タイミングと、特図２連続変動フラグの状態変化タイミングとの関係上、大当り遊技終了後から特図２連続変動フラグがＯＮに設定されるまでの間に極短時間（１割り込み分の期間、４ｍｓ）ではあるが、これら３個のフラグ全てがＯＦＦの状態の期間が発生してしまう場合がある。大当り遊技実行フラグは大当り遊技実行期間を示すものであるから、大当り遊技の終了時にＯＦＦにされ、その後、非時短状態で大当り遊技終了後の１回目の第２特別図柄の変動表示で、初めて第２特別図柄が連続して変動表示する場合には、その変動表時の開始処理において特図２連続変動フラグがＯＮにされる。これにより、図４４に示すように、大当り遊技実行フラグがＯＦＦになった後、ｓ１の遅れ期間経過後に特図２連続変動フラグがＯＮになるケースが発生しうる。
【０２０９】
この様な場合には、第２特別図柄当否判定に基づいて再度大当り遊技及び時短状態が設定されるため、本来連荘期間としたいものの、大当り遊技実行フラグ、特図２連特変動フラグ、及び時短中フラグの全てがＯＦＦ状態となり、特定フラグがＯＦＦとなり、連荘期間が一旦終了し、再度連荘期間が発生したものと判断される可能性がある。この様な事態を防止するため、本実施例では、大当りの実行中であることを示す大当り遊技情報フラグを設け、大当り遊技情報フラグがＯＦＦになるタイミングを、実際に大当り遊技が終了するタイミング（大当り遊技実行フラグがＯＦＦになるタイミング）よりも所定時間（ｓｓ１）遅延させるものとしている。また、遅延時間ｓｓ１（本実施例では５０ｍｓ）を、ｓ１（本実施例では４ｍｓ）よりも長く設定することで、前述の連荘期間（特定期間）であるにも関わらず、大当り遊技情報フラグ、特図２連特変動フラグ、及び時短中フラグの全てがＯＦＦ状態となってしまうのを確実に防止することが可能となる。
【０２１０】
また、本実施例では、大当り遊技情報フラグ、特図２連特変動フラグ、及び時短中フラグの何れか１個がＯＮであれば、ＯＮとなる特定フラグを設けており、この特定フラグの状態を判定することで、連荘期間（特定期間）かどうかを容易に判定することが可能となる。この特定フラグは、大当り遊技情報フラグ、特図２連特変動フラグ、及び時短中フラグの全てがＯＦＦにされるとＯＦＦになる。
【０２１１】
また図４５に示す通り、本実施例１では、遊技制御用マイコン８１から情報出力回路８２及び外部出力装置８３を介して外部出力される外部出力信号として、大当り遊技実行フラグがＯＮの期間にＯＮ状態で出力される大当り遊技中信号と、時短フラグがＯＮの期間にＯＮ状態で出力される時短中信号と、特定フラグがＯＮの期間にＯＮ状態で出力される特定信号と、小当り遊技実行フラグがＯＮの期間にＯＮ状態で出力される小当り遊技中信号と、特別図柄確定時から所定時間ＯＮ状態で出力される特図確定信号と、エラーフラグがＯＮの期間にＯＮ状態で出力されるエラー信号と、を有している。そして、それら外部出力信号は、遊技状態の変化に応じて所定のタイミングでＯＮ状態又はＯＦＦ状態に切り替えられて出力されている。
【０２１２】
以上説明したとおり、本実施例１のパチンコ遊技機１では、特図２連続変動フラグによって、特図２が連続して変動表示する状態かどうかを判定し、大当り遊技終了後の遊技状態が非時短状態となる場合であっても、第２特図保留に係る第２特別図柄当否判定の結果に基づいて再度大当り遊技が実行される場合には、特定フラグをＯＦＦにすることなく、連荘期間が継続しているものと判定することを可能とした。また、大当り遊技情報フラグによって、実際に大当り遊技が終了した後も所定期間大当り遊技の継続中とみなすことによって、連荘期間であるにも関わらず、連荘期間が終了したと判定してしまう（特定フラグがＯＦＦになってしまう）ことを確実に防止することを可能とした。これにより、連荘期間をできるだけ長く設定することができ、連荘期間中の大当り遊技回数（所謂連荘回数）を極力高い数で計数可能とし、遊技興趣を高めることが可能となる。
【０２１３】
［サブ制御メイン処理］
次に、図４６〜図５８に基づいて演出制御用マイコン９１の動作について説明する。尚、演出制御用マイコン９１の動作説明にて登場するカウンタ、フラグ、ステータス、バッファ等は、サブ制御基板９０（サブ制御部）のＲＡＭに設けられている。サブ制御基板９０に備えられた演出制御用マイコン９１は、パチンコ遊技機１の電源がオンされると、サブ制御基板９０のＲＯＭから図４６に示したサブ制御メイン処理のプログラムを読み出して実行する。同図に示すように、サブ制御メイン処理では、まずＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間用コントローラ）等の設定や各種のフラグ、ステータス及びカウンタのリセット等を行う。
【０２１４】
続いて、S4002で、電源断信号がＯＮで且つサブ制御基板９０のＲＡＭの内容が正常であるか否かを判定する（S4002）。そして、この判定結果がＮＯであれば（S4002でNO）、サブ制御基板９０のＲＡＭの初期化をし（S4003）、S4004に進む。一方、判定結果がＹＥＳであれば（S4002でYES）、サブ制御基板９０のＲＡＭを初期化することなくS4004に進む。すなわち、電源断信号がＯＮでない場合、又は電源断信号がＯＮであってもＲＡＭの内容が正常でない場合には（S4002でNO）、サブ制御基板９０のＲＡＭを初期化するが、停電などで電源断信号がＯＮとなったがＲＡＭの内容が正常に保たれている場合には（S4002でYES）、ＲＡＭを初期化しない。ＲＡＭを初期化すれば、各種のフラグ、ステータス及びカウンタの値はリセットされる。尚、このS4001〜Ｓ4003は、電源投入後に（電源投入に際して）一度だけ実行され、それ以降は実行されない。
【０２１５】
S4004では、割り込みを禁止する。次いで、乱数シード更新処理を実行する（S4005）。乱数シード更新処理（S4005）では、種々の演出決定用乱数カウンタの値を更新する。更新された乱数カウンタ値はサブ制御基板９０のＲＡＭの所定の更新値記憶領域（図示せず）に逐次記憶される。尚、演出決定用乱数には、予告演出を決定する予告演出決定用乱数や、演出図柄を決定する演出図柄決定用乱数がある。乱数の更新方法は、前述の主制御基板８０が行う乱数更新処理と同様の方法をとることができる。更新に際して乱数値を１ずつ加算するのではなく、２ずつ加算するなどしてもよい。演出決定用乱数は、予め定められたタイミングで取得される。このタイミングとしては、例えば主制御基板８０から始動入球があった旨を通知する制御信号（始動入球コマンド）が送信されてきたときや、主制御基板８０から変動開始を通知する制御信号（変動開始コマンド）が送信されてきたときや、後述の変動演出パターンを決定するときなどとすることができる。取得した演出決定用乱数の格納場所は、サブ制御基板９０のＲＡＭの所定の乱数カウンタ値記憶領域（図示せず）である。尚、本実施例１では、予告演出決定用乱数として、会話予告決定用乱数、ステップアップ予告決定用乱数、疑似変動予告決定用乱数、可動部予告決定用乱数、事前報知演出決定用乱数を有しており、これらの予告演出決定用乱数の取得値と図４９及び図５０の各予告決定テーブルを用いて実行する予告演出を決定する。
【０２１６】
乱数シード更新処理（S4005）が終了すると、コマンド送信処理を実行する（S4006）。コマンド送信処理では、サブ制御基板９０のＲＡＭ内の出力バッファに格納されている各種のコマンド（制御信号）を、画像制御基板１００、音声制御基板１０６、及びランプ制御基板１０７に送信する。コマンドを受信した各制御基板（各制御部）は、受信したコマンドに従い各種の演出装置（画像表示装置７、スピーカ６７、盤面ランプ５、枠ランプ６６及び可動装飾部材１４等）を用いて各種の演出（演出図柄遊技演出や、大当り遊技及び小当り遊技に伴う特別遊技演出等）を実行する。演出制御用マイコン９１は続いて、割り込みを許可する（S4007）。以降、S4004〜Ｓ4007をループさせる。割り込み許可中においては、受信割り込み処理（S4008）、２ｍｓタイマ割り込み処理（S4009）、及び１０ｍｓタイマ割り込み処理（S4010）の実行が可能となる。
【０２１７】
［受信割り込み処理］
受信割り込み処理（S4008）では、図４７に示すように、ストローブ信号（ＳＴＢ信号）がＯＮか否か、すなわち主制御基板８０から送られたストローブ信号が演出制御用マイコン９１の外部ＩＮＴ入力部に入力されたか否かを判定する（S4101）。そして、S4101で、ストローブ信号がＯＮでないと判定した場合（S4101でNO）、処理を終える。一方、S4101で、ストローブ信号がＯＮであると判定した場合（S4101でYES）、主制御基板８０から送信されてきた各種のコマンドをサブ制御基板９０のＲＡＭに格納し（S4102）、処理を終える。この受信割り込み処理（S4008）は、他の割り込み処理（S4009、S4010）に優先して実行される処理である。
【０２１８】
［２ｍｓタイマ割り込み処理］
２ｍｓタイマ割り込み処理（S4009）は、サブ制御基板９０に２ｍｓｅｃ周期の割り込みパルスが入力する度に実行する処理である。図４８に示すように、２ｍｓタイマ割り込み処理（S4009）ではまず、演出ボタン検知スイッチ６３ｃ、６３ｄからの検知信号に基づいてスイッチデータ（エッジデータ及びレベルデータ）を作成する入力処理を行う（S4201）。続いて、後述の１０ｍｓタイマ割り込み処理で作成したランプデータを出力するランプデータ出力処理を行う（S4202）。次いで、可動装飾部材１４を駆動するための駆動データの作成及び出力を行う駆動データ出力処理を行う（S4203）。そして、ウォッチドッグタイマのリセット処理を行うウォッチドッグタイマ処理を行う（S4204）。
【０２１９】
［１０ｍｓタイマ割り込み処理］
１０ｍｓタイマ割り込み処理（S4010）は、サブ制御基板９０に１０ｍｓｅｃ周期の割り込みパルスが入力する度に実行する処理である。図４９に示すように、１０ｍｓタイマ割り込み処理（S4010）ではまず、後述する受信コマンド解析処理を行う（S4301）。次いで、後述する大当り遊技終了後発射報知処理を行う（S4302）。この大当り遊技終了後発射報知処理（S4302）では、大当り遊技終了後の遊技状態が低ベース状態に設定される場合において、第２特図保留（第２演出保留情報）が存在していることを条件に、発射方向を右遊技領域から左遊技領域に戻す、すなわち右打ちから左打ちに変えることを示唆する発射報知演出（図５０の第２左打ち発射報知演出）の実行タイミングを制御（調整）するための処理である。
【０２２０】
次いで、出力するランプデータ（盤面ランプ５や枠ランプ６６の点灯を制御するデータ）の作成及び演出時間の管理等を行う電飾制御処理を行う（S4303）。次いで、２ｍｓタイマ割り込み処理で作成したスイッチデータを１０ｍｓタイマ割り込み処理用のスイッチデータとしてサブ制御基板９０のＲＡＭに格納するスイッチ状態取得処理を行う（S4304）。続いて、スイッチ状態取得処理にて格納したスイッチデータに基づいて表示画面７ａの表示内容等を設定するスイッチ処理を行う（S4305）。その後、演出決定用乱数を更新等のその他の処理を実行する（S4306）。
【０２２１】
［受信コマンド解析処理］
図５０及び図５１に示すように、受信コマンド解析処理（S4301）ではまず、演出制御用マイコン９１が主制御基板８０（主制御部）からゲート通過コマンドを受信したか否かを判定し（S4419）、ゲート通過コマンドを受信したと判定した場合（S4419でYES）、後述するゲート通過時処理（S4420）を実行し、S4401の処理に移行する。S4419で、ゲート通過コマンドを受信していないと判定した場合（S4419でNO）、ゲート通過時処理を行うことなく、S4401の処理に移行する。
【０２２２】
S4401では、始動入球コマンドを受信したか否かを判定し（S4401）、始動入球コマンドを受信したと判定した場合（S4401でYES）、入球時演出開始処理を行い（S4402）、S4403の処理に移行する。S4401で始動入球コマンドを受信していないと判定した場合（S4401でNO）、入球時演出開始処理を行うことなく、S4403の処理に移行する。この入球時演出開始処理は、始動口（第１始動口２０又は第２始動口２１）への入球があったことを示す始動入球コマンドを、主制御部から受信した際に実行する処理であり、本処理を行うことで、サブ制御部９０が有する演出保留記憶部（第１演出保留記憶部１０４及び第２演出保留記憶部１０５）に未消化の演出保留情報を記憶したり、画像表示装置７の表示画面７ａに表示される演出保留（第１演出保留９ａ及び第２演出保留９ｂ）の表示制御（表示個数や演出保留の表示態様の変化に関する制御）を行ったり、始動口への入球時に主制御部で取得した入球情報に基づいて所謂先読み演出（「事前演出」ともいう）を行ったりする。
【０２２３】
尚、第１始動口２０に遊技球が入球した場合には、当該第１始動口２０への入球に基づいて取得した入球情報を示す情報が、主制御部８０からサブ制御部９０に送信され、サブ制御部９０の第１演出保留記憶部１０４に未消化の演出保留情報（演出情報）として、加算して記憶される。尚、第１演出保留記憶部に記憶される保留演出情報（「第１演出保留」ともいう）の数の上限数は、第１特図保留記憶部に記憶される第１特図保留の数と同じ数（４個）とされ、その時々の記憶数も同じとされる。また、第２演出保留記憶部に記憶される保留演出情報（「第２演出保留」ともいう）の数の上限数は、第２特図保留記憶部に記憶される第２特図保留の数と同じ数（１個）とされ、その時々の記憶数も同じとされている。また、後述の変動開始コマンドを受信した場合には、それが第１特別図柄を示すものである場合には、対応する第１演出保留記憶部１０４に記憶される最も古い演出保留情報が削除される。第２始動口２１に遊技球が入球した場合も同様である。
【０２２４】
S4403では、主制御部から変動開始コマンドを受信したか否かを判定し（S4403）、変動開始コマンドを受信したと判定した場合（S4403でYES）、後述する変動演出開始処理を行い（S4404）、S4407の処理に移行する。S4403で変動開始コマンドを受信していないと判定した場合（S4403でNO）、変動演出開始処理を行うことなく、S4407の処理に移行する。
【０２２５】
S4407では、主制御部から変動停止コマンドを受信したか否か判定し（S4407）、変動停止コマンドを受信したと判定した場合（S4407でYES）、後述する変動演出終了処理を行い（S4408）、S4409の処理に移行する。S4407で変動停止コマンドを受信していないと判定した場合（S4407でNO）、変動演出終了処理を行うことなく、S4409の処理に移行する。
【０２２６】
続いて、S4409では、主制御部からオープニングコマンドを受信したか否か判定し（S4409）、オープニングコマンドを受信したと判定した場合（S4409でYES）、後述するオープニングコマンド受信処理を行い（S4410）、S4411の処理に移行する。S4409でオープニングコマンドを受信していないと判定した場合（S4409でNO）、オープニングコマンド受信処理を行うことなくS4411の処理に移行する。S4411では、主制御部からエンディングコマンドを受信したか否か判定し（S4411）、エンディングコマンドを受信したと判定した場合（S4411でYES）、エンディングコマンド受信処理を行い（S4412）、S4413の処理に移行する。一方、S4411で、エンディングコマンドを受信していないと判定した場合（S4411でNO）、エンディングコマンド受信処理を行うことなく、S4413の処理に移行する。
【０２２７】
続いて、主制御部からＶ通過コマンド（小当り遊技の発生に基づいてＶ通過したことを示すコマンド）を受信したか否かを判定し（S4413）、Ｖ通過コマンドを受信したと判定した場合（S4413でYES）、Ｖ通過報知コマンドをセットし（S4414）、S4415の処理に移行する。尚、Ｖ通過コマンドは、特別図柄当否判定の結果が、特図１小当りＡ、Ｂ、特図２小当りＡ〜Ｄの何れかとなり、当該小当り遊技中に第２大入賞口に入球した遊技球が、Ｖ有効期間中に特定領域を通過したことを、主制御基板８０からサブ制御基板９０に通知するコマンドである。Ｖ通過報知コマンドがコマンド送信処理（S4006）にて画像制御基板１００（画像制御部）等に送信されると、画像制御基板１００のＣＰＵは、所定の画像情報を画像制御基板１００のＲＯＭから読み出して、画像表示装置７の表示画面７ａにて「Ｖ通過！大当り！」等の文字を表示する。これにより、遊技球が特定領域３９を通過し、大当り遊技が実行されることが遊技者に報知される。一方、S4413で、Ｖ通過コマンドを受信していないと判定した場合（S4413でNO）、Ｖ通過報知コマンドをセットすることなく、S4415の処理に移行する。S4415では、その他の処理を実行し、処理を終える。
【０２２８】
尚、Ｖ有効期間外に特定領域を遊技球が検知した場合にも、Ｖ有効期間外の通過であることを特定可能な情報を含むＶ通過コマンドを受信するものとしてもよい。これにより、当該有効期間外Ｖ通過コマンドの受信に基づいて、サブ制御部９０で制御するスピーカ６７や画像表示装置７や枠ランプ６６や盤面ランプ５等を用いてエラー報知を行うことが可
【０２２９】
［ゲート通過時処理］
図５２に示すように、ゲート通過時処理（S4420）ではまず、S4901で、遊技状態が高ベース状態かどうかを判定し（S4901）、高ベース状態であると判定した場合（S4901でYES）、左打ち報知演出（図５０に示す第１左打ち報知演出、「第１遊技領域発射報知」に相当）を実行することなく、処理を終える。本実施例１のパチンコ遊技機１は、高ベース状態（「第２頻度状態」に相当）では、遊技球を右遊技領域に発射して遊技を行うので、右打ちを行っていることを検知したとしても左打ち報知演出を行うことはない。ここで、ゲート通過時処理は、ゲート通過コマンドを受信した場合に実行される処理で、所定の遊技状態において、遊技者が右打ち遊技を行っていることを検知した場合に、『現在の遊技状態では右打ち遊技が禁止されており、左打ち遊技を行う（左打ちに戻す）こと』を指示する報知演出を実行するための処理である。ゲート通過コマンドは、前述したゲート２８（「普図始動ゲート」ともいう）への通過に基づいて主制御部８０からサブ制御部９０に送信されるコマンドである。ゲート２８は、発射方向を報知（指示）する発射方向報知機能と、普通図柄を変動表示させる普通図柄始動機能とを兼ね備えている。また、ゲート２８は、右遊技領域（「第２遊技領域」に相当）に発射した遊技球が入球可能であって、左遊技領域（「第１遊技領域」に相当）に発射した遊技球が入球不能な位置に設けられており、このゲート２８で遊技球を検知することで、遊技者が、遊技球を右遊技領域（第２遊技領域）に発射したことを検知することが可能となる。
【０２３０】
S4901で、遊技状態が高ベース状態でない、すなわち低ベース状態（「第１頻度状態」に相当）であると判定した場合（S4901でNO）、次いで、左打ち報知禁止フラグがＯＮか否かを判定する（S4902）。左打ち報知禁止フラグがＯＮであると判定した場合（S4902でYES）、低ベース状態で右打ちを検知したときであっても、左打ち報知演出を実行することなく、処理を終える。一方、S4902で、左打ち報知禁止フラグがＯＮでないと判定した場合（S4902でNO）、左打ち報知演出（第１左打ち報知演出、「第１遊技領域発射報知」に相当）実行コマンドをセットし（S4903）、処理を終える。また、S4903でセットされた第１左打ち報知演出実行コマンドが、コマンド送信処理（S4006）により画像制御基板１００に送信されると、画像制御基板１００のＣＰＵは、図５０に示す所定の演出画像を画像制御基板１００のＲＯＭから読み出して、画像表示装置７の表示画面７ａ上で発射報知演出（発射方向報知演出）を行う。具体的に、「第１左打ち報知演出（第３発射報知演出）」では、「右側領域への発射はやめてください  左側領域に発射してください」との文字表示等を表示画面７ａ上に表示する。
【０２３１】
また、左打ち報知禁止フラグは、後述するオープニングコマンド受信処理（S4410）及び大当り遊技終了後発射報知処理（S4302）において、ＯＮにすることが可能である。原則的には、遊技状態が（大当り遊技、小当り遊技中を除く）低ベース状態である場合には、左遊技領域（第１遊技領域）に遊技球を発射して遊技を行うものとされ、右打ちが検知された場合には、左打ちを指示する発射方向報知演出（発射方向指示演出）が実行されるものとされる。然しながら、前述した左打ち報知禁止フラグがＯＮになっている場合には、例え、遊技状態が（大当り遊技、小当り遊技中を除く）低ベース状態であったとしても、左打ちを指示する発射方向報知演出（左打ち報知演出）を実行しないものとする。
【０２３２】
また、遊技状態が、大当り遊技中、小当り遊技中、又は高ベース状態である場合には、右遊技領域（第２遊技領域）に遊技球を発射して遊技を行うものとされ、右打ちが検知された場合でも、左打ち報知演出は実行されない。このような報知態様は、遊技状態によって、右打ちと左打ちとに遊技態様を変えながら遊技を行うパチンコ遊技機において、遊技者を有利に導くためのものであり、また、ごく短期間で右打ちと左打ちとに変える煩わしさを極力発生しない様にするためのものである。これにより、遊技興趣の低下を極力防止することが可能となる。
【０２３３】
［変動演出開始処理］
図５３に示すように、変動演出開始処理（S4404）ではまず、S4501で、演出制御用マイコン９１が予告演出決定用乱数や演出図柄決定用乱数等の演出決定用乱数を取得する演出決定用乱数取得処理（S4501）を行う。具体的に本実施例では、予告演出決定用乱数として、会話予告決定用乱数（「第１予告演出決定用乱数」ともいう）、ステップアップ予告決定用乱数（「第２予告演出決定用乱数」ともいう）、キャラクタ予告決定用乱数（「第３予告演出決定用乱数」ともいう）、可動部予告決定用乱数（「第４予告演出決定用乱数」ともいう）、及び、事前報知演出決定用乱数（「第５予告演出決定用乱数」）を有しており、主制御部８０から変動開始コマンドを受信したタイミングで、S4501の処理を行い、夫々の乱数から所定の値（入球情報）を取得することとなる。また、後述の予告演出等設定処理（S4506）において、この取得した値に基づいて演出図柄（特別図柄）の変動表示に伴って実行する予告演出（会話予告、ステップアップ予告、キャラクタ予告、可動部予告、事前予告）等を決定する。
【０２３４】
次に、S4502で、演出制御用マイコン９１により変動開始コマンドを解析する（S4502）。変動開始コマンドには、第１特別図柄又は第２特別図柄の変動パターン選択処理で選択された変動パターンを指定する変動パターン指定コマンド（変動パターンを指定する情報）が含まれている。そして、変動パターンを指定する情報には、図９に示す変動パターン情報（Ｐ１乃至Ｐ１７）や、現在の遊技状態を指定する遊技状態情報や、第１特別図柄当否判定又は第２特別図柄当否判定の判定結果や、当り種別を指定する図柄情報等が含まれている（図８参照）。変動パターン情報や遊技状態情報や図柄情報等は、これ以降に実行する変動演出開始処理以外の他の処理においても利用可能である。
【０２３５】
次に、S4503で、演出制御用マイコン９１が現在のモードステータスを参照する（S4503）。モードステータスは、実行する演出モードを決めるためのものである。モードステータスは「１」〜「５」までの何れかの値とされ、各値は演出モードＡ〜Ｅに対して割り当てられている。
【０２３６】
ここで演出モードとは、画像表示装置７における演出の態様であり、演出モードが異なると、予告演出やリーチ演出等の遊技演出の演出態様の一部又は全部が異なるものとされる。具体的に、登場するキャラクタ、アイテム、背景画像が異なる等、画像表示装置７に表示される画像が異なり、演出図柄遊技演出も演出モードに応じた態様で実行されるものとすることができる。また、複数の遊技演出（予告演出やリーチ演出等）を設ける場合に、演出モードによって異なる遊技演出を実行可能としてもよい。本実施例では、演出モードＡ、Ｄ、Ｅは低ベース状態に制御されているときに実行され、演出モードＢは高ベース状態に制御されているときに実行される。また、演出モードＣは大当り遊技終了後に低ベース状態に制御され、且つ第２特別図柄が変動表示するときに実行される。従って、演出モードがＡ〜Ｃのいずれであるかを確認することで、遊技者は現在の遊技状態を把握することができる。
【０２３７】
次に、S4504で、演出制御用マイコン９１が制御する画像表示装置７、盤面ランプ５、可動装飾部材１４等の変動演出パターン（「演出パターン」ともいう）を決めるための変動演出パターン決定用のテーブルをセットする（S4504）。具体的に、変動演出パターン決定用のテーブルとして、主制御部８０から受信した変動パターン指定コマンドに基づいて、図示はしないが、演出図柄の変動態様を決定するための演出図柄変動態様決定テーブルがセットされる。本実施例では、遊技状態や演出モードによって、異なる演出図柄変動態様決定テーブルがセットされる。
【０２３８】
次いでS4505で、S4504においてセットした変動演出パターンテーブルに基づいて、指定された変動パターンに適合し、且つ参照したモードステータスが示す演出モードに応じた変動演出パターンを選択する（S4505）。また、S4505では、変動演出パターンのうち、主に、演出図柄表示領域７ｂで表示される演出図柄の変動態様（演出図柄遊技演出の態様）が決定される。これにより、演出図柄遊技演出において、リーチ演出を実行する場合（リーチ有演出図柄遊技演出）と、特定のキャラクタを用いて行うキャラクタ演出を実行する場合（キャラクタ演出図柄遊技演出）と、リーチ演出やキャラクタ演出を実行しない場合（リーチ無演出図柄遊技演出）とが設定される。
【０２３９】
また、本実施例のパチンコ遊技機１には、演出図柄の変動態様として、複数のリーチ演出（ノーマルリーチ演出、スーパーリーチ演出等）とキャラクタ演出とが設定されており、S4505で、演出図柄変動態様決定テーブルに基づいて、これらのうち何れの演出を行うか、又はこれらの演出を行わない（これを「ノーマル変動」ともいう）かが決定される。そして、これらのうち何れの演出が実行されるかを判定し、実行される演出の発生を事前に示唆する事前報知演出を行うことが可能となる。
【０２４０】
ここで、遊技演出として、スーパーリーチ演出が実行される場合には、ノーマルリーチ演出が実行される場合と比較して、大当りとなる可能性が高くなるように設定されている。すなわち、スーパーリーチ演出はリーチ（ノーマルリーチ）演出と比較して大当り信頼度（大当りとなる可能性）の高い遊技演出であるといえる。
【０２４１】
次いで、S4506で、予告演出等設定処理を行う。予告演出等設定処理（S4506）では、S4501で取得した演出決定用乱数に基づいて、変動演出パターンにおいて、予告演出種のうち何れの予告演出種の予告演出を実行するかを決定する。また、停止表示する演出図柄（「停止演出図柄」ともいう）を決定する。これらの処理（S4505及びS4506）により、変動演出パターンが決定される。
【０２４２】
次いで、S4507で、S4505及びS4506において選択した変動演出パターンに基づいて演出図柄遊技演出等を開始するための変動演出開始コマンドをセットし（S4507）、変動演出開始処理を終了する。
【０２４３】
また、S4505でセットされた変動演出開始コマンドが、コマンド送信処理（S4006）により画像制御基板１００に送信されると、画像制御基板１００のＣＰＵは、所定の演出画像を画像制御基板１００のＲＯＭから読み出して、画像表示装置７の表示画面７ａ上で演出図柄遊技演出を行う。
【０２４４】
尚、演出図柄遊技演出の結果として停止表示される演出図柄は、例えば、特別図柄当否判定の結果が１５Ｒ大当りのときは「７７７」等の奇数図柄のゾロ目とされ、その他の大当り（４Ｒ大当り、６Ｒ大当り）のときは「６６６」等の偶数図柄のゾロ目とすることができる。また、小当りのときは、「１３５」等予め定めたチャンス目や「３☆３」等の小当り専用図柄を停止表示してもよい。また、リーチ有り外れのときは「７８７」等の３個の演出図柄のうち１個の演出図柄が他の演出図柄と異なるバラケ目、リーチ無し外れのときは「６３５」等の３個の演出図柄のうち少なくとも１個の演出図柄が他の演出図柄が異なるバラケ目が選択されるようになっている。尚、前述の演出図柄の停止表示態様は一例であり、大当りや小当りや外れとなったときに、停止演出図柄として何を停止表示するかは適宜変更可能である。
【０２４５】
［変動演出終了処理］
図５４に示すように、変動演出終了処理（S4408）ではまず、S4601で、演出制御用マイコン９１が変動停止コマンドを解析し（S4601）、モードステータスを参照する（S4602）。これにより、現在の演出モードがＡ〜Ｅのうち何れかを判定する。次に、S4603で、遊技状態が変化するか否かを判定する。例えば、高ベース状態から低ベース状態に移行したり、低ベース状態から高ベース状態に移行したり、低ベース状態且つ第２特別図柄が変動表示する状態から低ベース状態且つ第２特別図柄が変動表示しない状態に移行したりといったことがあるかを判定する。S4603で、遊技状態が変化すると判定した場合（S4603でYES）、変化後の遊技状態に対応する演出モード（Ａ〜Ｅ）設定コマンドをセットし（S4604）、S4605の処理に移行する。一方、S4603で、遊技状態は変化しないと判定した場合（S4603でNO）、S4605の処理に移行する。S4605では、演出制御用マイコン９１が演出図柄遊技演出を終了させるための変動演出終了コマンドをセットし（S4605）、処理を終える。
【０２４６】
［オープニングコマンド受信処理］
次に図５５を用いてオープニングコマンド受信処理について説明する。オープニングコマンド受信処理（S4410）ではまず、S4701で、第２発射報知フラグがＯＮか否かを判定する。ここで「第２発射報知フラグ」は、後述するエンディングコマンド受信処理（図４８）において、当り遊技（大当り遊技、小当り遊技）の終了に際して設定されるフラグであり、当り遊技終了後の遊技状態が高ベース状態に設定されると第２発射報知フラグがＯＮのまま維持される。また、当り遊技終了後の遊技状態が低ベース状態に設定されるか、若しくは、高ベース状態から高ベース状態に移行すると、第２発射報知フラグはＯＦＦにされる。すなわち、「第２発射報知フラグ」は高ベース状態であることを示すフラグである。尚、当り遊技終了後に第２特別図柄が変動表示する（第２特図保留がある）場合は、当該第２特別図柄の変動表示が終了してから第２発射報知フラグをＯＦＦにするものとする。
【０２４７】
S4701で、第２発射報知フラグがＯＮであると判定した場合（S4701でYES）、第２発射報知フラグをＯＦＦにし（S4703）、S4709の処理に移行する。S4701で、第２発射報知フラグがＯＮでないと判定した場合（S4701でNO）、S4709の処理に移行する。S4709では、再チャンスモードフラグがＯＮであるかどうかを判定し（S4709）、再チャンスモードフラグがＯＮであると判定した場合（S4709でYES）、再チャンスモードフラグをＯＦＦにし（S4710）、S4702の処理に移行する。S4709で、再チャンスモードフラグがＯＦＦであると判定した場合（S4709でYES）、S4702の処理に移行する。尚、「再チャンスモードフラグ」については後述する。S4702では、第１発射報知フラグをＯＮにし（S4702）、S4704の処理に移行する。ここで、「第１発射報知フラグ」は、当り遊技中であることを示すフラグであり、当り遊技の開始に際して実行するオープニングコマンド受信処理においてＯＮにし、当り遊技の終了に際して実行するエンディングコマンド受信処理においてＯＦＦにするものとされる。
【０２４８】
S4704では、左打ち報知禁止フラグをＯＮにし（S4704）、次いで第１右打ち報知演出実行コマンドをセットし（S4705）、S4706の処理に移行する。本実施例１のパチンコ遊技機では、当り遊技中は、右遊技領域（第２遊技領域）に発射した遊技球が入球可能な位置に設けた第１大入賞口又は第２大入賞口を狙って遊技を行うため、右打ち遊技を行うことを要する。そのため、遊技球がゲート２８を通過して際に、第１左打ち報知演出が実行されないようにするため、当り遊技開始に際して実行されるオープニングコマンド受信処理において、左打ち報知禁止フラグをＯＮにする処理を行う。
【０２４９】
また、S4705でセットされた第１右打ち報知演出実行コマンドが、コマンド送信処理（S4006）により画像制御基板１００に送信されると、画像制御基板１００のＣＰＵは、図５０に示す所定の演出画像を画像制御基板１００のＲＯＭから読み出して、画像表示装置７の表示画面７ａ上で発射報知演出（発射方向報知演出）を行う。具体的に、「第１右打ち報知演出（第１発射報知演出）」では、「右側領域のアタッカを狙って発射してください」との文字表示等を所定期間表示画面７ａ上に表示する。第１右打ち報知演出は、当り遊技の実行に伴って実行される報知演出であり、当り遊技の実行中ずっと表示してもよいし、所定条件の成立により、終了してもよい。例えば、ゲート２８で遊技球が検知されること等により、実際に右打ちが検知された場合に当該報知演出を終了してもよい。また、大当り遊技の場合は、１Ｒ目から２Ｒ目が終了するまで表示を行う等、所定ラウンドまで報知演出を実行してもよい。また、大当り遊技の途中で、報知演出の演出態様を変えてもよい。例えば、大当り遊技の開始当初は報知演出を大きく表示し、所定ラウンドからは、小さく表示してもよい。
【０２５０】
S4706では、オープニングコマンドを解析し（S4706）、解析したオープニングコマンドに基づいて、特別遊技（大当り遊技又は小当り遊技）中に実行する特別遊技演出の演出態様を選択する特別遊技演出パターン選択処理を行う（S4707）。この特別遊技演出には、特別遊技開始に伴う大入賞口開放前のオープニング期間中に実行するオープニング演出と、特別遊技の実行中であって、大入賞口の開放遊技（ラウンド）中及び開放遊技と開放遊技との間（ラウンド間）のインターバル中に実行する特別遊技実行中演出と、が含まれている。次いで、S4708で、演出制御用マイコン９１が選択した特別遊技演出パターンに基づいて特別遊技演出を開始するためのオープニング演出開始コマンドをセットし（S4708）、処理を終える。尚、大入賞口を開放する大当り遊技や小当り遊技を、「当り遊技」ともいう。
【０２５１】
また、小当りとしての特別遊技の実行に際して選択される特別遊技演出としては、そのオープニング演出において、第２大入賞装置３６（第２大入賞口３５）を狙って遊技球を発射する旨（右打ち遊技を行う旨）を表示画面７ａに表示するものが選択されるようにしてもよい。すなわち、第２大入賞装置３６（第２大入賞口３５）が開放するよりも前の所定のタイミング（オープニング期間）において、予め右打ち遊技を開始すべきことを報知する演出を行うものとされる。これにより、合計１．８秒という短い第２大入賞口３５の開放時間中に、第２大入賞口３５に遊技球が入球する可能性を高くすることが可能となる。これに対して、大当りとしての特別遊技の実行時には、このような報知（第２大入賞口３５の開放前から右打ちをし続ける旨の報知）を伴わないオープニング演出を選択してもよい。
【０２５２】
［エンディングコマンド受信処理］
次に図５６を用いてエンディングコマンド受信処理について説明する。エンディングコマンド受信処理（S4412）では、まず、S4801で、第１右打ち報知演出終了コマンドをセットする。これにより、当り遊技の終了に伴って、アタッカ（第１大入賞口又は第２大入賞口）を狙って遊技球を発射することを報知する第１右打ち報知演出を終了することとなる。次いで、S4802で、左打ち報知禁止フラグをＯＦＦにし（S4802）、第１発射報知フラグをＯＦＦにし（S4803）、第２発射報知フラグをＯＮにし（S4804）、S4805の処理に移行する。
【０２５３】
ここで、左打ち報知禁止フラグは当り遊技の終了に伴ってＯＦＦにされ、当り遊技終了後の遊技状態が高ベース状態に設定される場合や、第２特別図柄の変動表示が実行される場合には、後述する大当り遊技終了後発射報知処理（S4302）において再度ＯＮにされる。また、第２発射報知フラグは、当り遊技の終了に伴ってＯＮにされ、当り遊技終了後の遊技状態が低ベース状態に設定され、且つ第２特別図柄の変動表示が実行されない場合にＯＦＦにされる。つまり、第２発射報知フラグがＯＮになっている間は、左打ち報知は実行されない。当り遊技終了後、第２発射報知フラグがＯＦＦにされることを、「特定条件の成立」とし、左打ち報知演出（第１遊技領域発射報知）を実行可能とすることが可能である。
【０２５４】
S4805では、エンディングコマンドを解析し（S4805）、次いで、モードステータス変更処理を行う（S4806）。モードステータス変更処理（S4806）では、現在実行中の特別遊技が、時短大当りに係る大当り遊技であれば、モードステータスを演出モードＢに係るステータスにセットする。また、非時短大当りに係る大当り遊技で、第２特図保留がある場合にはモードステータスを演出モードＣに係るステータスにセットする。また、非時短大当りに係る大当り遊技で、第２特図保留がない場合にはモードステータスを演出モードＡに係るステータスにセットする。
【０２５５】
このようなモードステータスの変更（設定）により、特別遊技（大当り遊技、小当り遊技）終了後の特別図柄の変動表示に伴って実行される演出図柄遊技演出における演出モードが、変更後（設定後）のモードステータスに対応した演出モードとされる。次に、S4807で、演出制御用マイコン９１がモードステータスを参照し（S4807）、次いで、解析したエンディングコマンド及び参照したモードステータスに基づいて、エンディング演出の演出パターン（演出態様）を選択するエンディング演出パターン選択処理を行う（S4808）。尚、エンディング演出とは、特別遊技における全ての大入賞口開放処理（大入賞口開放遊技）を終了した後のエンディング期間中に実行する演出である。そして、S4809で、演出制御用マイコン９１は、選択したエンディング演出パターンに基づいてエンディング演出を開始するためのエンディング演出開始コマンドをセットし（S4809）、処理を終える。
【０２５６】
また、S4809でセットされたエンディング演出開始コマンドが、コマンド送信処理（S4006）により画像制御基板１００に送信されると、画像制御基板１００のＣＰＵは、所定のエンディング演出画像を画像制御基板１００のＲＯＭから読み出して、画像表示装置７の表示画面７ａに表示させる。ここで本実施例では、時短大当りに係る特別遊技が実行された場合にはエンディング演出として、「演出モードＢ（チャンスモード）突入」の文字を表示画面７ａに表示する演出が選択される。これにより、再度の大当り遊技を実行する可能性が高いチャンスモードに突入したことを遊技者に報知することが可能となる。
【０２５７】
また、非時短大当り且つ第２特図保留がある場合に係る特別遊技に対するエンディング演出として、「演出モードＣ（再チャンスモード）突入」の文字を表示画面７ａに表示する演出が選択される。これにより、チャンスモードに復帰できる可能性の高い再チャンス（ラストチャンス）モードに突入したことを遊技者に報知することが可能となる。また、非時短大当り且つ第２特図保留がない場合に係る特別遊技に対するエンディング演出として、「演出モードＡ（通常モード）突入」の文字を表示画面７ａに表示する演出が選択される。これにより、遊技者に有利なチャンスモードが終了し、遊技状態が通常状態となったことが報知される。
【０２５８】
［大当り遊技終了後発射報知処理］
次に、図５７を用いて、大当り遊技終了後発射報知処理（S4302）について説明する。大当り遊技終了後発射報知処理は、大当り遊技終了後の発射報知演出（発射方向報知）を制御するための処理である。大当り遊技終了後発射報知処理（S4302）ではまず、第２発射報知フラグがＯＮかどうかを判定する（S5001）。第２発射報知フラグは、当り遊技の終了に際してＯＮにされる（設定される）フラグであり、当り遊技終了後の遊技状態が、予め定めた特別状態である期間はＯＮにされており、特別状態でなくなると、ＯＦＦにされる。S5001で、第２発射報知フラグがＯＮでないと判定した場合（S5001でNO）、処理を終える。すなわち、本処理は、第２発射報知フラグがＯＮの場合に行う処理といえる。
【０２５９】
S5001で、第２発射報知フラグがＯＮであると判定した場合（S5001でYES）、次いで高ベース状態であるか否か、すなわち、当り遊技終了後の遊技状態が高ベース状態に設定されているかどうかを判定する（S5002）。S5002で、遊技状態が高ベース状態であると判定した場合（S5002でYES）、前述した様に高ベース状態では右打ちにより遊技を行うので、左打ち報知禁止フラグをＯＮにし（S5003）、S5004の処理に移行する。これにより、高ベース状態において、右打ち遊技が検知されても、左打ち報知演出は実行不能とされる。S5004では、第２右打ち報知演出の実行中かどうかを判定し（S5004）、既に第２右打ち報知演出の実行中であると判定した場合（S5004でYES）、処理を終える。また、第２右打ち報知演出の実行中でないと判定した場合（S5004でNO）、第２右打ち報知演出実行コマンドをセットし（S5005）、処理を終える。つまり、高ベース状態の開始に伴って、左打ち報知演出が実行不能に設定されると共に、所定の右打ち報知演出を実行するものとされる。
【０２６０】
また、S5005でセットされた第２右打ち報知演出実行コマンドが、コマンド送信処理（S4006）により画像制御基板１００に送信されると、画像制御基板１００のＣＰＵは、図５８に示す所定の演出画像を画像制御基板１００のＲＯＭから読み出して、画像表示装置７の表示画面７ａ上で発射報知演出（発射方向報知演出）を行う。具体的に、「第２右打ち報知演出（第２発射報知演出）」では、「右側領域の電チューを狙って発射してください」との文字表示等を所定期間表示画面７ａ上に表示する。「電チュー」とは第２始動口２１を指している。また、第２右打ち報知演出は、遊技状態が高ベース状態に設定されることに伴って実行される報知演出であり、高ベース状態の実行中ずっと表示してもよいし、所定条件の成立により、終了してもよい。例えば、ゲート２８で遊技球が検知されること等により、実際に右打ちが検知された場合に当該報知演出を終了してもよい。また、高ベース状態において、所定時間経過することや、特別図柄（第２特別図柄）が所定回数変動表示すること等を条件として、報知演出を終了してもよい。また、高ベース状態の開始後、所定期間経過（所定条件成立）に伴って、報知演出の演出態様を変えてもよい。例えば、高ベース状態の開始当初は報知演出を大きく表示し、その後小さく表示してもよい。
【０２６１】
一方、S5002で、遊技状態が高ベース状態でないと判定した場合（S5002でNO）、次いで第２右打ち報知演出の実行中かどうかを判定する（S5006）。S5002で、遊技状態が高ベース状態でない、すなわち低ベース状態であると判定する場合として、例えば、大当り遊技終了後の遊技状態が低ベース状態に設定される非時短大当りの発生を挙げることができる。また、大当り遊技終了後の遊技状態が高ベース状態に設定される時短大当りが発生したものの、高ベース状態において、上限回数（本実施例では１００回）の特別図柄当否判定を実行しても、大当り遊技が実行されなかった場合に、低ベース状態に設定される場合をあげることができる。S5006で、第２右打ち報知演出を実行中であると判定するのは、この後者の場合が挙げられる。S5006で、第２右打ち報知演出を実行中であると判定した場合（S5006でYES）、実行中の第２右打ち報知演出を終了させるべく、第２右打ち報知演出終了コマンドをセットし、S5007の処理に移行する。
【０２６２】
S5007では、第２演出保留の数（第２特図保留の数）が０より多いかどうかを判定する。本実施例１では、第２演出保留記憶部に記憶可能な第２演出保留の上限数は「１」とされているので、第２演出保留があるかどうか（「１」かどうか）ということも可能である。S5007で、第２演出保留記憶部に記憶される第２演出保留の数が０より多い、すなわち、これから第２特別図柄当否判定が実行されると共に第２演出図柄（第２特別図柄）が変動表示すると判定した場合（S5007でYES）、S5009の処理に移行する。また、S5007で、第２演出保留記憶部に保留情報は記憶されていないと判定した場合（S5007でNO）、次いで、第２演出図柄（第２特別図柄）が変動表示中であるかどうかを判定する（S5011）。S5011で、第２演出図柄（第２特別図柄）が変動表示中である、すなわち、これから第２特別図柄当否判定の結果が示されると判定した場合（S5011でYES）、S5009の処理に移行する。この様に、第２演出保留記憶部に未消化の保留情報が記憶されているか、第２演出保留記憶部に未消化の保留情報は記憶されていないが第２特別図柄に係る演出図柄（第２演出図柄）の変動表示中である場合、すなわち、これから、第２特別図柄当否判定の結果が示されることが確定している状態であると、S5009の処理に移行するものとされている。
【０２６３】
S5009では、左打ち報知禁止フラグをＯＮにし（既にＯＮになっている場合にはＯＮのまま維持し）（S5009）、再チャンスモードフラグをＯＮにし（S5010）、処理を終える。これにより、大当り遊技終了後の遊技状態が低ベース状態に設定された場合であっても、第２演出保留記憶部に未消化の保留情報が記憶されているか、第２演出保留記憶部に未消化の保留情報は記憶されていないが第２特別図柄に係る演出図柄（第２演出図柄）の変動表示中である場合には、左打ち報知禁止フラグがＯＮにされる。この特別状態においては、低ベース状態で、右打ちが検知されても、特別に左打ち報知演出は実行されず、特別状態が終了したときの遊技状態が低ベース状態且つ非当り遊技状態であることを条件として、左打ち報知演出を実行可能な状態とする。また、サブ制御部９０は、この特別状態においては、右打ち報知演出も実行しないので、左打ち報知演出及び右打ち報知演出の何れの報知演出も実行しない期間とされる。
【０２６４】
最も、前述の主制御部８０で制御する発射方向表示器４７（第１発射報知手段）は、遊技状態が低ベース状態であれば、第２特別図柄の保留の有無や、変動表示中かどうかにかかわらず、左打ち遊技を示す表示態様（報知態様）とされる。然しながら、この発射方向表示器４７は、図３及び図４に示すように、比較的小型の表示部（ＬＥＤ）によって、右打ち遊技状態又は左打ち遊技状態を示すので、表示画面７ａを用いて行う発射報知演出（「第２発射報知手段」ともいう）に比べて、遊技者が認識しづらいものとされている。また、大方の遊技者は、図４に示す主表示器４０の表示態様ではなく、図３に示す表示画面７ａの表示態様を注視して遊技を行うので、発射方向表示器４７の表示態様の変化には気づき難いものとされている。
【０２６５】
ここで、『大当り遊技終了後の遊技状態が低ベース状態に設定された場合であっても、第２演出保留記憶部に未消化の保留情報が記憶されているか、第２演出保留記憶部に未消化の保留情報は記憶されていないが第２特別図柄に係る演出図柄（第２演出図柄）の変動表示中である場合』に、左打ち報知禁止フラグをＯＮにして、右打ちを検知しても左打ち報知を行わないものとしたり、低ベース状態の設定に基づいて、すぐに図５８に示す第２左打ち報知演出を実行しないものとしたりしたのは、（保留中又は変動中の）実行が確定している第２特別図柄当否判定に基づいて、再度大当り遊技が発生する可能性があるからである。そして、再度大当り遊技が発生した場合には、右遊技領域（第２遊技領域）へ遊技球を発射する右打ち遊技を行う必要がある。例えば、大当り遊技終了後の遊技状態が低ベース状態に設定され、すぐさま第２左打ち報知演出（第４発射報知演出）を実行した場合には、その後保留又は変動中に係る第２特別図柄当否判定の結果に基づいて大当りとなった場合には、極短期間で、再度右打ち報知演出を実行することとなる。この様に、右打ち遊技状態（大当り遊技）の終了後の短期間の間に、一旦左打ち報知演出を行って左打ち遊技を行わせ、再度大当りとなった場合には、再度右打ち報知演出を行って右打ち遊技を行わせるといった、遊技態様（発射方向報知態様）を実行すると、遊技者は煩わしく感じ、遊技興趣を低下させる可能性がある。
【０２６６】
この様な煩雑な発射報知演出による遊技興趣の低下を防止するため、『大当り遊技終了後の遊技状態が低ベース状態に設定された場合であっても、第２演出保留記憶部に未消化の保留情報が記憶されているか、第２演出保留記憶部に未消化の保留情報は記憶されていないが第２特別図柄に係る演出図柄（第２演出図柄）の変動表示中である場合』には、その第２演出図柄の変動表示が全て終了するまでは（第２特別図柄当否判定の結果が表示されるまで）、左打ち報知禁止フラグをＯＮにし、且つ第２左打ち報知演出を実行しないものとしている。これにより、この特別状態においては、低ベース状態で遊技者が右打ち遊技を継続していても、発射を停止していても、左打ち報知演出が実行されることはない。
【０２６７】
また、この第２演出図柄の変動表示に基づいて大当り遊技が実行される（第２特別図柄当否判定の結果が大当りか、又は小当りとなって特定領域を通過し大当りとなる）場合には、当該大当り遊技中も引き続き、左打ち報知演出が禁止とされる。一方、全ての第２演出保留（第２特図保留）がなくなり、且つ、第２特別図柄に係る演出図柄（第２演出図柄）の変動表示が終了し、この第２特別図柄に係る演出図柄（第２演出図柄）の変動表示に基づいて大当り遊技が実行されなかった場合には、左打ち報知禁止フラグをＯＦＦにする処理（S5014）等が実行される。
【０２６８】
具体的に、S5007で、第２演出保留記憶部に保留情報は記憶されていないと判定され（S5007でNO）、且つ、第２特別図柄に係る演出図柄（第２演出図柄）が変動表示中でないと判定された場合（S5011でNO）、再チャンスモードフラグをＯＦＦにし（ＯＦＦであればＯＦＦのまま維持し）（S5012）、第２発射報知フラグをＯＦＦにし（S5013）、左打ち報知禁止フラグをＯＦＦにし（S5014）、第２左打ち報知演出実行コマンドをセットし（S5015）、処理を終える。また、S5015でセットされた第２左打ち報知演出実行コマンドが、コマンド送信処理（S4006）により画像制御基板１００に送信されると、画像制御基板１００のＣＰＵは、図５８に示す所定の演出画像を画像制御基板１００のＲＯＭから読み出して、画像表示装置７の表示画面７ａ上で発射報知演出（発射方向報知演出）を行う。具体的に、「第２左打ち報知演出（第４発射報知演出）」では、「チャンスモードが終了しました  左側領域を狙って発射してください」との文字表示等を所定期間表示画面７ａ上に表示する。これにより、以後、ゲート２８により遊技球が検知（右打ち遊技が検知）されると、図５２に示すゲート通過時処理（S4420）に基づいて第１左打ち報知演出（第３発射報知演出）が実行されることとなる。
【０２６９】
また、本実施例１では、遊技状態が高ベース状態（第２頻度状態）に設定されている状態を、「チャンスモード」といい、第２始動口への入球頻度が高くされる（第２始動口への入球が容易な状態とされる）。そして、第２特別図柄当否判定で大当りと判定される確率は、第１特別図柄当否判定と同じであるが、第２特別図柄当否判定で小当りと判定される確率は、第１特別図柄当否判定よりも高く設定されている。これにより、小当りに基づいて大当りとなる（小当りＶ）により、短期間で次回の大当り遊技が実行される可能性が非常に高く設定されている。従って、チャンスモードでは、当該チャンスモード中に次回の大当り遊技が実行される可能性が高い、すなわち所謂連荘（連続して大当り遊技）が発生する可能性が高い状態とされる。また、大当りが時短大当りであると、大当り遊技終了後が再度チャンスモードに設定されることとなる。
【０２７０】
このチャンスモード中（時短状態、高ベース状態）においては、第２特別図柄当否判定の結果が大当りとなったときに時短状態となる確率は、４９．５％とされる。また、第２特別図柄当否判定の結果が小当りとなって特定領域を通過することに基づいて大当りとなったときに時短状態となる確率は、４９．８％とされる。すなわち、チャンスモード中に大当り遊技が実行され、当該大当り遊技の終了後に再度チャンスモード（時短状態）に設定される確率は、およそ５０％とされている。
【０２７１】
一方、低ベース状態（非時短状態、通常状態）においては、第２特別図柄当否判定の結果が大当りとなったときに時短状態となる確率は、１００％とされる。また、第２特別図柄当否判定の結果が小当りとなって特定領域を通過することに基づいて大当りとなったときに時短状態となる確率も、１００％とされている。すなわち、低ベース状態（非時短状態、通常状態）において、第２特別図柄当否判定が実行されて大当り遊技が実行された場合には、当該大当り遊技の終了後にチャンスモード（時短状態、高ベース状態）に設定される確率は、１００％とされている。また、第２特別図柄当否判定の結果が大当りと判定される確率は、第１特別図柄当否判定の結果が大当りと判定される確率と同じ「１／２１５．５７」とされており、少ない判定回数（例えば「１」回）で大当りと判定することを困難な確率に設定されている。
【０２７２】
一方、第２特別図柄当否判定の結果が小当りと判定される確率は「１／４．０７」とされ、第１特別図柄当否判定の結果が小当りと判定される確率は「１／１９．９９」とされている。従って、第２特別図柄当否判定の結果が小当りと判定される確率は、第１特別図柄当否判定の結果が小当りと判定される確率と比べて格段に高く設定されている。また、第２特別図柄当否判定において、少ない判定回数（例えば「１」回）で小当りと判定する可能性も比較的高くされている（１回で約２５％）。従って、低ベース状態（通常状態、非時短状態）で、第２特別図柄当否判定が実行されると、大当り遊技が実行される可能性が高く、且つ大当り遊技の終了後は必ずチャンスモード（高ベース状態）に設定されるので、チャンスモードが実行される可能性が高いといえる。
【０２７３】
ここで、低ベース状態における第２特別図柄当否判定は、低ベース状態における第１特別図柄当否判定よりも有利に設定されているものの、低ベース状態においては、第２始動口への遊技球の入球頻度が低く設定されている。そのため、低ベース状態において、第２始動口に遊技球を入球させて、遊技者に有利な第２特別図柄当否判定を実行するのは困難とされている。また、低ベース状態においては、左打ち遊技を行うので、そもそもゲート２８に遊技球を通過させたり、第２始動口２１に遊技球を入球させたりするのは、非常に困難（不可能）であるといってもよい。
【０２７４】
一方、本実施例１のパチンコ遊技機で、低ベース状態において第２特別図柄当否判定を比較的容易に実行可能なのは、遊技状態が高ベース状態に設定されたときである。高ベース状態においては、第２始動口２１への遊技球の入球が容易となっているので、第２始動口２１へ遊技球を入球させて第２特別図柄を変動表示させると共に、第２特図保留記憶部に未消化の保留情報（第２特図保留）を記憶させた状態とする。そして、この状態で変動表示中の第２特別図柄の判定結果に基づいて大当り遊技が実行され、当該大当り遊技終了後の遊技状態が低ベース状態に設定された場合には、『低ベース状態において第２特別図柄当否判定を実行する状態（特別状態）』となる。
【０２７５】
従って、図５７に基づいて説明した『大当り遊技終了後の遊技状態が低ベース状態に設定された場合で、第２演出保留記憶部に未消化の保留情報が記憶されているか、又は、第２演出保留記憶部に未消化の保留情報は記憶されていないが第２特別図柄に係る演出図柄（第２演出図柄）の変動表示中である場合』は、これから、低ベース状態において実行された第２特別図柄当否判定の結果を示す状態であり、遊技者にとっては、再度「チャンスモード（高ベース状態）」に復帰する可能性が高い「再チャンスモード」とされる。そして、この再度「チャンスモード」に突入する可能性が高い期間（「再チャンスモード」）を示すためのフラグとして再チャンスモードフラグを設けており、S5010でこの再チャンスモードフラグをＯＮにしている。サブ制御部では、この再チャンスモードフラグの状態を判定して、表示画面７ａ等において再チャンス演出を実行することが可能となる。
【０２７６】
この様に、『大当り遊技終了後の遊技状態が低ベース状態に設定された場合で、第２演出保留記憶部に未消化の保留情報が記憶されているか、又は、第２演出保留記憶部に未消化の保留情報は記憶されていないが第２特別図柄に係る演出図柄（第２演出図柄）の変動表示中である場合』、すなわち、再チャンスモード（特別状態）では、低ベース状態（左打ち状態）に設定されているものの、短期間で再度（大当り遊技を経由して）高ベース状態（右打ち状態）に設定される可能性が高く設定されている。従って、この実行が確定している第２特別図柄の変動表示の終了を待って、大当り遊技が実行されなければ、左打ち報知禁止フラグをＯＦＦにして、右打ち検知に基づく左打ち報知演出（第１左打ち発射報知演出）の実行を可能にしている。また、当該第２特別図柄の変動表示の終了に基づいて左打ち報知演出（第２左打ち発射報知演出）を実行するものとしている。これにより、遊技者は、左打ち遊技に切り替え、第１始動口２０を狙って遊技を行うこととなる。
【０２７７】
前述のようにしたことで、右打ち報知演出や左打ち報知演出等の発射報知演出が、徒に高頻度で実行されることを防止して、遊技者が短期間で何度も発射方向を切り替える手間をなくし、遊技を煩わしいと感じることを防止することが可能となる。これにより、遊技興趣を高めることが可能となる。
【実施例２】
【０２７８】
次に、図４１（Ｂ）、図６０乃至図６２を用いて実施例２のパチンコ遊技機について説明する。実施例１では、外部出力装置８３（信号出力部、外部端子版１４１）に接続されるホールコンピュータ等で連荘期間を容易に把握できるように、大当り遊技中、特図２連続変動フラグＯＮ、及び時短遊技中の何れかであれば、ＯＮ状態で出力される特定信号（特別信号）を設けていた。これにより、特定信号を受信したホールコンピュータ等は、特定信号がＯＮ状態と判定すれば連荘期間（特定期間）中であると判定することが可能であった。然しながら、この様な態様に限らない。実施例１の態様は、遊技機側が定める期間を連荘期間として、当該連荘期間かどうかの判定をするのは非常に容易である。然しながら、個別の信号によって、ホールコンピュータ側で連荘期間を設定することが困難であったり、他の種類にパチンコ遊技機の外部出力信号と同様に扱いないといった事情があったり、特殊信号であるため、汎用性にかけるといった問題があった。尚、遊技機の遊技の状態が、（１）大当り遊技中、（２）特図２連続変動フラグＯＮ、及び（３）時短遊技中の何れかであるかどうかを判断する制御部を、「状態判断制御部」という。
【０２７９】
［出力信号］
本実施例２では、連荘期間を特定可能な複数の信号を外部出力し、当該複数の信号を受信したホールコンピュータ側で連荘期間を設定するものとする。具体的に、本実施例２の情報出力処理（図６０乃至図６２）により、外部出力可能な遊技信号（遊技情報）について図４１（Ｂ）を用いて説明する。この実施例２の情報出力処理により、遊技制御用マイコン等で生成される所定の遊技信号（遊技情報）を、外部機器（ホールコンピュータ等）で受信可能な態様で出力するものとする。本実施例２では、主制御基板８０から遊技機外部に出力する信号として、図４１（Ｂ）に挙げる６種類の信号を有している。この６種類の出力信号について説明する。
【０２８０】
実施例２の主制御基板８０の情報出力回路８２は、実施例１と同様に第１乃至第６出力部を備えており、遊技制御用マイコン８１で生成された信号が、情報出力回路８２（信号出力部）の第１乃至第６出力部から夫々ＯＮ状態又はＯＦＦ状態で外部出力装置８３（信号出力部、外部信号出力部、外部端子版１４１）に出力される。また、情報出力回路８２の第１出力部からは大当り遊技情報信号（当り遊技中信号）が出力可能とされ、第２出力部からは時短中信号が出力可能とされ、第３出力部からは特図２連続変動信号（連続信号）が出力可能とされ、第４出力部からは小当り遊技中信号が出力可能とされ、第５出力部からは特別図柄確定信号が出力可能とれ、第６出力部からはエラー信号が出力可能とされている。これらの出力信号は、遊技状態に応じてＯＮ状態（信号の論理：１）又はＯＦＦ状態（信号の論理：０）に切り替えられるものとされる。
【０２８１】
具体的に、大当り遊技情報信号は、大当り遊技の開始時にＯＮ状態で出力され、大当り遊技終了から所定期間経過後にＯＦＦ状態で出力される。つまり、「大当り遊技情報信号」は、大当り遊技の実行中と大当り終了後の所定期間の遅延時間において、ＯＮ状態で出力され、それ以外の期間はＯＦＦ状態で出力される。この点、実施例１において、大当り遊技の実行中にのみＯＮ状態で出力される「大当り遊技中信号」とは異なるものである。
【０２８２】
また、時短中信号は、時短状態中（高ベース状態中）はＯＮ状態で出力され、非時短状態中はＯＦＦ状態で出力される。また、特図２連続変動信号は、ＯＦＦ状態において第２特別図柄が連続して変動表示した場合にＯＮ状態で出力され、ＯＮ状態において第１特別図柄が変動表示するとＯＦＦ状態で出力される。また、小当り遊技中信号は、小当り遊技の実行中はＯＮ状態で出力され、小当り遊技の非実行中はＯＦＦ状態で出力される。また、特別図柄確定信号は、特別図柄の変動停止（確定停止表示）時から所定時間（本実施例では０．６ｓとする）ＯＮ状態とされ、ＯＮ状態で所定時間が経過するとＯＦＦ状態とされる。また、エラー信号（異常信号）は、所定のエラー（例えば枠開放）が検知されるとＯＮ状態とされ、エラーが解除（例えば枠閉鎖）されるとＯＦＦ状態とされる。
【０２８３】
［情報出力処理］
次に、実施例２の情報出力処理（S209）について図６０乃至図６２を用いて説明する。実施例２の情報出力処理（S209）ではまず、大当り遊技実行フラグがＯＮかどうか、すなわち大当り遊技の実行中であるかどうかを判定する（S5151）。S5151で、大当り遊技実行フラグがＯＮである、すなわち大当り遊技の実行中であると判定した場合（S5151でYES）、大当り遊技情報フラグをＯＮにし、大当り遊技情報信号をＯＮ状態で出力する。ＯＮ状態の大当り遊技情報信号を受信したホールコンピュータ等は、現在の遊技状態が大当り遊技中であると判定する。ここで「大当り遊技情報信号」は、大当り遊技情報フラグの状態（ＯＮ又はＯＦＦ）に対応して、ＯＮ状態又はＯＦＦ状態で出力されるものであり、大当り遊技の実行中（役物連続作動装置の作動中）であることを示す信号とされる。
【０２８４】
また、前述したとおり、ＯＮ状態の「大当り遊技情報信号」がＯＦＦ状態にされるのは、大当り遊技の終了から所定時間（本実施例では５０ｍｓ）経過後とされている。これにより、大当り遊技情報信号がＯＮからＯＦＦになるタイミングを遅延させ、ＯＮ期間を実際の大当り遊技の実行期間よりも若干長く設定することが可能となる。これにより、大当り遊技終了後の遊技状態が非時短状態（低ベース状態）に設定され、当該非時短状態において第２特図保留記憶部８５ｂに記憶される保留情報に基づいて第２特別図柄が変動表示する際に、大当り遊技終了後、第２特別図柄の変動表示開始前のタイミングで、大当り遊技情報信号、特図２連続変動信号及び時短中信号の全てがＯＦＦ状態になってしまうことを確実に防ぐことが可能となる。
【０２８５】
S5151で、大当り遊技実行フラグがＯＮでないと判定した場合（S5151でNO）、次いで、大当り遊技情報フラグがＯＮであるかどうかを判定し（S5154）、大当り遊技情報フラグがＯＮでない、すなわち、大当り遊技情報信号がＯＦＦ状態であると判定した場合（S5154でNO）、S5160の処理に移行する。一方、S5154で、大当り遊技情報フラグがＯＮである、すなわち、大当り遊技実行フラグがＯＦＦ状態であるが、大当り遊技情報フラグがＯＮであると判定した場合（S5154でYES）、次いで、遅延タイマの実行中かどうか、すなわち、遅延タイマによって遅延時間の計測を実行中かどうか判定する（S5155）。S5155で、遅延タイマによって遅延時間を計測中でないと判定した場合（S5155でNO）、遅延タイマに所定の遅延時間（本実施例では５０ｍｓとされている）をセットして遅延時間の計測を開始し（S5107）、S5157の処理に移行する。
【０２８６】
S5155で、遅延タイマによって遅延時間を計測中であると判定した場合（S5155でYES）、S5157の処理に移行する。S5157では、遅延タイマの値が「０」かどうかを判定し、「０」でない、すなわち未だ遅延時間の計測中（遅延処理の実行中）であると判定した場合（S5157でNO）、S5160の処理に移行する。S5157で、遅延タイマの値が「０」であると判定した場合（S5157でYES）、大当り遊技情報フラグをＯＦＦにし（S5158）、大当り遊技情報信号をＯＦＦ状態で出力し（S5159）、S5160の処理に移行する。これにより、大当り遊技情報信号の遅延処理を終える。尚、遅延時間は、割り込み処理（S105）の周期（４ｍｓ）よりも長い時間に設定すればよく、５０ｍｓでなくともよい。
【０２８７】
S5160では、特図２連続変動フラグがＯＮであるかどうかを判定する。「特図２連続変動フラグ」は、特別図柄変動中処理（S1104）において、第１特別図柄と第２特別図柄とのうち、第２特別図柄が連続して（２回以上連続して）変動表示することに基づいてＯＮにされるものである。また、特図２連続変動フラグがＯＮにされている状態で第１特別図柄が変動表示するとＯＦＦにされる。尚、本実施例では連続回数を２回としているが、３回以上の所定回数とし、第２特別図柄が当該所定回数連続して変動表示した場合に「特図２連続変動フラグ」をＯＮにするものとしてもよい。
【０２８８】
S5160で、特図２連続変動フラグがＯＮであると判定した場合（S5160でYES）、特図２連続変動信号をＯＮ状態で出力し（S5161）、S5163の処理に移行する。ＯＮ状態の特図２連続変動信号を受信したホールコンピュータ等は、現在の遊技状態は第２特別図柄が連続して変動表示する状態であると判定することが可能となる。一方、特図２連続変動フラグがＯＮでないと判定した場合（S5160でNO）、特図２連続変動信号をＯＦＦ状態で出力し（S5162）、S5163の処理に移行する。ＯＦＦ状態の特図２連続変動信号を受信したホールコンピュータ等は、現在の遊技状態は第２特別図柄が連続して変動表示しない状態であると判定することが可能となる。S5163では、時短フラグがＯＮかどうかを判定し（S5163）、時短フラグがＯＮであると判定した場合（S5163でYES）、時短中信号をＯＮ状態で出力し（S5113）、S5120の処理に移行する。ＯＮ状態の時短中信号を受信したホールコンピュータ等は、現在の遊技状態が時短状態であると判定することが可能となる。S5163で、時短フラグがＯＮでないと判定した場合（S5163でNO）、時短中信号をＯＦＦ状態で出力し（S5115）、S5120の処理に移行する。ＯＦＦ状態の時短中信号を受信したホールコンピュータ等は、現在の遊技状態が非時短状態であると判定することが可能となる。また、図６２に示すS5120乃至S5131の処理は、実施例１の処理と同様であるので説明を省略する。
【０２８９】
前述した通り、実施例２では、遊技制御用マイコン８１で生成した信号として、複数の信号を外部出力可能とし、外部出力装置に接続するホールコンピュータ等でそれら外部出力する信号を読み取ることで、前述の連荘期間（特定期間）や連荘期間中の大当り遊技回数（連荘回数）や変動表示回数等を把握し、遊技情報として遊技者に提供することが可能となる。特に、連荘期間を把握可能な信号として、大当り遊技情報信号、時短中信号及び特図２連続変動信号を出力するので、これらに基づいて、適切に連荘期間を把握することが可能となる。
【０２９０】
また、実施例２のパチンコ遊技機１も実施例１と同様に、特図２連続変動信号によって、特図２が連続して変動表示する状態かどうかを判定し、大当り遊技終了後の遊技状態が非時短状態となる場合であっても、第２特図保留に係る第２特別図柄当否判定の結果に基づいて再度大当り遊技が実行される場合には、連荘期間の判定をＯＦＦにすることなく、連荘期間が継続しているものと判定することを可能とした。また、大当り遊技情報信号によって、実際に大当り遊技が終了した後も所定期間大当り遊技の継続中とみなすことによって、連荘期間であるにも関わらず、ホールコンピュータ側で連荘期間が終了したと判定してしまうことを確実に防止することを可能とした。これにより、連荘期間をできるだけ長く設定することができ、連荘期間中の大当り遊技回数（所謂連荘回数）を極力高い数で計数可能とし、遊技興趣を高めることが可能となる。
【実施例３】
【０２９１】
次に、図６３乃至図６７を用いて実施例３のパチンコ遊技機１５１について説明する。実施例３のパチンコ遊技機１５１は、実施例１のパチンコ遊技機１とは遊技機枠５０の構造、及び、制御部の構成が一部構成が異なっている。その他の部分についてはどうようの構成であるため、相違点を中心に説明し、共通する部分については説明を省略する。また、実施例１と共通する構成については同じ符号を用いて説明する。
【０２９２】
実施例３のパチンコ遊技機１５１について、図６３乃至図６７に基づいて説明する。尚、以下の説明において遊技機の一例としてのパチンコ遊技機１５１の各部の左右方向は、そのパチンコ遊技機１５１に対面する遊技者にとっての左右方向に一致させて説明する。また、パチンコ遊技機１５１の各部の前方向をパチンコ遊技機１５１に対面する遊技者に近づく方向とし、パチンコ遊技機１５１の各部の後方向をパチンコ遊技機１５１に対面する遊技者から離れる方向として、説明する。
【０２９３】
図６３に示すように、実施例３のパチンコ遊技機１５１は、遊技機枠５０と、遊技機枠５０内に取り付けられた遊技盤２（図示略）とを備えている。遊技機枠５０は、パチンコ遊技機１５１の外郭を形成するものであり、外枠５３と本体枠５２と前面枠（ガラス扉枠）５１とを備えている。前面枠（前扉部）５１は、外枠５３及び本体枠５２の前面側に配置されていて、遊技盤２を保持する縦長方形状のものである。前面枠５１の中央部には開口部が形成されていて、遊技者が遊技領域（所定の領域）３を視認できるように透明のガラス板（窓部）１５２が開口部に取付けられている。
【０２９４】
前面枠５１は、上側に上側装飾ユニット２００を備え、左側に左側装飾ユニット２１０を備え、右側に右側装飾ユニット２２０を備え、下側に操作機構ユニット２３０を備え、後側に上側装飾ユニット２００と左側装飾ユニット２１０と右側装飾ユニット２２０と操作機構ユニット２３０とを組付けるベース部材を備えている。
【０２９５】
操作機構ユニット（遊技媒体貯留部）２３０の右方側には、回転角度に応じた発射強度で遊技球を発射させるためのハンドル（発射操作手段）６０が設けられている。また、操作機構ユニット２３０には、遊技球（遊技媒体）を貯留する打球供給皿（上皿）６１、及び打球供給皿６１に収容しきれない遊技球を貯留する余剰球受皿（下皿）６２が設けられている。また、操作機構ユニット２３０には、遊技の進行に伴って実行される演出時などに遊技者が操作し得る演出ボタン６３やセレクトボタン（十字キー）６４が設けられている。尚、セレクトボタン６４は、上方向ボタンと下方向ボタンと左方向ボタンと右方向ボタンとによって構成されている。更に、操作機構ユニット２３０の左方側には、ホールの従業員を呼び寄せる（呼び出す）ための呼出スイッチ１８０（操作手段、入力手段）が設けられている。この呼出スイッチ１８０は、セレクトボタン６４の隣で遊技者から視認し易い位置に配されている。呼出スイッチ１８０の詳細な説明については、後述する。
【０２９６】
上側装飾ユニット（上部装飾部）２００は、図６３乃至図６５に示すように、上側が開放した箱状の収容部２９０と、この収容部２９０に収容された左側枠可動体６００Ｌ及び右側枠可動体６００Ｒとを備えている。収容部２９０の左右方向の中央には前後方向に延びる回転軸４４１が取付けられていて、回転軸は前方に向かって下方に傾斜している。左側枠可動体６００Ｌと右側枠可動体６００Ｒとは、回転軸４４１に対して回転可能に取付けられている。
【０２９７】
左側枠可動体６００Ｌと右側枠可動体６００Ｒとは、初期状態では、図６３及び図６４に示す収納位置（待機位置、第１位置）にある。そして、電源投入時の初期動作時や、所定の遊技演出（ＳＰリーチ演出や大当り演出）の実行に伴って、左側枠可動体６００Ｌは収納位置から回転軸４４１周りに時計方向に９０度回転して、図６５に示す突出位置（動作位置、第２位置）になる。同時に、右側枠可動体６００Ｒは収納位置から回転軸４４１周りに反時計方向に９０度回転して、図６５に示す突出位置（動作位置、第２位置）になる。左側枠可動体６００Ｌ及び右側枠可動体６００Ｒは、図示しない枠可動体駆動モータによって駆動される。尚、左側枠可動体６００Ｌ及び右側枠可動体６００Ｒを、総じて「枠可動体６００（可動部材）」という。
【０２９８】
枠可動体６００は、収納位置にあるときには図６３及び図６４に示すように、遊技機枠５０（前面枠５１）の上縁１５５よりも下方にある。そして枠可動体６００が、突出位置に移動すると図６５に示すように、遊技機枠５０の上縁１５５よりも上方に突出する。これにより、遊技者に強いインパクトを与えることが可能である。
【０２９９】
図６４及び図６５に示すように、上側装飾ユニット２００の前端位置Ｐ１は、操作機構ユニット２３０の前端位置Ｐ２よりも前方にある。つまり、上側装飾ユニット２００が、遊技機枠５０（前面枠５１）の他のユニット（部材）よりも、最も前方に突出している。そのため遊技機枠５０では、上側装飾ユニット２００が遊技者に向かって突出する形状となっており、形状面においてインパクトを与えることが可能である。なお上側装飾ユニット２００が前方に大きく突出していることで、収容部２９０が大きくなって、枠可動体６００を大きく構成することが可能になっている。
【０３００】
また、図６３に示すように、上側装飾ユニット２００の前壁部には、枠ランプ１５６が設けられている。具体的に枠ランプ６６は、左側から右側に向かって順番に、「Ｌ」字形状の第１発光部と、「Ｏ」字形状の第２発光部と、「Ｇ」字形状の第３発光部と、「Ｏ」字形状の第４発光部とにより構成されている。こうして枠ランプ１５６は「ＬＯＧＯ」から成る一連の意味ある文字列を形成している。
【０３０１】
図６４及び図６５に示すように、本パチンコ遊技機１５１の上方には、データ表示器１６０が設置されている。データ表示器１６０は、接続されているパチンコ遊技機１５１の動作状況（遊技の状態、遊技状況）に関する表示を行うものである。このデータ表示器１６０は、垂直壁面ＳＨに固定されている固定装置１６１と、この固定装置１６１に対して前後に傾動可能に取付けられている表示装置１６２と、ホールの従業員を呼び寄せるための呼出ボタン１６３と、当該データ表示器１６０が呼出状態（呼出中）であることを示すための呼出用ランプ１６４とを備えている。
【０３０２】
呼出ボタン１６３を押下（押圧）操作すると、データ表示器１６０からホールコンピュータ１４２に呼出用の信号が送信される。これにより、ホールコンピュータ１４２は、データ表示器１６０が呼出状態になっているのを把握することが可能である。この場合、ホールの従業員は呼出ボタン１６３が押下操作されたパチンコ遊技機１５１に向かうことになる。またこのときには、呼出ボタン１６３の押下操作に基づいて、呼出用ランプ１６４が発光（点灯）し続ける。これにより、遊技者や周りの従業員等にデータ表示器１６０が呼出状態になっているのを示すことになる。
【０３０３】
そして、データ表示器１６０が呼出状態であるときに、遊技者や呼び寄せられたホールの従業員が呼出ボタン１６３を押下操作すると、当該データ表示器１６０からホールコンピュータ１４２に非呼出用の信号が送信される。これにより、ホールコンピュータ１４２は、データ表示器１６０が非呼出状態（通常状態）に切替わったのを把握することが可能である。またこのとき、呼出ボタン１６３の押下操作に基づいて、呼出用ランプ１６４が点灯から消灯に切替わる。これにより、遊技者や周りの従業員等にデータ表示器１６０の呼出状態が解除されたのを示すことになる。
【０３０４】
表示装置１６２には、特別図柄が変動表示された回数を示すスタート回数表示部１６５や、今日（所定期間）の大当りの当選回数を示す大当り回数表示部、賞球数（獲得出玉数）を示す賞球数表示部等が設けられている。尚、表示装置１６２に設けられている表示部は、スタート回数表示部、大当り回数表示部、賞球数表示部に限られるものではなく、高確率状態の発生回数を示す高確発生回数表示部や、前日の大当りの当選回数を示す前日大当り回数表示部等が設けられていても良く、適宜変更可能である。
【０３０５】
表示装置１６２は、固定装置１６１に対する前傾角度θを１５度から２５度まで可変できるようになっている。このように表示装置１６２が前傾姿勢になることで、座っている遊技者にとっては表示装置１６２が見え易くなる。しかしながら上述したように、枠可動体６００が遊技機枠５０の上縁５０Ｕよりも上方に突出すると、枠可動体６００が表示装置１６２に干渉する可能性が出てくる。
【０３０６】
本実施例３の枠可動体６００が、図６５に示すように側面視で、斜め前方に向かって突出する。これにより、枠可動体６００と表示装置１６２との干渉を回避している。その結果、枠可動体６００が突出位置にあるときには、枠可動体６００の前端位置Ｐ３が、上側装飾ユニット２００の前端位置Ｐ１よりも前方に位置している。つまり、突出位置にある枠可動体６００が、前方に突出している上側装飾ユニット２００よりも更に前方に飛び出ている。よって、突出位置にある枠可動体６００が遊技者に対してより接近することなり、遊技者に与えるインパクトを強めることが可能である。尚、枠可動体６００が突出位置にあるときに、枠可動体６００の垂直壁面ＳＨに対する前傾角度φ（図６５参照）は２５度とされている。
【０３０７】
次に、実施例３のパチンコ遊技機１５１の電気的構成について説明する。図６６に示すように、実施例３のパチンコ遊技機１５１は、実施例１と同様に、主制御基板８０には、プログラムに従ってパチンコ遊技機１の遊技の進行を制御する遊技制御用ワンチップマイコン８１（以下、「遊技制御用マイコン」ともいう）が実装されている。遊技制御用マイコン８１（遊技制御部）には、遊技の進行を制御するためのプログラム等を記憶したＲＯＭ、ワークメモリとして使用されるＲＡＭ、ＲＯＭに記憶されたプログラムを実行するＣＰＵ、データや信号の入出力を行うためのＩ／Ｏポート部（入出力回路）が含まれている。
【０３０８】
主制御基板８０には、中継基板８８を介して各種センサやソレノイド（図示略）が接続されている。そのため、主制御基板８０には各センサから信号が入力され、各ソレノイドには主制御基板８０から信号が出力される。具体的にはセンサ類としては、第１始動口センサ２０ａ、第２始動口センサ２１ａ、ゲートセンサ２８ａ、第１大入賞口センサ３０ａ、第２大入賞口センサ３５ａ、特定領域センサ３９ａおよび一般入賞口センサ２７ａが接続されている。
【０３０９】
第１始動口センサ２０ａは、第１始動口２０内に設けられて、第１始動口２０に入球した遊技球を検知するものである。第２始動口センサ２１ａは、第２始動口２１内に設けられて、第２始動口２１に入球した遊技球を検知するものである。ゲートセンサ２８ａは、ゲート２８内に設けられてゲート２８を通過した遊技球を検知するものである。第１大入賞口センサ３０ａは、第１大入賞口３０内に設けられて第１大入賞口３０に入球した遊技球を検知するものである。第２大入賞口センサ３５ａは、第２大入賞口３５内に設けられて第２大入賞口３５に入球した遊技球を検知するものである。特定領域センサ３９ａは、第２大入賞口３５内の特定領域３９に設けられて特定領域３９を通過した遊技球を検知するものである。また、第２大入賞口３５内に非特定領域センサを設け、第２大入賞口３５内の非特定領域７０を通過した遊技球を検知するものとしてもよい。一般入球口センサ２７ａは、一般入球口２７内に設けられて一般入球口２７に入球した遊技球を検知するものである。
【０３１０】
前述した第１始動口センサ２０ａ、第２始動口センサ２１ａ、第１大入賞口センサ３０ａ、第２大入賞口センサ３５ａ、特定領域センサ３９ａ、一般入球口センサ２７ａは、遊技球を検知したことに基づいて、主制御基板８０（遊技制御部）に対して、第１特定信号を出力する「第１特定信号出力部」ともいう。これら第１特定信号出力部が出力する第１特定信号（第１始動口検知信号、第２始動口検知信号、第１大入賞口検知信号、第２大入賞口検知信号、特定領域検知信号、一般入球口検知信号）は、主制御基板８０（遊技制御部）に入力され、遊技制御用マイコン８１で所定の制御処理が実行された後に、外部出力信号（大当り信号、図柄確定信号、賞球情報信号、遊技状態信号等）として外部端子板１４１（外部出力部）に出力される。
【０３１１】
また、これら第１特定信号出力部が出力する第１特定信号（第１始動口検知信号、第２始動口検知信号、第１大入賞口検知信号、第２大入賞口検知信号、特定領域検知信号、一般入球口検知信号）は、主制御基板８０（遊技制御部、主基板）に入力され、遊技制御用マイコン８１で所定の制御処理が実行された後に、更に、払出制御基板１１０（遊技制御部、主基板）に入力されて払出制御用マイコン１１６で所定の制御処理が実行された後に、外部出力信号（例えば、賞球情報信号等）として外部端子板１４１（外部出力部）に出力される。また、始動口検知信号を「指導検知信号」ともいう。
【０３１２】
また、主制御基板８０を、所定条件の成立に基づいて当否判定を行う当否判定制御部ともいう。また、主制御基板８０及び払出制御部１１０を、当否判定の結果が特定結果となると、遊技者に所定の遊技利益を付与可能な特別遊技を実行する特別遊技制御部ともいう。また、払出制御部１１０を、遊技利益の付与量を管理制御する遊技利益付与制御部ともいう。
【０３１３】
また、主制御基板８０は、払出制御基板１１０に各種コマンドを送信するとともに、払い出し監視のために払出制御基板１１０から信号を受信する。払出制御基板１１０には、払出装置１２０（賞球及び貸球）及びカードユニット（パチンコ遊技機１５１に隣接して設置され、挿入されているプリペイドカード等の情報に基づいて球貸しを可能にするもの）が接続されているとともに、図示しない発射制御回路を介して発射装置が接続されている。発射装置１１２には、ハンドル６０が含まれる。
【０３１４】
払出制御基板１１０は、プログラムに従って遊技球の払い出しに係る制御処理を行う払出制御用ワンチップマイコン１１６（以下、「払出制御用マイコン」ともいう）を実装している。払出制御用マイコン１１６（払出制御部、遊技制御部）には、払い出しを制御するためのプログラム等を記憶したＲＯＭ、ワークメモリとして使用されるＲＡＭ、ＲＯＭに記憶されたプログラムを実行するＣＰＵ、データや信号の入出力を行うためのＩ／Ｏポート部（入出力回路）が含まれている。
【０３１５】
払出制御用マイコン１１６は、遊技制御用マイコン８１からの信号や、パチンコ遊技機１５１に接続されたカードユニットからの信号に基づいて、払出装置１２０の払出モータを駆動して賞球の払い出しを行ったり、貸球の払い出しを行ったりする。払い出される賞球は、その計数のため２個の払出センサの何れかにより検知されて、払出センサによる検知信号が払出制御基板１１０に出力される。また払い出される貸球は、その計数のため、同じく払出センサにより検知されて、払出センサ（付与遊技球検知部）による検知信号（付与遊技球検知信号）が払出制御基板１１０に出力される。
【０３１６】
前述した払出センサは、遊技球を検知したことに基づいて、払出制御基板１１０（遊技制御部、主基板、遊技利益付与制御部）に対して、第１特定信号を出力する「第１特定信号出力部」ともいう。この第１特定信号出力部が出力する第１特定信号（払出センサ検知信号）は、払出制御基板１１０（遊技制御部）に入力され、払出制御用マイコン１１６で所定の制御処理が実行された後に、外部出力信号（賞球情報信号等）として外部端子板１４１（外部出力部）に出力される。
【０３１７】
また、実施例１と同様に、主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。サブ制御基板、画像制御基板、音声制御基板、ランプ制御基板等の他の制御基板の構成については実施例１と同様であるので、詳細な説明を省略する（図５を参照）。  
【０３１８】
図６６に示すように、本実施例３では、外部端子板１４１（外部出力装置８３に相当）は、主制御基板８０及び払出制御基板１１０の両制御基板に接続されている。このような態様に変えて、外部端子板１４１（外部出力装置）を、主制御基板８０に接続して払出制御基板１１０には接続しない構成としてもよい（但し、払出制御基板１１０からの出力信号を主制御基板８０を介して外部端子板１４１に出力することは可能）。また、外部端子板１４１を、払出制御基板１１０に接続して主制御基板８０には接続しない構成としてもよい（但し、主制御基板８０からの出力信号を払出制御基板１１０を介して外部端子板１４１に出力することは可能）。また、本実施例３のように、外部端子板１４１を、主制御基板８０及び払出制御基板１１０の両制御基板に接続した場合にも、主制御基板８０からの出力信号を払出制御基板１１０を介して外部端子板１４１に出力してもよいし、払出制御基板１１０からの出力信号を主制御基板８０を介して外部端子板１４１に出力してもよい。
【０３１９】
遊技制御用マイコン８１又は払出制御用マイコン１１６により出力された信号に基づいて、各種の信号をデータ表示器１６０やホールコンピュータ１４２といった本パチンコ遊技機１５１の外部に配された外部装置に出力する。外部端子板１４１には、外部出力用の複数のチャネルが設けられている。各チャネルに対応するコネクタと、データ表示器１６０側のコネクタとは、ケーブルによって接続されている。そして各コネクタからそれぞれ１つの信号が外部に出力されるようになっている。
【０３２０】
外部端子板１４１は、複数のチャネルのうち１つのチャネルから大当り信号（大当り遊技中信号）を出力可能である。大当り信号は、大当り遊技の実行中であることを示す信号である。また、外部端子板１４１は、複数のチャネルのうち１つのチャネルから図柄確定信号（特別図柄確定信号）を出力可能である。図柄確定信号（特別図柄確定信号）は、変動表示されていた特別図柄が停止表示したことを示す信号である。また、外部端子板１４１は、複数のチャネルのうち１つのチャネルから賞球情報信号を出力可能である。賞球情報信号は、所定数（例えば１０球）の賞球（遊技利益）が排出されたことを示す信号である。また、外部端子板１４１は、複数のチャネルのうち１つのチャネルから呼出信号を出力可能である。呼出信号は、後に詳述する呼出スイッチ１８０が押下操作されたことを示す信号である。また、外部端子版１４１は、複数のチャネルのうち１つのチャネルから枠開放信号を出力可能である。枠開放信号（枠信号）は、後に詳述する遊技機枠５０が開放されていることを示す信号である。
【０３２１】
尚、上述した信号の他にも、可変入賞装置２２や大入賞装置（第１大入賞装置３１及び第２大入賞装置３６）の未作動時にこれらの装置に係る入賞口（第１大入賞口３０、第２大入賞口３５、第２始動口２１）に入賞があったことを示すセキュリティー信号、第１始動口２０又は第２始動口２１への入賞があったことを示す始動口信号、後述する高確率状態中であることを示す高確状態信号、特定の入球口において、予め定められた期間に、予め定めた個数以上の遊技球の入球があったことを示す過剰入球信号等を各チャネルから出力できるようになっている。また、前述した大当り信号に加えて、大当り遊技の実行中又は高ベース状態中であることを示す信号（連荘中信号、有利状態信号）等を出力可能に構成しても良く、外部端子板１４１から出力される信号の種類は適宜変更可能である。
【０３２２】
本実施例３では、払出制御用マイコン１１６が外部端子板１４１に対して出力する信号（外端出力信号、特定信号、特別信号）や、遊技制御用マイコン８１が外部端子板１４１に対して出力する信号（外端出力信号、特定信号、特別信号）は、それぞれ別個の信号（パラレルデータ）になっていて、パラレルデータのまま外部端子板１４１に入力される。パラレルデータが外部端子板１４１に入力されると、各チャネルに対応して設けられているフォトリレー等の信号伝達素子は、それぞれの入力信号に応じて導通状態／非導通状態を切替える。その結果、フォトリレーが導通状態になったチャネルから、外部出力信号（大当り信号、図柄確定信号、賞球情報信号、呼出信号、枠開放信号等）が出力されることになる。
【０３２３】
尚、払出制御用マイコン１１６が外部端子板１４１に対して出力する信号や、遊技制御用マイコン８１が外部端子板１４１に対して出力する信号を、複数ビットの情報量を持つシリアルデータとしても良い。この場合には、シリアルデータが、図示しないＳ／Ｐ変換回路（シリアル／パラレル変換回路）によってパラレルデータに変換されて、パラレルデータとして外部端子板１４１に入力されることになる。
【０３２４】
データ表示器１６０は、図柄確定信号の非受信から受信への切替わり（ＯＮエッジ）に基づいて特別図柄の変動表示が行われた回数をカウントし、そのカウント値をデータ表示器１６０のスタート回数表示部に表示する。即ち、第１始動口センサ２０ａ又は第２始動口センサ２１ａが入球を検知すると、検知信号が中継基板８８を介して主制御基板８０に入力される。これにより遊技制御用マイコン８１は、後述する大当り乱数等の各種乱数値を取得し、大当りか否かを判定する。そして遊技制御用マイコン８１は、大当りか否かの判定結果を示す特別図柄（第１特別図柄又は第２特別図柄）を変動表示させたあと、停止表示（確定表示）する。このとき（停止表示されたタイミングにて）遊技制御用マイコン８１は、特別図柄の確定表示を示す外端出力信号を外部端子板１５０に出力する。これにより外部端子板１４１は、図柄確定信号をデータ表示器１６０に出力する。その結果、データ表示器１６０は、スタート回数表示部にて、特別図柄の変動表示が行われた回数を１だけ増加させて表示するようになっている。
【０３２５】
尚、遊技制御用マイコンは、特別図柄の確定表示を示す外端出力信号を、払出制御基板１１０に出力し、払出制御用マイコン１１６が、入力された特別図柄の確定表示を示す外端出力信号を、（払出制御用マイコン１１６で制御処理することなく、若しくは、制御処理して）外部端子板１５０に出力する構成としてもよい。後述する他の外端出力信号（大当り信号、図柄確定信号、賞球情報信号、呼出信号、枠開放信号等）についても同様である。
【０３２６】
また、データ表示器１６０は、大当り信号の非受信から受信への切替わり（ＯＮエッジ）に基づいて大当たりの発生回数をカウントし、そのカウント値をデータ表示器１６０の大当り回数表示部に表示する。即ち、上述したように遊技制御用マイコン８１が、取得した大当り乱数に基づいて大当りか否かを判定し、判定結果が大当りである場合、大当りであることを示す特別図柄を変動表示したあと、停止表示する。そして遊技制御用マイコン８１は、大当りであることを示す特別図柄の停止表示が終了すると、大当り遊技（オープニング遊技、ラウンド遊技、エンディング遊技）の実行中であることを示す外端出力信号を外部端子板１４１に出力する。これにより外部端子板１４１は、大当り信号をデータ表示器１６０に出力する。その結果、データ表示器１６０は、大当り回数表示部にて、大当りの発生回数を１だけ増加させて表示するようになっている。尚、大当り遊技の実行中であることを示す外端出力信号は、エンディング遊技が終了するまで出力され続ける。
【０３２７】
また、データ表示器１６０は、賞球情報信号の非受信から受信への切替わり（ＯＮエッジ）に基づいて賞球数が１０球増加するようにカウントし、そのカウント値をデータ表示器１６０の賞球数表示部（図示省略）に表示する。即ち、遊技球が第１始動口２０、第２始動口２１、第１大入賞口３０、第２大入賞口３５、又は普一般入球口２７に入球した後に、払出センサが実際に払い出された遊技球を検知すると、検知信号が払出制御基板１１０に入力される。これにより払出制御用マイコン１１６は、払い出した遊技球が１０球に到達したと判定すると、賞球表示の増加を示す外端出力信号を外部端子板１４１に出力する。尚、払出制御用マイコン１１６は、払い出した遊技球が１０球に到達したと判定しなければ、賞球表示の増加を示す外端出力信号を出力しない。こうして、賞球表示の増加を示す外端出力信号を入力した外部端子板１４１は、賞球情報信号をデータ表示器１６０に出力する。その結果、データ表示器１６０は、図示しない賞球数表示部にて、賞球数を１０だけ増加させて表示するようになっている。
【０３２８】
ホールコンピュータ１４２は、パチンコ遊技機１５１を含め、ホール内に設置された各パチンコ遊技機の動作状況（遊技状況、遊技の状態）等の情報を集計して、営業管理や遊技管理等を行うための装置である。このホールコンピュータ１４２は、ホールの管理室等に設置されていて、データ表示器１６０を介して、又は、外部端子板１４１と直接パチンコ遊技機１５１に接続されている。そのためホールコンピュータ１４２にも、上記した各種の外部出力信号（大当り信号、図柄確定信号、賞球情報信号、呼出信号、枠開放信号等）が入力される。
【０３２９】
次に、操作機構ユニット２３０に設けられる呼出スイッチ１８０の構成について説明する。呼出スイッチ１８０が、遊技機の外部ではなく、本パチンコ遊技機１５１自体に設けられている点に特徴がある。図６３に示すように、呼出スイッチ１８０は、遊技者によって押下操作可能な操作手段（入力手段）であり、呼出スイッチ１８０に対する押下操作（押圧操作）は、当該呼出スイッチ１８０に内蔵されている呼出センサ１８１（図１２参照）により検知される。呼出センサ１８１（第２特定信号出力部）は、光を発光する発光部と、発光部からの光を受光する受光部とを有するフォトセンサであり、押下操作によって発光部からの光が遮られることで当該押下操作を検知するものである。従って、呼出センサ１８１は、押下操作されている間だけ検知しているというモーメンタリ動作タイプのセンサである。この呼出スイッチ１８０は、表面側に発光部材（以下、「呼出ランプ」という）を有している。呼出ランプ１８２（呼出報知手段）は、上方に向かって光を照射可能なものである。
【０３３０】
パチンコ遊技機１５１に対して電源投入されると、電源基板から供給される電力は、各種制御基板の他、呼出ランプ１８２にも供給される。そのため、呼出ランプ１８２は、電源投入後に点灯（発光）し続ける点灯状態になる。これにより、呼出ランプ１８２が放つ上向きの光は遊技者が視認可能となっている。これにより、遊技者は呼出スイッチ１８０が使用できる状態になっていることを認識することが可能である。
【０３３１】
これに対して、呼出スイッチ１８０が押下操作されると、呼出センサ１８１による検知信号が、呼出ランプ１８２の点灯を制御する制御基板（図示省略）に入力される。これにより、その制御基板は、呼出センサ１８１による検知信号の非受信から受信への切替わり（ＯＮエッジ）に基づいて、呼出ランプ１８２を点灯状態から点滅状態に切替える。その結果、遊技者には呼出スイッチ１８０が押下操作されて、使用中の状態（呼出中）になっていることを認識させる。その後に、呼出スイッチ１８０を押下操作すれば、再び呼出センサ１８１による検知信号が、呼出ランプ１８２の点灯を制御する制御基板に入力される。これにより、その制御基板は呼出ランプ１８２を点滅状態から点灯状態に切替えることになる。尚、呼出ランプ１８２の点滅が、呼出スイッチ１８０に対して押下操作が行われたことを報知する呼出報知に相当する。
【０３３２】
図６６に示すように、呼出スイッチ１８０（呼出センサ１８１）は、払出制御基板１１０（主基板、遊技制御部）及び主制御基板８０（主基板、遊技制御部）を介して外部端子板１４１に接続されている。但し、呼出センサ１８１による検知信号（第２特定信号）は、払出制御基板１１０及び主制御基板８０に入力されるものの、払出制御用マイコン１１６及び遊技制御用マイコン８１の制御処理に用いられることはなく、そのまま外部端子板１５０に出力される。つまり、払出制御基板１１０及び主制御基板８０は、呼出スイッチ１８０と外部端子板１５０との間では、中継基板の役割を果たすことになる。
【０３３３】
前述した呼出スイッチ１８０（呼出センサ１８１）は、押下操作されたことに基づいて、払出制御基板１１０に対して第２特定信号（呼出信号）を出力する「第２特定信号出力部」ともいう。この第２特定信号出力部が出力する第２特定信号（呼出信号）は、払出制御基板１１０（遊技制御部）に入力され、払出制御用マイコン１１６で制御処理されることなく出力されて、主制御基板８０（遊技制御部）に入力され、遊技制御用マイコン８１で制御処理されることなく出力されて、外部出力信号（呼出信号等）として外部端子板１４１（外部信号出力部）に出力される。このような構成とすることで、第２特定信号（呼出信号）を、遊技制御部を介して外部信号出力部に送る場合に、遊技制御部の有する制御部による制御処理の負担が増加するのを極力防止することが可能となる。
【０３３４】
また、図６６に示す通り、枠開放スイッチ１８３（枠信号出力部）は、呼出スイッチ１８０と同様に、遊技機枠５０を開放したことに基づいて、払出制御基板１１０に対して第２特定信号（枠開放信号）を出力する「第２特定信号出力部」ともいう。この第２特定信号出力部が出力する第２特定信号（枠開放信号）は、払出制御基板１１０（遊技制御部）に入力され、払出制御用マイコン１１６で制御処理されることなく出力されて、（主制御基板８０に入力されることなく）外部出力信号（枠開放信号等）として外部端子板１４１（外部信号出力部）に出力される。このような構成とすることで、第２特定信号（枠開放信号）を、遊技制御部を介して外部信号出力部に送る場合に、遊技制御部の有する制御部による制御処理の負担が増加するのを極力防止することが可能となる。
【０３３５】
尚、図６６の態様では、呼出スイッチ１８０（呼出センサ１８１）を、払出制御基板１１０（主基板、遊技制御部）及び主制御基板８０（主基板、遊技制御部）を介して外部端子板１４１に接続する構成とした。このような態様に変えて、呼出スイッチ１８０（呼出センサ１８１）を、主制御基板８０（主基板、遊技制御部）を介することなく、払出制御基板１１０（主基板、遊技制御部）を介して外部端子板１４１に接続する構成としてもよい。またこのような態様に変えて、呼出スイッチ１８０（呼出センサ１８１）を、払出制御基板１１０（主基板、遊技制御部）を介することなく、主制御基板８０（主基板、遊技制御部）を介して外部端子板１４１に接続する構成としてもよい。この場合においても、呼出センサ１８１による検知信号（第２特定信号）は、払出制御基板１１０又は主制御基板８０に入力されるものの、払出制御用マイコン１１６又は遊技制御用マイコン８１の制御処理に用いられることはなく、そのまま外部端子板１５０に出力される。つまり、払出制御基板１１０又は主制御基板８０は、単に、呼出スイッチ１８０と外部端子板１５０との間では、中継基板の役割を果たすものとする。従って、払出制御基板１１０又は主制御基板８０に呼出センサ１８１による検知信号が入力しても、その検知信号と払出制御用マイコン１１６による払い出しに係る制御処理、若しくは、遊技制御用マイコン８１による遊技制御処理とは無関係になっている。
【０３３６】
前述した構成で、呼出スイッチ１８０が押下操作されることに基づいて出力される呼出信号は、外部端子板１５０から出力されて、データ表示器１６０に入力される。データ表示器１６０は、呼出状態を示すために呼出ランプ１６４を発光させる。そしてデータ表示器１６０は、ホールコンピュータ１４２に呼出用の信号を送信して、当該データ表示器１６０が呼出状態になっているのを把握させることが可能である。これにより、ホールの従業員を、呼出スイッチ１８０が押下操作された本パチンコ遊技機１に呼び寄せることが可能である。
【０３３７】
その後、遊技者や、呼び寄せられたホールの従業員が呼出スイッチ１８０を、再度押下操作すると、呼出スイッチ１８０による検知信号が、払出制御基板１１０及び主制御基板８０を介して外部端子板１４１に出力される。これにより、外部端子板１４１は、呼出信号をデータ表示器１６０に出力する。こうして、呼出状態であるときに呼出信号を入力したデータ表示器１６０は、非呼出状態を示すために呼出ランプ１６４を消灯させる。そしてデータ表示器１６０は、ホールコンピュータ１４２に非呼出用の信号を送信して、当該データ表示器１６０が非呼出状態に切替わったのを把握させることが可能である。
【０３３８】
本実施例３の呼出スイッチ１８０は、前述したように、押下操作されている間だけ検知信号を出力するというモーメンタリ動作タイプである。従って、呼出スイッチ１８０に対する押下操作が解除されると、呼出センサ１８１による検知信号が出力されなくなり、外部端子板１５０からの呼出信号も出力されなくなる。
【０３３９】
本実施例３の呼出スイッチ１８０の技術的意義について説明する。図６４及び図６５に示すように、上側装飾ユニット２００の前端位置Ｐ１は、操作機構ユニット２３０の前端位置Ｐ２よりも前方にある。そのため、座りながら遊技を行っている遊技者にとっては、前方に突出する上側装飾ユニット２００により、遊技機１の上方に設置されているデータ表示器１６０の視認性及び操作性が悪化する。特に、図６５に示すように、枠可動体６００が突出位置にあるときには、遊技機枠５０の上縁５０Ｕよりも上方にあるため、データ表示器１６０の呼び出しボタン１６３に手が届き難くなる。加えて、枠可動体６００の前端位置Ｐ３が、前方に突出している上側装飾ユニット２００よりも更に前方に飛び出ているため、背の低い遊技者では座った状態で呼び出しボタン１６３を押下操作するのは、ほぼ不可能になる。
【０３４０】
そこで、本実施例３では、パチンコ遊技機１５１自体に、外部端子板に信号を出力可能なスイッチ（呼出スイッチ１８０）を設けている。そのため、遊技中に不具合又は故障が生じたとき、背の低い遊技者でも呼出スイッチ１８０を押下操作することで、座った状態でホールの従業員を呼び寄せることが可能である。また、呼出スイッチ１８０は、押下操作される前において、呼出ランプ１８２が発光して目立つ構成とされている。従って、パチンコ遊技機１５１に呼出スイッチ１８０が設けられているのを知らない遊技者に対しても、呼出スイッチ１８０の存在を分かり易くしている。
【０３４１】
ところで、背の低い遊技者では、前方に突出する上側装飾ユニット２００や、遊技機枠５０の上縁５０Ｕよりも上方に突出する枠可動体６００により、データ表示器１６０の呼出用ランプ１６４の発光が見え難い、又は完全に見えない可能性がある。つまり、呼出スイッチ１８０を押下操作した後、現時点が呼出中（データ表示器１６０の呼出状態）になっているか否かが分からないおそれがある。そこで本形態では、呼出スイッチ１８０を押下操作すると、呼出ランプ１８２が点滅することで、呼出操作がなされていることを、視認可能となる。これにより、呼出スイッチ１８０を押下操作した遊技者は、呼出用ランプ１６４の点灯を見ないでも、現時点が呼出中になっているのを把握することが可能である。
【０３４２】
本実施例３では、呼出センサ１８１による検知信号（第２特定信号）が、払出制御基板１１０及び主制御基板８０に入力されるものの、払出制御用マイコン１１６及び遊技制御用マイコン８１の制御処理に用いられることなく、外部端子板１４１に出力される。従って、既存の払出制御用マイコン１１６及び遊技制御用マイコン８１の制御処理を全く変更する必要がなく、既存の主制御基板８０をそのまま用いることが可能である。尚、呼出センサ１８１による検知信号は、サブ制御基板９０や演出制御用マイコン９１に入力されることもない。こうして、既存のパチンコ遊技機に対して、ハード的及び／又はソフト的な構成の変更を極力少なくして実施することが可能である。
【０３４３】
図６７は、図６６に示す実施例３のパチンコ遊技機１５１の電気的構成の他の態様について示している。図６６では、呼出信号（第２特定信号）が、払出制御基板１１０に入力されるが、当該呼出信号は、払出制御用マイコン１１６に入力されることなく（払出制御用マイコン１１６によって制御処理されることなく）、払出制御基板１１０から出力された。また、払出制御基板１１０から出力された呼出信号（第２特定信号）は、その後、そのまま主制御基板８０に入力されるが、当該呼出信号は、遊技制御用マイコン８１に入力されることなく（遊技制御用マイコン８１によって制御処理されることなく）、主制御基板８０から出力される。また、主制御基板８０から出力された呼出信号（第２特定信号は）は、その後、そのまま外部端子板１４１に入力される構成となっている。
【０３４４】
図６７に示す態様では、前述した態様に変えて、呼出信号（第２特定信号）が、払出制御基板１１０に入力された際に、当該呼出信号が払出制御用マイコン１１６に入力されて、払出制御用マイコン１１６によって制御処理されることなく、そのまま払出制御用マイコン１１６及び払出制御基板１１０から出力されるものとする。また、同様に、払出制御基板１１０から出力された呼出信号（第２特定信号）が、主制御基板８０に入力された際に、当該呼出信号が遊技制御用マイコン８１に入力されて、遊技制御用マイコン８１によって制御処理されることなく、そのまま遊技制御用マイコン８１及び主制御基板８１から出力される。また、主制御基板８０から出力された呼出信号（第２特定信号は）は、その後、そのまま外部端子板１４１に入力される構成となっている。
【０３４５】
また、枠開放信号（第２特定信号）についても呼出信号（第２特定信号）と同様に、枠開放信号（第２特定信号）が、払出制御基板１１０に入力された際に、当該枠開放信号が払出制御用マイコン１１６に入力されて、払出制御用マイコン１１６によって制御処理されることなく、そのまま払出制御用マイコン１１６及び払出制御基板１１０から出力されるものとする。また、払出制御基板１１０から出力された枠開放信号（第２特定信号は）は、その後、そのまま外部端子板１４１に入力される構成となっている。
【０３４６】
また、図６６及び図６７の態様に変えて、第２特定信号を払出制御基板１１０及び主制御基板８０の一方だけに入力して、制御処理することなく出力してもよいし、払出制御基板１１０及び主制御基板８０の両方に入力して、何れの制御基板でも制御処理することなく出力して、外部端子板に入力する構成としてもよい。また、払出制御基板１１０及び主制御基板８０以外の他の制御基板に入力して、そのまま制御処理することなく出力し、外部端子板に入力してもよい。
【０３４７】
また、他の態様として、払出制御基板１１０に、枠開放信号（枠信号）の入力時間を計測する入力時間計測部（計測部）を設けるものとしてもよい。そして、枠開放スイッチ１８３から出力される枠開放信号が払出制御部１１０に入力された場合において、当該入力時間計測部で、当該枠開放信号の払出制御基板１１０への入力時間（連続入力時間）を計測し、計測時間が特定時間（例えば、１秒）を超えた場合にだけ、当該枠開放信号を払出制御基板１１０から出力するものとしてもよい。そして、払出制御基板１１０から出力された枠開放信号（第２特定信号は）は、外部端子板１４１に入力される。これにより、遊技機枠（前面枠）を極短時間だけ開放状態とした場合（特定時間以内の場合）には、不正等の発生のおそれがほぼないため、枠開放信号を払出制御基板１１０から出力しない。すなわち、遊技機枠（前面枠）を極短時間だけ開放状態とした場合（特定時間以内の場合）には、枠開放信号を外部端子板に出力せず、ホールコンピュータ等に外部出力しない。これにより、例えば、振動等で極短時間だけ開放状態となってしまった場合や、ノイズで枠開放信号が出力された場合等、不正の恐れのない情報を極力削除することができ、遊技店員等の作業を煩わすことを極力低減できる。
【０３４８】
［他の態様１］
前述の実施例では、特図２連続変動フラグに基づいて出力される特定フラグや、特図２連続変動信号を用いて、連荘期間を設定していた。すなわち、実施例１及び２では、大当り遊技状態、時短遊技状態、及び第２特別図柄が連続して変動表示する状態、のうち何れかの状態であれば、連荘期間（特定期間）と判定できるように信号を出力していた。然しながら連荘期間の特定はこの様な態様に限らない。他の態様では、大当り遊技状態、時短遊技状態、第２特別図柄の変動表示中、の何れかの状態であれば、連荘期間と判定するようにしてもよい。本他の態様では、特図２連続変動フラグに替えて特図２変動フラグを第２特別図柄が変動表示中のときにＯＮにされ、第１特別図柄が変動表示するとＯＦＦにされる特図２変動フラグを設ける。そして、実施例１においては、特定フラグをＯＮにする条件として、特図２変動フラグがＯＮであることを条件とし、実施例２においては、特図２変動フラグがＯＮである場合にＯＮ状態で出力し、ＯＦＦである場合にＯＦＦ状態で出力する「特図２変動信号」を設けるものとする。これにより、連荘期間の判定制御がより容易で簡便となる。
【０３４９】
［他の態様２］
次に、図５１を用いて他の態様２のパチンコ遊技機について説明する。実施例１では、『大当り遊技終了後の遊技状態が非時短状態（低ベース状態）に設定された場合で、第２演出保留記憶部に未消化の保留情報が記憶されているか、又は、第２演出保留記憶部に未消化の保留情報は記憶されていないが第２特別図柄に係る演出図柄（第２演出図柄）の変動表示中である場合』、すなわち、再チャンスモード（特別状態）では、一律に、左打ち報知禁止フラグをＯＮにし、第２特別図柄に係る演出図柄（第２演出図柄）の変動表示が終了することを条件として左打ち禁止フラグをＯＦＦにし、左打ち報知演出の実行を可能とした。
【０３５０】
他の態様２では、『大当り遊技終了後の遊技状態が非時短状態（低ベース状態）に設定された場合で、第２演出保留記憶部に未消化の保留情報が記憶されているか、又は、第２演出保留記憶部に未消化の保留情報は記憶されていないが第２特別図柄に係る演出図柄（第２演出図柄）の変動表示中である場合』であっても、左打ち報知禁止フラグを、一律に設定するのではなく、第２特別図柄に係る演出図柄（第２演出図柄）の変動表示に基づいて、大当り遊技が実行される可能性が高い場合に、左打ち報知禁止フラグをＯＮにし、左打ち報知演出が実行されないようにするものである。尚、「第２特別図柄に係る演出図柄（第２演出図柄）の変動表示に基づいて、大当り遊技が実行される可能性が高い場合」とは、第２演出保留記憶部に記憶される第２演出保留情報の判定結果が、大当りの場合と、小当りの場合とをいう。これを事前判定によって判定してもよいし、変動開始時判定によって判定してもよい。また、所謂ガセ演出として、外れ変動のうち、一定の変動パターンにおいても、「第２特別図柄に係る演出図柄（第２演出図柄）の変動表示に基づいて、大当り遊技が実行される可能性が高い場合」とみなして、左打ち報知禁止フラグをＯＮとしてもよい。
【０３５１】
具体的に、他の態様２の大当り遊技終了後発射報知処理では、S5051〜S5058、及びS5061までの処理において、実施例１の大当り遊技終了後発射報知処理と同様の処理であるので、説明を省略する。他の態様２では、『大当り遊技終了後の遊技状態が低ベース状態に設定された場合で、第２演出保留記憶部に未消化の保留情報が記憶されていると判定された場合、又は、第２演出保留記憶部に未消化の保留情報は記憶されていないが第２特別図柄に係る演出図柄（第２演出図柄）の変動表示中であると判定された場合』、すなわち、S5057でYESと判定されるか、S5061でYESと判定されるかした場合に、S5059の処理に移行する。
【０３５２】
S5059では、第２演出保留記憶部に記憶される未消化の保留情報、又は、実行中の第２特別図柄に係る演出図柄の変動表示の結果、に当り（大当り又は小当り）があるかどうかを判定し（S5059）、当り（大当り又は小当り）があると判定した場合（S5059でYES）、大当り遊技が実行されて高ベース状態に設定される可能性が高いため、左打ち報知禁止フラグをＯＮにする。一方、S5059で、当り（大当り又は小当り）がない、すなわち外れであると判定した場合（S5059でNO）、左打ち報知禁止フラグをＯＮにすることなく、S5062〜S5064の処理に移行する。S5062〜S5064の処理は、実施例１の大当り遊技終了後発射報知処理と同様の処理であるので、説明を省略する。
【０３５３】
これにより、低ベース状態において実行される第２特別図柄当否判定の結果（第２特図保留に係る判定結果）が外れである場合には、第２特別図柄に係る演出図柄（第２演出図柄）の変動表示の終了（特別状態の終了）をまつことなく、迅速に（主制御部８０が制御する発射方向表示器４７の表示制御に伴って）、第２左打ち報知演出を実行すると共に、右打ちが検知された場合には第１左打ち報知演出を実行可能な状態に設定することが可能となる。また、この様な構成とした場合、熟練の遊技者であれば、大当り遊技終了後の低ベース状態且つ第２特別図柄の変動表示中に、右打ち遊技を行って、左打ち報知演出が実行されるかどうかを、再度大当り遊技が実行されるかどうか又は再度チャンスモードに突入するかどうかを判断する指標（予告演出）にすることも可能である。これにより、発射報知演出の有無によって次回の大当り遊技や高ベース状態が発生するかどうかを判断するといった、新たな遊技性を提供することが可能となり、大当り遊技終了後の遊技状態が低ベース状態に設定された場合の遊技興趣を高めることが可能となる。また、遊技者に大当りへの過剰な期待を抱かせることなく、適切は発射報知演出を実行することが可能となる。
【０３５４】
［他の態様３］
また、実施例１では、図４４に示す左打ち報知演出（第１左打ち報知演出）の実行を、右遊技領域に設けられたゲート２８への遊技球の通過に基づいて行うものとしたが、この様な態様に限らない。他の態様３では、右遊技領域（第２発射領域）に発射した遊技球を検知可能に設けられた他の入球口（一般入球口２７等）や、他のゲートを設け、これらによる遊技球の検知に基づいて左打ち報知演出（第１左打ち報知演出）を実行してもよい。また、遊技球を検知する遊技球検知手段に替えて、発射ハンドルの回転量（操作量）を検知する操作量検知手段を設け、操作量検知手段によって、回転量（操作量）が所定量（右打ちに相当する量）に達したことを検知した場合に、図４４に相当する処理を行うものとしても良い。
【０３５５】
［他の態様４］
また、実施例１では、遊技状態が低ベース状態（大当り遊技中及び小当り遊技中を除く）であったとしても、特別状態中（第２特別図柄に係る演出図柄の変動表示中）は、左打ちを指示する発射報知演出（左打ち報知演出）を実行しないものとしたが、この様な態様に限らない。例えば、遊技状態が低ベース状態（大当り遊技中及び小当り遊技中を除く）であって、左打ち報知禁止フラグがＯＦＦの場合には、右打ちを検知すると第１左打ち発射報知演出を実行するものとする。そして、遊技状態が低ベース状態（大当り遊技中及び小当り遊技中を除く）であって、左打ち報知禁止フラグがＯＮの場合には、右打ちを検知しても第１左打ち発射報知演出を実行しないと共に、「他の発射報知演出」を実行するものとしてもよい。この「他の発射報知演出」の表示態様、実行態様としては様々な態様が考えられる。例えば、第１左打ち発射報知演出と同様に、遊技者に左打ちを指示するものであるが、第１左打ち発射報知演出よりも、目立たない態様（遊技者が左打ち遊技を行う状態であると認識し難い態様）で実行するものとすることが可能である。例えば、「他の発射報知演出」を表示画面７ａに表示する場合には、第１左打ち発射報知演出よりも目立たない様に、小さいサイズで表示してもよいし、表示画面７ａの端部に表示してもよいし、文字表示は行わず図形で表示してもよい。また、第１左打ち発射報知演出は表示画面７ａ上に表示して遊技者に目立つように表示する一方、「他の発射報知演出」は表示画面７ａ外のランプ等を用いて点灯・点滅等の態様で表示する様にしてもよい。
【０３５６】
［他の態様５］
また、実施例１では、非時短状態（低ベース状態）において、第２特別図柄当否判定が実行されることに基づいて大当り遊技を実行する場合、当該大当り遊技終了後の遊技状態が時短状態（高ベース状態）とされる確率を１００％としたが、この様な態様に限らない。大当り遊技終了後の遊技状態が時短状態とされる確率を１００％未満の所定の確率としてもよい。この場合には、非時短状態（低ベース状態）において、第２特別図柄当否判定が実行されることに基づいて大当り遊技が実行されて当該大当り遊技終了後の遊技状態が時短状態とされる確率を、時短状態（高ベース状態）において、第２特別図柄当否判定が実行されることに基づいて大当り遊技が実行されて当該大当り遊技終了後の遊技状態が時短状態とされる確率よりも高く設定することが可能である。また、第１特別図柄当否判定によって小当りと判定される確率よりも、第２特別図柄当否判定によって小当りと判定される確率を高くすることが可能である。
【０３５７】
［その他の態様］
また、前述の遊技機の構成において、例えば、第１形態をＯＦＦ状態といい、第２形態をＯＮ状態ということが可能である。また、第１形態をＯＮ状態とし、第２形態をＯＦＦ状態としてもよい。また、第１形態をローレベル（０）状態といい、第２形態をハイレベル（１）状態ということも可能である。また、第１形態をハイレベル（１）状態とし、第２形態をローレベル（０）状態としてもよい。また、情報出力手段が出力する特定情報を用いることで、遊技者に有利な状況が継続している継続期間を把握することが可能となる。また、例えば、この継続期間に実行された特別遊技の回数や、識別情報の変動表示回数等を把握することも可能となる。
【０３５８】
また、前述の遊技機の構成において、情報出力手段が出力する特定情報及び第２特定情報を受信可能なホールコンピュータを備え、ホールコンピュータの制御手段が、当該特定情報及び第２特定情報を解析・演算等して利用することで、遊技者に多様な遊技情報を提供することが可能となる。例えば、ホールコンピュータは、特定情報が第２形態とされている特定期間を把握可能な特定期間判定手段と、特定期間に特別遊技（大当り遊技）が発生した回数（所謂連荘回数の計数）を計数する特別遊技計数手段と、特定情報が第１形態から第２形態又は第２形態から第１形態に変化することに基づいて、特別遊技計数手段が計数する特別遊技の回数をリセット（再計数）する計数リセット手段と、を備えるものとしてもよい。また、合わせて営業時間内に発生した特別遊技の発生回数を計数する第２特別遊技計数手段を備えることも可能である。そして、更に、特別遊技計数手段や第２特別遊技計数手段が計数した値を表示する遊技情報表示装置を備え、ホールコンピュータが遊技情報表示装置の表示制御を行うことで、遊技者に対して、遊技情報を報知することが可能となる。これにより、遊技者は当該遊技情報を、多数ある遊技機のうちどの遊技機を遊技するか、遊技を終了するタイミングをいつにするか等の参考にすることが可能となる。
【０３５９】
前述の遊技機の構成において、「特定条件の成立に基づいて第１遊技領域発射報知を行う」とは、少なくとも特定条件が成立した後に、第１遊技領域発射報知を行うものであればよく、更に他の条件が成立（例えば、発射領域検知手段が右打ちを検知）することに基づいて第１遊技領域発射報知を行うようにしてもよい。
また、前述の遊技機の構成において、「可変始動口への入球頻度が所定頻度の第１頻度状態」には、可変始動口への入球が不能な状態、すなわち、入球頻度が０の状態や、非常に入球が困難で殆ど可変始動口に入球しない状態を含むものとする。また、「特定の表示態様」とは、例えば、大当り表示態様や小当り表示態様をいう。尚、大当り表示態様や小当り表示態様の夫々に、複数の異なる表示態様を設けても良い。
【０３６０】
また、前述の遊技機の構成において、「可変始動口への入球に基づいて特別遊技が実行される場合には、始動口への入球に基づいて特別遊技が実行される場合よりも、特別遊技終了後の遊技状態が第２頻度状態に設定される可能性が高い」ものとしてもよい。また、「可変始動口への入球に基づいて特別遊技が実行される可能性は、始動口への入球に基づいて特別遊技が実行される可能性よりも高い」ものとしてもよい。これにより、第１頻度状態となった後も、可変始動口への入球に基づいて取得した保留情報がある場合には、第１頻度状態から再度、特別遊技が発生したり、第２頻度状態が発生したりする可能性が比較的高いものとされる。従って、特別遊技や第２の遊技状態が再度発生するかどうかが判明する保留情報に係る識別情報の変動表示が終了するまでは、第１頻度状態となっても第１遊技領域発射報知を実行しないものとしてもよい。そして、特別遊技や第２頻度状態が再度発生するとなった場合には、引き続き第１遊技領域発射報知を実行しないものとし、特別遊技や第２頻度状態が再度発生しない（外れ）となった場合には、第１遊技領域発射報知を実行するものとしてもよい。
【０３６１】
また、前述の遊技機の構成において、「可変始動口又は遊技球を検知することに基づいて可変始動口を遊技球の入球可能性が高い第２頻度状態にすることが可能な遊技球検知手段の少なくとも一方を、第１遊技領域に発射した遊技球が入球しない（を検知しない）位置又は第１遊技領域に発射した遊技球の入球（検知）が困難な位置に配置する」ものとすることが可能である。これにより、第１頻度状態において、可変始動口に遊技球が入球しないようにすることが可能となる。また、「遊技球の発射強度として、第１発射強度と第１発射強度よりも発射強度が大きい第２発射強度とを有し、前述の可変始動口又は遊技球検知手段の少なくとも一方を、遊技領域の第２発射強度で遊技球を発射すると入球可能な位置であって、第１発射強度で遊技球を発射すると入球不能（検知不能）な位置に配置する」ものとすることができる。
【０３６２】
また、前述の遊技機の構成において、「特別遊技終了後の遊技状態が第２頻度状態に設定されると、第２頻度状態において識別情報が所定回数変動表示することに基づいて、第１頻度状態に設定可能とされ、第２頻度状態から第１頻度状態に設定された場合において、特定条件が成立する前は第１遊技領域発射報知を実行せず、特定条件が成立した後は第１遊技領域発射報知を実行可能とする」ものとしてもよい。また、前述の遊技機の構成において、「特別遊技終了後の遊技状態が第２頻度状態に設定されると、第２頻度状態において識別情報が所定回数変動表示することに基づいて、第１頻度状態に設定可能とされ、第２頻度状態から第１頻度状態に設定された場合において、特定条件が成立する前は発射領域検知手段が遊技球を検知しても第１遊技領域発射報知を実行せず、特定条件が成立した後は発射領域検知手段が遊技球を検知すると第１遊技領域発射報知を実行するものとしてもよい。
【０３６３】
また、前述の遊技機の構成において、「可変始動口への入球に基づいて記憶した保留情報記憶手段の保留情報に基づく識別情報の変動表示の実行中は、発射領域検知手段が遊技球を検知したときの遊技状態が第１頻度状態であっても第２頻度状態であっても、第１遊技領域発射報知を実行しない」ものとしてもよい。
【０３６４】
また、前述の遊技機の構成において、「第１遊技領域への発射を検知する第１遊技領域発射検知手段を備え、第２頻度状態において、第１遊技領域発射検知手段での遊技球の検知があると、第２遊技領域への発射を示す第２遊技領域発射報知を実行し、第１頻度状態において、保留にかかる識別情報の変動表示中は、第２遊技領域発射検知手段で遊技球の検知があっても、第１遊技領域発射報知を実行せず、第１遊技領域発射検知手段での遊技球の検知があっても、第２遊技領域発射報知を実行しない」ものとしてもよい。また、「第１頻度状態において、可変始動口への入球に基づいて記憶した保留情報に係る識別情報の変動表示が終了した後は、第２遊技領域発射検知手段で遊技球の検知があると、第１遊技領域発射報知を実行し、第１遊技領域発射検知手段での遊技球の検知があっても、第２遊技領域発射報知を実行しない」ものとしてもよい。
【０３６５】
また、前述の遊技機の構成において、遊技球が入球可能な第１始動口と、遊技球の入球可能性が変化可能な可変式の第２始動口と、第１始動口への遊技球の入球に基づいて第１当否判定を実行する第１当否判定手段と、第２始動口への遊技球の入球に基づいて第２当否判定を実行する第２当否判定手段と、遊技球が入球可能な入球可能状態と遊技球が入球不能な入球不能状態とに変化可能な第１可変入球口（第１大入賞口）と、遊技球が入球可能な入球可能状態と遊技球が入球不能な入球不能状態とに変化可能であって、内部に遊技球が通過可能な特定領域を有する第２可変入球口（第２大入賞口）と、第１当否判定又は第２当否判定の結果が当りになると第１可変入球口又は第２可変入球口を入球可能状態とする特別遊技を実行可能な特別遊技実行手段と、を備えるものとしてもよい。
【０３６６】
第２始動口への遊技球の入球頻度が所定の頻度の第１頻度状態と、第１頻度状態よりも第２始動口への遊技球の入球頻度が高い第２頻度状態とに設定する遊技状態設定手段とを備えてもよい。また、可変式始動口への遊技球の入球頻度が所定の頻度の第１頻度状態とここで、「所定の頻度」には０を含むものとする。また、第１当否判定又は第２当否判定の結果として、第１特定結果（大当り）と第２特定結果（小当り）とを有し、第１当否判定又は第２当否判定の結果が第１特定結果となるか、若しくは、第１当否判定又は第２当否判定の結果が第２特定結果となって入球可能状態となった第２可変入球口に遊技球が入球し当該遊技球が特定領域を通過すると、大当り遊技を実行する大当り遊技実行手段を備えるものとしてもよい。
【０３６７】
また、前述の実施例では、１ラウンドにおける第１大入賞口又は第２大入賞口の開放回数を１回としているが、１ラウンドにおける第１大入賞口又は第２大入賞口の開放回数を複数回としてもよいし、異なる開放回数のラウンドを有するようにしてもよい。
【０３６８】
また、前述の実施例では、第２特図保留を第１特図保留に優先して消化する制御処理、所謂特図２優先の制御処理としたが、これに限らず、第１特図保留を第２特図保留に優先して消化する制御処理、所謂特図１優先の制御処理としてもよい。また、第１特図保留の消化と第２特図保留の消化とに優先順位を設定せず、第１特図保留及び第２特図保留のうち、最も古く記憶されたものから順に消化する制御処置、所謂入球順（記憶順）消化の制御処理としてもよい。
【０３６９】
また、前述の実施例では、特別図柄当否判定の結果として大当りと小当りとを有し、大当りとなったとき、及び、小当りとなって大入賞口内に設けられた特定領域３９を遊技球が通過したとき、の両方のときに大当り遊技を実行可能なパチンコ遊技機（所謂１種２種遊技機）に本発明を適用したものを例示したが、これに限らない。特別図柄当否判定の結果が大当りになったときにのみ大当り遊技を実行可能とするパチンコ遊技（所謂１種遊技機）に本発明を適用してもよいし、特別図柄当否判定の結果が大当りとなる可能性が低い低確率状態と、大当りとなる可能性が高い高確率状態とに設定可能な確率設定手段を備えた遊技機に本発明を適用してもよい。また、本発明はあらゆるタイプの遊技機に適用可能であり、また、本発明は、前述の実施例や他の態様やその他の構成の一部又は全部を組合せて実施してもよい。
【０３７０】
［その他］
（参考発明１）
従来の遊技機において、始動口と可変始動口とを備え、始動口又は可変始動口への入球によって実行された当否判定の結果に基づいて大当り遊技が実行されると、当該大当り遊技終了後の遊技状態を、可変始動口への入球頻度が低い非時短状態、又は可変始動口への入球頻度が高い時短状態に設定可能な遊技機があった。また、大当り遊技は、当否判定の結果が大当りである場合に実行されたり、当否判定の結果が小当りとなって開放した大入賞口に遊技球が入球し当該遊技球が大入賞口内の特定領域を通過した場合に実行されたりする遊技機があった。
【０３７１】
特許文献（特開２０１０−５１６５５）の遊技機では、始動口と可変始動口とを備え、始動口又は可変始動口への入球によって実行された当否判定の結果に基づいて大当り遊技が実行されると、当該大当り遊技終了後の遊技状態を、可変始動口への入球頻度が低い非時短状態、可変始動口への入球頻度が高い時短状態、当否判定において大当りと判定される確率が低い低確率状態、又は、当否判定において大当りと判定される確率が高い高確率状態に設定可能とされている。そして、遊技状態の変化に応じて、時短状態に設定されているかどうかを示す時短情報、及び、高確率状態に設定されているかどうかを示す確率情報を、外部出力端子から出力することが記載されている。
【０３７２】
然しながら、特許文献１の様に、単に遊技状態の変化に合わせて遊技状態を示す信号を出力するだけでは、遊技者に有利な期間が継続している期間を効果的に示すことができない場合があった。本参考発明１は、前述の事情に鑑みてなされたものであり、従来にはない新たな遊技状態を示す信号を出力することによって、遊技興趣を高める遊技機を提供するものである。
【０３７３】
前述の課題を解決するための参考発明１−１発明の遊技機は、
遊技球が入球可能な第１始動口と、
第１態様と、前記第１態様よりも遊技球の入球可能性が高い第２態様と、に変化可能な第２始動口と、
前記第２始動口への入球に基づいて取得した入球情報を、保留情報として記憶可能な第２保留情報記憶手段と、
遊技球が入球可能な入球可能状態と、遊技球が入球不能な入球不能状態とに変化可能な可変入球口と、
前記第１始動口への遊技球の入球に基づいて変動表示する第１図柄と、
前記第２始動口への遊技球の入球に基づいて変動表示する第２図柄と、
前記第２始動口への遊技球の入球頻度が所定頻度の第１頻度状態と、前記第１頻度状態よりも前記第２始動口への遊技球の入球頻度が高い第２頻度状態と、に設定可能な入球頻度設定手段と、
前記第１図柄又は前記第２図柄が特定態様で停止表示することに基づいて、前記可変入球口を入球可能状態とする当り遊技を実行可能な遊技機であって、
遊技の状態を判断する状態判断制御部と、
前記状態判断制御部の判断結果に基づいて、第１形態と第２形態とに変化可能な特別信号を出力する信号出力部と、を備え、
前記信号出力部は、少なくとも、
前記状態判断制御部が、前記当り遊技の実行中と判断したとき、前記第２頻度状態の設定中と判断したとき、及び、前記第２図柄の変動表示中と判断したときは、前記特別信号を前記第２形態とし、
前記状態判断制御部が、前記第１頻度状態であって前記第１図柄の変動表示中と判断したときは、前記特別信号を前記第１形態とする
ことを特徴とするものである。
【０３７４】
このような遊技機によれば、当り遊技が実行されると、当該当り遊技の開始から、当り遊技終了後の遊技状態が第２頻度状態に設定されている期間、そして、当り遊技終了後の遊技状態が第１頻度状態に設定された場合であっても、第２図柄が変動表示されている期間は、信号出力部が出力する特別信号を、第２形態で維持することが可能となる。
【０３７５】
具体的に、本遊技機は、第２始動口への入球に基づいて取得した入球情報を記憶可能な第２保留情報記憶手段を備えているため、当り遊技終了後が第１頻度状態に設定されたとしても、保留情報が記憶されていれば、当該保留情報に基づいて第２図柄が変動表示する。そして、当該第２図柄の変動表示に基づいて当り遊技が実行される場合は、その期間及びその後も継続して特別信号を第２形態で維持することが可能となる。また、特別信号を、遊技者に有利な状況が発生していることを示す信号といってもよい。また、特別信号が第２形態となっている（継続している）期間を、遊技者に有利な状況が継続している期間といってもよい。また、電源投入時の初期状態において、特別信号は第１形態に設定されるものとする。
また、「前記特定態様として複数の表示態様を有し、
前記特定態様として何れの表示態様が停止表示するかによって、前記当り遊技終了後に前記第１頻度状態が設定される場合と、前記第２頻度状態が設定される場合とがある」構成としてもよい。
【０３７６】
また、参考発明１−２の遊技機は、参考発明１−１の遊技機において、
前記当り遊技が実行されていることを示す当り遊技中信号を有し、
前記当り遊技中信号は、前記当り遊技終了後も所定期間経過までは前記第２形態とされ、
前記状態判断制御部は、前記当り遊技中信号に基づいて前記当り遊技の実行中であるかどうかを判断することを特徴とするものである。
【０３７７】
このような遊技機によれば、当り遊技が実行されていることを示す当り遊技中信号を有し、当り遊技が実行される場合において、当り遊技中信号によって当り遊技が実行されていると示す期間を、当り遊技終了後に所定期間が経過するまで遅延させたので、実際に当り遊技が終了した後にすぐさま特別信号が第２形態から第１形態に変化するのを防止する。これにより、特別信号を、当り遊技終了後に所定期間経過するまで第２形態のまま維持することが可能となる。そして、この所定期間経過までの期間に特別信号を第２形態とする条件を満たせば、特別信号を、確実に、当り遊技中から引き続いて（第１形態を経ることなく）、第２形態で維持することが可能となる。
【０３７８】
尚、当り遊技中信号は、当り遊技終了後も所定期間経過までは当り遊技が実行されていることを示すものとする。
【０３７９】
また、参考発明１−３の遊技機は、参考発明１−２の遊技機において、
前記当り遊技が終了する際に前記第２保留情報記憶手段に保留情報が記憶されており、前記当り遊技の終了後に当該保留情報に基づいて前記第２図柄の変動表示が実行される場合において、
前記当り遊技中信号は、前記第２図柄の変動表示を開始した後の所定時期まで、前記第２形態とされることを特徴とするものである。
【０３８０】
このような遊技機によれば、当り遊技の終了時に第２保留情報記憶手段に保留情報が記憶されている場合において、当該保留情報に基づく第２図柄の変動表示は、当り遊技の終了後に実行する。またこのような制御処理において、当り遊技中信号の遅延処理がない場合、状況によっては、当り遊技終了後から第２図柄の変動表示が開始するまでの僅かな時間に、特別信号が第１形態となってしまうおそれがある。
【０３８１】
具体的に、当り遊技終了後の遊技状態が第１頻度状態に設定される場合において、当り遊技終了後に、第１頻度状態で、且つ、当り遊技及び第２図柄の変動表示の何れも実行されない状況が発生する可能性がある。対して、本発明では、当り遊技が実行されていることを示す当り遊技中信号を、当り遊技終了後の第２図柄の変動表示が開始されうるタイミングまで遅延させているので、当り遊技終了後、第２図柄の変動表示開始までの間に、特別信号が第１形態となってしまうおそれを低減でき、特別信号を、より確実に第２形態で維持することが可能となる。これにより、特別信号の形態を、適切且つ効果的に制御することが可能となる。
【０３８２】
また、当り遊技終了後の遊技状態が第１頻度状態に設定される場合でも、保留記憶に基づいて第２図柄が変動表示し、当該変動表示に基づいて再度当り遊技が実行されると、その間継続して、特別信号を第２形態とすることが可能となる。これにより、特別信号が第２形態で継続する期間を長くし、遊技者に対して、有利期間が長期間継続しているものとして報知することが可能となる。またこれにより、遊技興趣を高めることが可能となる。
【０３８３】
尚、当り遊技中信号は、第２図柄の変動表示を開始した後の所定時期まで、当り遊技が実行されていることを示すものとする。
【０３８４】
また、参考発明１−４の遊技機は、参考発明１−１乃至参考発明１−３の遊技機において、
前記信号出力部は、
前記状態判断制御部の判断結果に基づいて、第３形態と第４形態とに変化可能な第２特別信号を出力するものとされ、
前記状態判断制御部が、前記当り遊技の実行中と判断したときは、前記第２特別信号を前記第４形態とし、前記当り遊技の実行中でないと判断したときは、前記第２特別信号を前記第３形態とすることを特徴とするものである。
【０３８５】
このような遊技機によれば、信号出力部は、遊技者に有利な状況が発生（継続）していることを示す特別信号に加えて、当り遊技が実行されていることを示す第２特別信号を出力する。これら特別信号及び第２特別信号を用いることで、遊技者に多様な遊技情報を提供することが可能となる。また、特別信号が第２状態で継続する期間を長くすることで、遊技者に対して、有利期間が継続している間の当り遊技の発生回数をできるだけ多い回数で報知することが可能となる。またこれにより、遊技興趣を高めることが可能となる。
【０３８６】
また、参考発明１の他の態様の発明として、
遊技球が入球可能な第１始動口と、
第１態様と、前記第１態様よりも遊技球の入球可能性が高い第２態様と、に変化可能な第２始動口と、
前記第２始動口への入球に基づいて取得した入球情報を、保留情報として記憶可能な第２保留情報記憶手段と、
前記第１始動口への遊技球の入球に基づいて変動表示する第１図柄と、
前記第２始動口への遊技球の入球に基づいて変動表示する第２図柄と、
前記第２始動口への遊技球の入球頻度が所定頻度の第１頻度状態と、前記第１頻度状態よりも前記第２始動口への遊技球の入球頻度が高い第２頻度状態と、に設定可能な入球頻度定手段と、
前記第１図柄又は前記第２図柄が特定態様で停止表示することに基づいて、遊技者に有利な当り遊技を実行可能な遊技機であって、
前記特定態様として複数の表示態様を有し、
前記特定態様として何れの表示態様が停止表示するかに基づいて、前記当り遊技終了後の遊技状態が、前記第１頻度状態が設定される場合と、前記第２頻度状態が設定される場合とがあり、
前記第１図柄と前記第２図柄とのうち、前記第２図柄が連続して変動表示していることを示す連続信号と、
遊技の状態を判断する状態判断制御部と、
前記状態判断制御部の判断結果に基づいて、第１形態と第２形態とに変化可能な特別信号を出力する信号出力部と、を備え、
前記信号出力部は、少なくとも、
前記状態判断制御部が、前記当り遊技の実行中と判断したとき、前記第２頻度状態の設定中と判断したとき、及び前記連続信号に基づいて前記第２図柄が連続して変動表示中であると判断したときは、前記特別信号を前記第２形態とし、
前記状態判断制御部が、前記第１頻度状態であって前記第１図柄が変動表示中であると判定したときは、前記特別信号を前記第１形態とするものとしてもよい。
【０３８７】
このような遊技機によれば、当り遊技が実行されると、当り遊技の開始から、当り遊技終了後の遊技状態が第２頻度状態に設定されている期間、そして、当り遊技終了後の遊技状態が第１頻度状態に設定された場合であっても、第２図柄が変動表示されている期間は、信号出力部が出力する特別信号を、第２形態で維持することが可能となる。
【０３８８】
具体的に、第２始動口への入球に基づいて取得した入球情報を記憶可能な第２保留情報記憶手段を備えているため、当り遊技終了後が第１頻度状態に設定されたとしても、保留情報が記憶されていれば、当該保留情報に基づいて第２図柄が変動表示する。そして、当該第２図柄の変動表示に基づいて当り遊技が実行される場合、その間及びその後も継続して特別信号を第２形態で維持することが可能となる。
【０３８９】
また、第２図柄が連続して変動表示していることを示す連続信号を有し、この連続信号に基づいて特別信号を第２形態とするものとした。これにより、第２頻度状態を経て当り遊技終了後の第１頻度状態において第２図柄が変動表示するときには、特別信号を第２形態とするが、第１頻度状態において第２始動口を狙って遊技を行い、たまたま第２始動口に遊技球が入球して１回だけ第２図柄が変動表示したような場合には、特別信号を第１形態のままとすることが可能となる。またこれにより、特別信号を第２状態とする期間を、適切且つ効果的な期間に設定することが可能となる。
【０３９０】
また、参考発明１の他の態様の発明として、
遊技球が入球可能な第１始動口と、
第１態様と、前記第１態様よりも遊技球の入球可能性が高い第２態様と、に変化可能な第２始動口と、
前記第２始動口への入球に基づいて取得した入球情報を、保留情報として記憶可能な第２保留情報記憶手段と、
前記第１始動口への遊技球の入球に基づいて変動表示する第１図柄と、
前記第２始動口への遊技球の入球に基づいて変動表示する第２図柄と、
前記第２始動口への遊技球の入球頻度が所定頻度の第１頻度状態と、前記第１頻度状態よりも前記第２始動口への遊技球の入球頻度が高い第２頻度状態と、に設定可能な入球頻度設定手段と、
前記第１図柄又は前記第２図柄が特定態様で停止表示することに基づいて、遊技者に有利な当り遊技を実行可能な遊技機であって、
前記特定態様として複数の表示態様を有し、
前記特定態様として何れの表示態様が停止表示するかに基づいて、前記当り遊技終了後に、前記第１頻度状態が設定される場合と、前記第２頻度状態が設定される場合とがあり、
遊技機の遊技情報を遊技機外部に出力可能な信号出力部を備え、
前記信号出力部が出力する遊技情報として、少なくとも、
前記第２図柄が連続して変動表示することを示す連続信号と、
前記当り遊技の実行中であることを示す当り遊技中信号と、
前記第２頻度状態の設定中であることを示す頻度状態信号と、を有し、
前記当り遊技中信号は、前記当り遊技終了後、所定期間経過まで前記当り遊技が実行されていることを示すものとしてもよい。
【０３９１】
このような遊技機によれば、信号出力部により、当り遊技が実行されていることを示す当り遊技中信号と、第２図柄が連続して変動表示することを示す連続信号と、遊技状態が第２頻度状態に設定されていることを示す頻度状態信号（遊技状態信号）と、を出力可能とし、当り遊技中信号を、当り遊技終了後、所定期間経過まで当り遊技が実行されていることを示すものとした。これにより、遊技機に接続される設備により、これらの外部出力した信号を受信して読み取り等の制御を行えば、当り遊技の開始から、当り遊技終了後の遊技状態が第２頻度状態に設定されている期間、そして、当り遊技終了後の遊技状態が第１頻度状態に設定された場合であっても、第２図柄が変動表示されている期間、を特定期間として把握することが可能となる。
【０３９２】
前述したとおり、第２始動口への入球に基づいて取得した入球情報を記憶可能な第２保留情報記憶手段を備えているため、当り遊技終了後が第１頻度状態に設定されたとしても、保留情報が記憶されていれば、当該保留情報に基づいて第２図柄が変動表示する。そして、当該第２図柄の変動表示に基づいて当り遊技が実行される場合には、その間も特定期間として把握することが可能となる。また、第２図柄が連続して変動表示していることを示す連続信号を外部出力可能とした。これにより、第２頻度状態を経て当り遊技終了後の第１頻度状態において第２図柄が変動表示するときには、連続信号を第２図柄が連続して変動表示していることを示す形態で出力するが、第１頻度状態において第２始動口を狙って遊技を行い、たまたま第２始動口に遊技球が入球して１回だけ第２図柄が変動表示したような場合には、連続信号を第２図柄が連続して変動表示していることを示す形態で出力しない。これにより、特別信号を第２形態とする期間を、適切且つ効果的な期間に設定することが可能となる。
【０３９３】
また、当り遊技中信号によって当り遊技が実行されていると示す期間を、当り遊技終了後に所定期間が経過するまで遅延させたので、実際に当り遊技が終了した後にすぐさま当り遊技中信号が出力形態を変化するのを防止する。これにより、当り遊技終了後の所定期間経過まで当り遊技中信号によって当り遊技が実行されていると示す期間とすることができ、当り遊技終了後の遊技状態が第１頻度状態とされ、且つ、連続信号が、当り遊技の終了後に第２図柄の連続変動表示を示す形態に切り替わるようなときであっても、切れ目なく確実に、特定期間を把握可能とすることが可能である。
【０３９４】
本参考発明１の遊技機によれば、新たな遊技状態を示す信号を出力することによって、遊技の状態を的確に判断し、遊技興趣の向上を図ることが可能となる。
【０３９５】
（参考発明２）
また、パチンコ遊技機等の遊技機は、例えば下記特許文献１に記載のように、外部端子板を備え、外部端子板から遊技の進行に伴って様々な信号を遊技機の外部に出力している。遊技機の外部とは、外部装置（例えば、ホール内で遊技機の上方に設置されて、接続されている遊技機の動作状況に関する表示を行うデータ表示器や、ホール内にある各遊技機の動作状況等の情報を集計して管理（営業管理や遊技管理）を行うホールコンピュータ等）のことである。
【０３９６】
このようなパチンコ遊技機（例えば、特開２００７−１１１２６４）は、主基板（主制御基板、払出制御基板）を備え、主基板は遊技の結果に影響を及ぼす制御処理を実行可能な制御手段（遊技制御手段、払出制御手段）を備えている。例えば、主基板としての主制御基板には、始動口センサ等、様々なセンサが接続されていて、始動口センサ等による検知信号が入力される。この場合、遊技制御手段は、始動口センサによる検知信号の入力に基づいて、当否判定等の制御処理を行ったり、図柄の確定停止表示を示す変動停止信号を外部端子板に出力したりする。そして、その変動停止信号を入力した外部端子板は、外部装置に図柄の停止表示を知らせるべく、当該変動停止信号（図柄確定信号）を遊技機外部に出力するようになっている。
【０３９７】
ところでパチンコ遊技機の外部端子板から、図柄確定信号のような既存の信号だけでなく、新たな信号（情報）を外部装置に送ることが考えられる。外部装置が、当該パチンコ遊技機の状況をより詳細に把握可能となるためである。この場合、始動口センサのような既存のセンサによる検知信号は、主制御基板（主基板）の遊技制御手段（制御手段）に入力されて、遊技制御手段により制御処理された信号が外部端子板に送られることになる。そこで、新たな信号も主制御基板の遊技制御手段を介して外部端子板に送ろうとする構成が考えられるが、そうすると遊技制御手段の制御処理の負担が増加してしまう。
【０３９８】
本参考発明２は、前述の事情に鑑みてなされたものであり、所定の信号を主基板を介して外部端子板に送る場合に、主基板の制御手段による制御処理の負担が増加するのを回避することが可能な遊技機を提供することにある。
【０３９９】
前述の課題を解決するための参考発明２−１の遊技機は、
所定条件の成立に基づいて当否判定を行う当否判定制御部と、
前記当否判定の結果が特定結果となると、遊技者に所定の遊技利益を付与可能な特別遊技を実行する特別遊技制御部と、
前記遊技利益の付与量を管理制御する遊技利益付与制御部と、を備えた遊技機であって、
前記当否判定制御部、前記特別遊技制御部、及び、前記遊技利益付与制御部の少なくとも１個の制御部を有する遊技制御部と、
前記遊技制御部に対して第１特定信号を出力可能な第１特定信号出力部と、
前記遊技制御部に対して第２特定信号を出力可能な第２特定信号出力部と、
遊技機の外部に信号を出力可能な外部信号出力部（外部出力部）と、を備え、
前記遊技制御部に入力された前記第１特定信号は、前記遊技制御部の有する制御部で制御処理され、当該制御処理に基づく信号が前記遊技制御部から前記外部信号出力部に出力され、
前記遊技制御部に入力された前記第２特定信号は、前記遊技制御部の有する制御部で制御処理されることなく、前記遊技制御部から前記外部信号出力部に出力される
ことを特徴とするものである。
【０４００】
このような遊技機によれば、当否判定制御部、特別遊技制御部、及び遊技利益付与制御部のうちの少なくとも１個の制御部を有する遊技制御部を備えている。また、第１特定信号出力部から出力された第１特定信号は、遊技制御部に入力されて当該遊技制御部で制御処理されて、遊技制御部から外部信号出力部に出力される。また、第２特定信号出力部から出力された第２特定信号は、遊技制御部に入力されて当該遊技制御部で制御処理されることなく、遊技制御部から外部信号出力部に出力される。これにより、第２信号を、遊技制御部を介して外部信号出力部に送る場合に、遊技制御部の有する制御部による制御処理の負担が増加するのを極力防止することが可能となる。
【０４０１】
また、第１特定信号出力部（例えば、始動口センサ）から出力された第１特定信号は、主基板の制御手段で制御処理される。この制御処理により、制御処理信号（例えば特別図柄の確定表示を示す外端出力信号）が、遊技制御部（主基板）から外部信号出力部（外部出力部、外部端子板）に出力される。そして外部信号出力部が、制御処理信号に基づく信号（例えば図柄確定信号）を外部装置（データ表示器やホールコンピュータ等）に出力する。また、第２特定信号出力部から出力された第２特定信号は、遊技制御部（主基板）の制御手段の制御処理に用いられることなく、外部信号出力部に出力される。そして外部信号出力部が、第２特定信号の入力に基づく信号を外部装置に出力することが可能である。このようにして、第２特定信号に係る新たな情報を遊技制御部（主基板）を介して外部信号出力部（外部装置）に送る場合に、遊技制御部（主基板）の制御手段による制御処理の負担が増加するのを回避することが可能である。
【０４０２】
また、前記当否判定の結果に基づいて識別情報を変動表示する識別情報表示手段と、
遊技球が入球可能な入球可能状態と、遊技球が入球不能な入球不能状態と、に変化可能な可変入球口と、
前記可変入球口を入球可能状態とする特別遊技を実行する特別遊技実行手段と、を備え、
前記当否判定の結果が特定結果となると、前記識別情報を特定態様で停止表示して前記特別遊技を実行可能な遊技機としてもよい。
【０４０３】
また、参考発明２−２の遊技機は、参考発明２−１の遊技機において、
遊技領域に遊技媒体を発射して遊技を行う遊技機であって、
前記遊技領域の前面を覆う閉状態と、前記遊技領域に前面を開放する開状態と、に開閉可能な前面枠と、
前記前面枠が開状態又は閉状態にあることを検知して枠信号を出力する枠信号出力部と、を備え、
前記第２特定信号出力部は前記枠信号出力部であり、
前記第２特定信号は前記枠信号であることを特徴とするものである。
【０４０４】
このような遊技機によれば、遊技領域の前面を開閉する前面枠と、前記前面枠が開状態にあること（又は、閉状態にあること）を検知して枠信号を出力する枠信号出力部と、を備える。そして、第２特定信号出力部である枠信号出力部が、第２特定信号である枠信号を出力するものとする。これにより、枠信号出力部から出力された枠信号は、遊技制御部の制御手段の制御処理に用いられることなく、外部信号出力部に出力される。そして外部信号出力部が、枠信号の入力に基づく信号を、外部装置に出力することが可能である。またこれにより、外部装置側で、前面枠が開状態にあるのか又は閉状態にあるのかを判断し、不正防止を図ることが可能となる。また、このような枠信号を、遊技制御部を介して外部信号出力部（外部装置）に送った場合にも、遊技制御部の制御手段による制御処理の負担が増加するのを回避することが可能である。
【０４０５】
また、参考発明２−３の遊技機は、参考発明２−２の遊技機において、
遊技球の入球を検知可能な始動検知部を備え、
前記所定条件は、前記始動検知部が遊技球を検知することに基づいて成立するものとされ、
前記第１特定信号出力部は、前記始動検知部であり、
前記第１特定信号は、前記始動検知部が遊技球を検知することに基づいて出力する始動検知信号であることを特徴とするものである。
【０４０６】
このような遊技機によれば、始動検知部が遊技球を検知することに基づいて、当否判定を行うための所定条件を成立するものとする。そして、第１特定信号出力部である始動検知部が第１特定信号である始動検知信号を出力するものとする。これにより、遊技制御部に入力されて当該遊技制御部で制御処理される第１特定信号を、当否判定に必要な始動検知信号とし、当該始動検知信号を制御処理して遊技制御部から外部信号出力部に出力される。
【０４０７】
また、参考発明２−４の遊技機は、参考発明２−２の遊技機において、
前記遊技利益として付与される遊技球を検知可能な付与遊技球検知部を備え、
前記遊技利益付与制御部は、前記付与遊技球検知部の検知結果に基づいて前記遊技利益として付与される遊技球の付与個数を管理制御するものとされ、
前記第１特定信号出力部は、前記付与遊技球検知部であり、
前記第１特定信号は、前記付与遊技球検知部が遊技球を検知することに基づいて出力する付与遊技球検知信号であることを特徴とするものである。
【０４０８】
このような遊技機によれば、遊技利益付与制御部は、付与遊技球検知部の検知結果に基づいて、遊技利益の付与個数を管理制御するものとする。そして、第１特定信号出力部である付与遊技球検知部が、第１特定信号である付与遊技球検知信号を出力するものとする。これにより、遊技制御部に入力されて当該遊技制御部で制御処理される第１特定信号を、遊技利益の付与量の管理制御に必要な付与遊技球検知信号とし、当該付与遊技球検知信号を制御処理して遊技制御部から外部信号出力部に出力される。
【０４０９】
また、参考発明２−５の遊技機は、
所定条件の成立に基づいて当否判定を行う当否判定制御部と、
前記当否判定の結果が特定結果となると、遊技者に所定の遊技利益を付与可能な特別遊技を実行する特別遊技制御部と、
前記遊技利益の付与量を管理制御する遊技利益付与制御部と、を備えた遊技機であって、
少なくとも前記遊技利益付与制御部を有する遊技制御部と、
前記遊技制御部に対して第１特定信号を出力可能な第１特定信号出力部と、
前記遊技制御部に対して第２特定信号を出力可能な第２特定信号出力部と、
遊技機の外部に信号を出力可能な外部信号出力部と、を備え、
遊技領域に遊技媒体を発射して遊技を行う遊技機であって、
前記遊技領域の前面を覆う閉状態と、前記遊技領域に前面を開放する開状態と、に開閉可能な前面枠と、
前記前面枠が開状態又は閉状態にあることを検知して枠信号を出力する枠信号出力部と、を備え、
前記遊技制御部は前記枠信号の入力時間を計測する計測部を備え、
前記第２特定信号は前記枠信号であり、
前記遊技制御部に入力された前記第１特定信号は、前記遊技制御部の有する制御部で制御処理され、当該制御処理に基づく信号が前記遊技制御部から前記外部信号出力部に出力され、
前記遊技制御部に入力された前記枠信号は、前記計測部による計測時間が特定時間を超えた場合には前記遊技制御部から前記外部信号出力部に出力し、前記計測部による計測時間が前記特定時間を超えない場合には前記遊技制御部から前記外部信号出力部に出力しない
ことを特徴とするものである。
【０４１０】
このような遊技機によれば、当否判定制御部、特別遊技制御部、及び遊技利益付与制御部のうちの少なくとも１個の制御部を有する遊技制御部を備えている。また、遊技領域の前面を開閉する前面枠と、前記前面枠が開状態にあること（又は、閉状態にあること）を検知して枠信号を出力する枠信号出力部と、を備える。そして、第１特定信号出力部から出力された第１特定信号は、遊技制御部に入力されて当該遊技制御部で制御処理されて、遊技制御部から外部信号出力部に出力される。また、第２特定信号出力部である枠信号出力部が、第２特定信号である枠信号を出力するものとする。この、枠信号出力部から出力された枠信号は、遊技制御部の計測部で入力時間を計測され、計測時間が特定時間を越えた場合には外部信号出力部に出力され、特定時間を越えない場合は外部信号出力部に出力されない。
【０４１１】
また、枠信号が外部信号出力部に出力された場合には、外部信号出力部が、枠信号の入力に基づく信号を、外部装置に出力することが可能である。またこれにより、外部装置側で、前面枠が開状態にあるのか又は閉状態にあるのかを判断し、不正防止を図ることが可能となる。またこれにより、入力時間が特定時間を越えた場合にのみ枠信号を出力するため、余分な制御信号を出力することなく、制御処理の負担が増加するのを回避できる。またこれにより、枠信号を、遊技制御部を介して外部信号出力部（外部装置）に送った場合にも、遊技制御部の制御手段による制御処理の負担が増加するのを極力防止することが可能となる。
【０４１２】
また、参考発明２の他の手段に係る遊技機について説明する。
他の手段１に係る遊技機は、
所定の制御条件の成立に基づいて遊技者に有利な特別遊技状態に制御する遊技機（パチンコ遊技機 、スロットマシン）において、
遊技者による操作が可能な操作手段（入力手段、呼出スイッチ）と、
前記操作手段を操作する呼出操作（押下操作、押込操作）に基づいて、前記呼出操作が行われたことを示す呼出信号を当該遊技機の外部（データ表示器）に出力可能な呼出信号出力手段（外部端子板）と、を備えるものとしてもよい。
【０４１３】
この構成の遊技機によれば、操作手段に対して呼出操作を行うと、遊技機の外部（データ表示器やホールコンピュータ等の外部装置）に、呼出信号を出力する。これにより、ホールの従業員を呼び寄せることが可能である。つまり、遊技機に異常が生じた場合に、遊技者が離席してデータ表示器の呼び出しボタンを操作したり、ホールの従業員を呼びに行ったりする必要がないため、快適に遊技させることが可能である。
【０４１４】
また、他の手段２ に係る遊技機は、他の手段１の遊技機において、
前記操作手段には、前記呼出操作が行われたことを報知する呼出報知（「呼び出しスイッチ」の文字による赤色の点滅）を実行可能な呼出報知手段（呼出ランプ）が設けられるものとしてもよい。
【０４１５】
このような遊技機によれば、操作手段に対して呼出操作を行った後、呼出報知により、呼出中であることを把握し易くすることが可能である。特に、操作手段に呼出報知手段が設けられているため、操作手段の呼出操作と呼出報知との関係を分かり易くすることが可能である。
【０４１６】
また、他の手段３ に係る遊技機は、他の手段１又はたの手段２の遊技機において、
前記操作手段が設けられている遊技機枠（前面枠）を備え、
前記遊技機枠は、当該遊技機枠の内部に設けられている所定の領域（遊技領域、リールの配置領域）を視認可能な窓部（ガラス板、リール窓部）と、
前記窓部の下方側に位置し、遊技媒体を貯留可能な遊技媒体貯留部（操作機構ユニット、メダル受皿部）と、
前記窓部の上方側に位置し、当該遊技機枠の上部を装飾する上部装飾部（上側装飾ユニット）と、を備え、
前記上部装飾部は、前記遊技媒体貯留部の前端よりも前方に突出しているものとしてもよい。
【０４１７】
このような遊技機によれば、遊技機枠の上部装飾部が遊技媒体貯留部の前端よりも前方に突出しているため、遊技機枠の形状面におけるインパクトを強めることが可能である。しかしながら前方に突出する上部装飾部により、当該遊技機の上方に設置されているデータ表示器の呼び出しボタン等を操作し難くなる。そこで遊技者は、当該遊技機に設けられている操作手段に対する呼出操作により、簡易な方法でホールの従業員を呼び寄せることが可能である。
【０４１８】
また、他の手段４ に係る遊技機は、他の手段３の遊技機において、
前記遊技機枠に設けられている可動部材と、
前記可動部材を所定の待機位置（第１位置、収納位置）又は動作位置（第２位置、突出位置）に移動させることが可能な可動部材制御手段（サブ制御部）と、を備え、
前記動作位置は、前記可動部材の少なくとも一部が前記遊技機枠の上縁よりも上方にある位置であるものとしてもよい。
【０４１９】
このような構成の遊技機によれば、可動部材が動作位置にあるときには、遊技機枠の上縁よりも上方にあるため、演出効果を高めることが可能である。しかしながらこのときには、当該遊技機の上方に設置されているデータ表示器の視認性及び操作性が悪化する。そこで遊技者は、可動部材が遊技機枠の上縁よりも上方にあっても、操作手段に対する呼出操作により、簡易な方法でホールの従業員を呼び寄せることが可能である。
【０４２０】
また、他の手段５ に係る発明は、他の手段４の遊技機において、
前記動作位置は、前記可動部材の少なくとも一部が前記上部装飾部の前端（前端位置）よりも前方にある位置であるものとしてもよい。
【０４２１】
このような遊技機によれば、可動部材が動作位置にあるときには、遊技機枠の上縁よりも上方にあるだけでなく、上側装飾部の前端よりも前方に飛び出ているようになる。従って、データ表示器に対して一層手が届き難くなるものの、操作手段に対する呼出操作により、簡易な方法でホールの従業員を呼び寄せることが可能である。
【０４２２】
また、他の手段６に係る遊技機は、
所定の制御条件の成立に基づいて遊技者に有利な特別遊技状態（大当り遊技状態）に制御する遊技機において、
遊技者による操作が可能な操作手段と、
前記操作手段を操作する呼出操作に基づいて、前記呼出操作が行われたことを示す呼出信号を当該遊技機の外部に出力可能な呼出信号出力手段と、
前記呼出操作が行われたことを報知する呼出報知を実行可能な呼出報知手段と、を備えるものとしてもよい。
【０４２３】
このような遊技機によれば、操作手段に対して呼出操作を行うと、遊技機の外部に、呼出信号を出力する。これにより、ホールの従業員を呼び寄せることが可能である。つまり、当該遊技機に異常が生じた場合に、遊技者が席を立ってデータ表示器の呼び出しボタンを操作したり、ホールの従業員を呼びに行ったりする必要がないため、快適に遊技させることが可能である。更に、操作手段に対して呼出操作を行った後、呼出報知により、呼出中であることを把握し易くすることが可能である。
【０４２４】
また、他の手段７に係る遊技機は、他の手段６の遊技機において、
前記呼出報知手段は、前記呼出報知の実行中に前記操作手段に対して呼出解除操作が行われると、前記呼出報知を終了するものとしてもよい。
【０４２５】
このような遊技機によれば、操作手段に対して呼出操作を行うと呼出報知が開始されて、同じ操作手段に対して呼出解除操作を行うと呼出報知が終了する。従って、呼出報知の終了の仕方を分かり易くすることが可能である。
【０４２６】
また、他の手段８の遊技機は、他の手段７の遊技機において、
遊技の進行に伴う演出を制御可能な演出制御手段を備え、
前記演出制御手段は、所定の表示手段にて、前記呼出報知の実行中に前記操作手段に対して呼出解除操作が行われると前記呼出報知が終了することを説明する解除説明表示に示す説明画像の表示を実行可能なものとしてもよい。
【０４２７】
このような遊技機によれば、解除説明表示により、操作手段を操作したことがない遊技者でも、呼出報知の終了の仕方を把握させることが可能である。
【０４２８】
また、他の手段９の遊技機は、他の手段６乃至他の手段８の何れかの遊技機において、
時間を計時する計時手段（計測部）を備え、
前記呼出報知手段は、前記呼出報知の実行中に前記計時手段により所定時間が計時されることに基づいて、前記呼出報知を終了するものとしてもよい。
【０４２９】
このような遊技機によれば、呼出報知が開始されてから所定時間が経過すると、呼出報知を自動的に終了させることが可能である。従って、遊技者が呼出報知の終了方法が分からない場合や席を外している場合等に、呼出報知が実行され続けるという不都合を回避することが可能である。
【０４３０】
また、他の手段１０の遊技機は、他の手段６乃至他の手段９の何れかの遊技機において、
前記操作手段が設けられている遊技機枠を備え、
前記遊技機枠は、当該遊技機枠の内部に設けられている所定の領域を視認可能な窓部と、前記窓部の下方側に位置し、遊技媒体を貯留可能な遊技媒体貯留部と、前記窓部の上方側に位置し、当該遊技機枠の上部を装飾する上部装飾部と、を備え、
前記上部装飾部は、前記遊技媒体貯留部の前端よりも前方に突出しているものとしてもよい。
【０４３１】
このような遊技機によれば、遊技機枠の上部装飾部が遊技媒体貯留部の前端よりも前方に突出しているため、遊技機枠の形状面におけるインパクトを強めることが可能である。しかしながら前方に突出する上部装飾部により、当該遊技機の上方に設置されているデータ表示器の呼び出しボタン等を操作し難くなる。そこで遊技者は、当該遊技機に設けられている操作手段に対する呼出操作により、簡易な方法でホールの従業員を呼び寄せることが可能である。
【０４３２】
また、他の手段１１の遊技機は、他の手段１０の遊技機において、
前記遊技機枠に設けられている可動部材と、
前記可動部材を所定の待機位置又は動作位置に移動させることが可能な可動部材制御手段と、を備え、
前記動作位置は、前記可動部材の少なくとも一部が前記遊技機枠の上縁よりも上方にある位置であるものとしてもよい。
【０４３３】
このような遊技機によれば、可動部材が動作位置にあるときには、遊技機枠の上縁よりも上方にあるため、演出効果を高めることが可能である。しかしながらこのときには、当該遊技機の上方に設置されているデータ表示器の視認性及び操作性が悪化する。そこで遊技者は、可動部材が遊技機枠の上縁よりも上方にあっても、操作手段に対する呼出操作により、簡易な方法でホールの従業員を呼び寄せることが可能である。
【０４３４】
また、他の手段１２の遊技機は、他の手段１１の遊技機において、
前記動作位置は、前記可動部材の少なくとも一部が前記上部装飾部の前端よりも前方にある位置であるものとしてもよい。
【０４３５】
このような遊技機によれば、可動部材が動作位置にあるときには、遊技機枠の上縁よりも上方にあるだけでなく、上側装飾部の前端よりも前方に飛び出ているようになる。従って、データ表示器に対して一層手が届き難くなるものの、操作手段に対する呼出操作により、簡易な方法でホールの従業員を呼び寄せることが可能である。
【０４３６】
また、他の手段１３の遊技機は、
遊技機の外郭を形成する遊技機枠を備え、
前記遊技機枠は、当該遊技機枠の内部に設けられている所定の領域を視認可能な窓部と、前記窓部の下方側に位置し、遊技媒体を貯留可能な遊技媒体貯留部と、前記窓部の上方側に位置し、当該遊技機枠の上部を装飾する上部装飾部と、を備え、
所定の制御条件の成立に基づいて遊技者に有利な特別遊技状態に制御する遊技機において、
遊技者による操作が可能な操作手段と、前記操作手段を操作する呼出操作に基づいて、前記呼出操作が行われたことを示す呼出信号を当該遊技機の外部に出力可能な呼出信号出力手段と、を備え、前記操作手段は、前記上部装飾部に配されているものとしてもよい。
【０４３７】
このような遊技機によれば、操作手段に対して呼出操作を行うと、遊技機の外部に、呼出信号を出力する。これにより、ホールの従業員を呼び寄せることが可能である。つまり、当該遊技機に異常が生じた場合に、遊技者が席を立ってデータ表示器の呼び出しボタンを操作したり、ホールの従業員を呼びに行く必要がないため、快適に遊技させることが可能である。更に、操作手段が遊技媒体貯留部の近傍ではなく上部装飾部に配されているため、遊技者が操作手段を遊技媒体貯留部の近傍にある演出ボタン等と誤認して、誤操作し難くすることが可能である。
【０４３８】
また、他の手段１４に係る発明は、他の手段１３の遊技機において、
前記操作手段には、前記呼出操作が行われたことを報知する呼出報知を実行可能な呼出報知手段が設けられているものとしてもよい。
【０４３９】
このような遊技機によれば、操作手段に対して呼出操作を行った後、呼出報知により、呼出中であることを把握し易くすることが可能である。特に、操作手段に呼出報知手段が設けられているため、操作手段の呼出操作と呼出報知との関係を分かり易くすることが可能である。
【０４４０】
また、他の手段１５の遊技機は、他の手段１４の遊技機において、
前記呼出報知手段は、前記呼出報知の実行中に前記操作手段に対して呼出解除操作が行われると、前記呼出報知を終了するものとしてもよい。
【０４４１】
この構成の遊技機によれば、呼出報知の実行中に同じ操作手段に対して呼出解除操作を行うと呼出報知が終了するため、呼出報知の終了の仕方を分かり易くすることが可能である。そして、呼び寄せられたホールの従業員にとっては、操作手段が上部装飾部に配されているため、例えば遊技媒体貯留部の近傍に配されている場合に比べて、呼出報知を終了させる操作を行い易くすることが可能である。
【０４４２】
また、他の手段１６の遊技機は、他の手段１３乃至手段１５の何れかの遊技機において、
前記遊技媒体貯留部の右方側に、前記遊技媒体としての遊技球を前記所定の領域としての遊技領域に向けて発射可能な発射操作手段が配されていて、前記上部装飾部の左方側に、前記操作手段が配されているものとしてもよい。
【０４４３】
仮に、上部装飾部の右方側に操作手段が配されていると、遊技者は右手で発射操作手段を操作しつつ、左手で操作手段を操作し難くなる。そこでこの構成の遊技機によれば、上部装飾部の左方側に操作手段が配されているため、遊技者は右手で発射操作手段を操作しつつ、左手で操作手段への操作を行い易くすることが可能である。
【０４４４】
また、他の手段１７の遊技機は、他の手段１３乃至手段１６の何れかの遊技機において、
前記上部装飾部は、前記遊技媒体貯留部の前端よりも前方に突出しているものとしてもよい。
【０４４５】
このような遊技機によれば、遊技機枠の上部装飾部が遊技媒体貯留部の前端よりも前方に突出しているため、遊技機枠の形状面におけるインパクトを強めることが可能である。しかしながら前方に突出する上部装飾部により、当該遊技機の上方に設置されているデータ表示器の呼び出しボタン等を操作し難くなる。そこで遊技者は、当該遊技機に設けられている操作手段に対する呼出操作により、簡易な方法でホールの従業員を呼び寄せることが可能である。
【０４４６】
また、他の手段１８の遊技機は、他の手段１３乃至手段１７の何れかの遊技機において、
前記遊技機枠に設けられている可動部材と、
前記可動部材を所定の待機位置又は動作位置に移動させることが可能な可動部材制御手段と、を備え、
前記動作位置は、前記可動部材の少なくとも一部が前記遊技機枠の上縁よりも上方にある位置であるものとしてもよい。
【０４４７】
このような遊技機によれば、可動部材が動作位置にあるときには、遊技機枠の上縁よりも上方にあるため、演出効果を高めることが可能である。しかしながらこのときには、当該遊技機の上方に設置されているデータ表示器の視認性及び操作性が悪化する。そこで遊技者は、可動部材が遊技機枠の上縁よりも上方にあっても、操作手段に対する呼出操作により、簡易な方法でホールの従業員を呼び寄せることが可能である。
【０４４８】
また、他の手段１９の遊技機は、他の手段１８の遊技機において、
前記動作位置は、前記可動部材の少なくとも一部が前記上部装飾部の前端よりも前方にある位置であるものとしてもよい。
【０４４９】
このような遊技機によれば、可動部材が動作位置にあるときには、遊技機枠の上縁よりも上方にあるだけでなく、上側装飾部の前端よりも前方に飛び出ているようになる。従って、データ表示器に対して一層手が届き難くなるものの、操作手段に対する呼出操作により、簡易な方法でホールの従業員を呼び寄せることが可能である。
【０４５０】
また、他の手段２０の遊技機は、
所定の制御条件の成立に基づいて遊技者に有利な特別遊技状態に制御する遊技機において、
遊技者による操作が可能な操作手段と、前記操作手段を操作する呼出操作に基づいて、前記呼出操作が行われたことを示す呼出信号を当該遊技機の外部に出力可能な呼出信号出力手段と、遊技の進行に伴う演出を制御可能な演出制御手段と、を備え、
前記演出制御手段は、所定の表示手段にて、前記操作手段の機能を説明する機能説明表示を実行可能なものとしてもよい。
【０４５１】
このような遊技機によれば、操作手段に対して呼出操作を行うと、遊技機の外部に、呼出信号を出力する。これにより、ホールの従業員を呼び寄せることが可能である。つまり、当該遊技機に異常が生じた場合に、遊技者が席を立ってデータ表示器の呼び出しボタンを操作したり、ホールの従業員を呼びに行ったりする必要がないため、快適に遊技させることが可能である。しかしながら操作手段が新たに設けられていると、遊技者が操作手段を演出ボタン等と誤認して、誤操作するおそれがある。そこで操作手段の機能を説明する機能説明表示が実行することで、操作手段への誤操作を生じ難くすることが可能である。
【０４５２】
また、他の手段２１の遊技機は、他の手段２０の遊技機において、
前記操作手段が設けられている遊技機枠を備え、
前記遊技機枠は、
当該遊技機枠の内部に設けられている所定の領域を視認可能な窓部と、
前記窓部の下方側に位置し、遊技媒体を貯留可能な遊技媒体貯留部と、
前記窓部の上方側に位置し、当該遊技機枠の上部を装飾する上部装飾部と、を備え、
前記上部装飾部は、前記遊技媒体貯留部の前端よりも前方に突出しているものとしてもよい。
【０４５３】
このような遊技機によれば、遊技機枠の上部装飾部が遊技媒体貯留部の前端よりも前方に突出しているため、遊技機枠の形状面におけるインパクトを強めることが可能である。しかしながら前方に突出する上部装飾部により、当該遊技機の上方に設置されているデータ表示器の呼び出しボタン等を操作し難くなる。そこで遊技者は、当該遊技機に設けられている操作手段に対する操作により、簡易な方法でホールの従業員を呼び寄せることが可能である。
【０４５４】
また、他の手段２２の遊技機は、他の手段２０に記載の遊技機において、
前記操作手段が設けられている遊技機枠と、前記遊技機枠に設けられている可動部材と、前記可動部材を所定の待機位置（ 収納位置） 又は動作位置（ 突出位置） に移動させることが可能な可動部材制御手段と、を備え、
前記動作位置は、前記可動部材の少なくとも一部が前記遊技機枠の上縁よりも上方にある位置であるものとしてもよい。
【０４５５】
このような遊技機によれば、可動部材が動作位置にあるときには、遊技機枠の上縁よりも上方にあるため、演出効果を高めることが可能である。しかしながらこのときには、当該遊技機の上方に設置されているデータ表示器の視認性及び操作性が悪化する。そこで遊技者は、可動部材が遊技機枠の上縁よりも上方にあっても、操作手段に対する操作により、簡易な方法でホールの従業員を呼び寄せることが可能である。
【０４５６】
また、他の手段２３の遊技機は、他の手段２０乃至手段２２の何れかの遊技機において、
操作可能な設定操作手段と、前記設定操作手段を操作する設定操作に基づいて、前記演出制御手段が前記機能説明表示を実行し得る説明可能設定と、前記演出制御手段が前記機能説明表示を実行しない説明不能設定とのいずれかに設定可能な説明設定手段と、を備えているものとしてもよい。
【０４５７】
このような遊技機によれば、例えば、ホールの従業員の意向に応じて、機能説明表示の実行の有無を任意に選択することが可能である。そのため、例えば不具合が比較的生じ易い遊技機に対しては、機能説明表示が実行され得る説明可能設定にしたり、操作手段に対する悪戯が多い遊技機に対しては、機能説明表示が実行されない説明不能設定にすることが可能である。
【０４５８】
また、他の手段２４の遊技機は、
遊技の結果に影響を及ぼす制御処理を実行可能な制御手段（主制御部、払出制御部）と、
前記制御手段を実装する主基板（主制御基板、払出制御基板）と、を備え、
所定の制御条件の成立に基づいて遊技者に有利な特別遊技状態に制御する遊技機において、
所定の第１信号を前記主基板に出力可能な第１信号出力手段と、
所定の第２信号を前記主基板に出力可能な第２信号出力手段と、
入力した信号に基づいて当該遊技機の外部に所定の信号を出力可能な外部端子板と、を備え、
前記主基板に入力される第１信号は、前記制御手段により制御処理されて、当該制御処理に基づく制御処理信号（図柄確定信号等の外端出力信号、賞球表示の増加を示す外端出力信号）が、前記主基板から前記外部端子板に出力される一方、前記主基板に入力される第２信号（呼出センサによる検知信号）は、前記制御手段の制御処理に用いられることなく、前記外部端子板に出力されることを特徴とするものとしてもよい。
【０４５９】
既存の遊技機のように、第１信号出力手段（例えば、始動口センサ）から出力された第１信号は、主基板の制御手段で制御処理される。この制御処理により、制御処理信号（例えば、特別図柄の確定表示を示す外端出力信号） が、主基板から外部端子板に出力される。そして外部端子板が、制御処理信号に基づく信号（ 例えば図柄確定信号） を外部装置に出力する。ところでこの構成の遊技機によれば、第２信号出力手段から出力された第２ 信号については、主基板の制御手段の制御処理に用いられることなく、外部端子板に出力される。そして外部端子板が、第２信号の入力に基づく信号を外部装置に出力することが可能である。このようにして、第２信号に係る新たな情報を主基板を介して外部端子板（ 外部装置） に送る場合に、主基板の制御手段による制御処理の負担が増加するのを回避することが可能である。
【０４６０】
また、他の手段２５の遊技機は、他の手段２４の遊技機において、
遊技者による操作が可能な操作手段を備え、
前記第２信号出力手段は、前記操作手段を操作する呼出操作に基づいて前記第２信号を出力するものであり、
前記外部端子板は、前記第２信号の入力に基づいて前記呼出操作が行われたことを示す呼出信号を当該遊技機の外部に出力可能なものとしてもよい。
【０４６１】
このような遊技機によれば、操作手段に対して呼出操作を行うと、外部端子板が外部装置に呼出信号を出力する。これにより、ホールの従業員を呼び寄せることが可能である。つまり、当該遊技機に異常が生じた場合に、遊技者が席を立ってデータ表示器の呼び出しボタンを操作したり、ホールの従業員を呼びに行く必要がないため、快適に遊技させることが可能である。
【０４６２】
また、他の手段２６の遊技機は、他の手段２５の遊技機において、
前記制御手段は、前記制御処理として遊技の進行を制御する遊技制御処理（主制御処理）を実行可能な遊技制御手段（主制御部）であり、
前記主基板は、前記遊技制御手段を実装する主制御基板であるものとしてもよい。
【０４６３】
このような遊技機によれば、操作手段の操作に基づく呼出信号を外部装置に送る場合に、主制御基板の遊技制御手段の負担を増加させることなく実現することが可能である。つまり、既存の遊技制御手段の遊技制御処理を変更することなく、外部装置に呼出信号を出力する遊技機を構成することが可能である。
【０４６４】
また、他の手段２７の遊技機は、他の手段２６の遊技機において、
前記操作手段が設けられている遊技機枠を備え、
前記遊技機枠は、
当該遊技機枠の内部に設けられている所定の領域を視認可能な窓部と、前記窓部の下方側に位置し、遊技媒体を貯留可能な遊技媒体貯留部と、前記窓部の上方側に位置し、当該遊技機枠の上部を装飾する上部装飾部と、を備え、
前記上部装飾部は、前記遊技媒体貯留部の前端よりも前方に突出しているものとしてもよい。
【０４６５】
このような遊技機によれば、遊技機枠の上部装飾部が遊技媒体貯留部の前端よりも前方に突出しているため、遊技機枠の形状面におけるインパクトを強めることが可能である。しかしながら前方に突出する上部装飾部により、当該遊技機の上方に設置されているデータ表示器の呼び出しボタン等を操作し難くなる。そこで遊技者は、当該遊技機に設けられている操作手段に対する操作により、簡易な方法でホールの従業員を呼び寄せることが可能である。
【０４６６】
また、他の手段２８の遊技機は、他の手段２７の遊技機において、
前記遊技機枠に設けられている可動部材と、
前記可動部材を所定の待機位置又は動作位置に移動させることが可能な可動部材制御手段と、を備え、
前記動作位置は、前記可動部材の少なくとも一部が前記遊技機枠の上縁よりも上方にある位置であるものとしてもよい。
【０４６７】
このような遊技機によれば、可動部材が動作位置にあるときには、遊技機枠の上縁よりも上方にあるため、演出効果を高めることが可能である。しかしながらこのときには、当該遊技機の上方に設置されているデータ表示器の視認性及び操作性が悪化する。そこで遊技者は、可動部材が遊技機枠の上縁よりも上方にあっても、操作手段に対する操作により、簡易な方法でホールの従業員を呼び寄せることが可能である。
【０４６８】
また、他の手段２９の遊技機は、他の手段２８の遊技機において、
前記動作位置は、前記可動部材の少なくとも一部が前記上部装飾部の前端よりも前方にある位置であるものとしてもよい。
【０４６９】
このような遊技機によれば、可動部材が動作位置にあるときには、遊技機枠の上縁よりも上方にあるだけでなく、上側装飾部の前端よりも前方に飛び出ているようになる。従って、データ表示器に対して一層手が届き難くなるものの、操作手段に対する操作により、簡易な方法でホールの従業員を呼び寄せることが可能である。
【０４７０】
また、他の手段３０の遊技機は、
遊技媒体の払い出しに係る制御処理を実行可能な払出制御手段（払出制御部）と、
前記払出制御手段を実装する払出制御基板と、を備え、
所定の制御条件の成立に基づいて遊技者に有利な特別遊技状態に制御する遊技機において、
所定の第１信号を前記払出制御基板に出力可能な第１信号出力手段と、
所定の第２信号を前記払出制御基板に出力可能な第２信号出力手段と、
入力した信号に基づいて当該遊技機の外部に所定の信号を出力可能な外部端子板と、を備え、
前記払出制御基板に入力される第１信号は、前記払出制御手段により制御処理されて、
当該制御処理に基づく第１制御処理信号が、前記払出制御基板から前記外部端子板に出力される一方、前記払出制御基板に入力される第２信号は、前記払出制御手段の制御処理に用いられることなく、前記外部端子板に出力されるものとしてもよい。
【０４７１】
また、既存の遊技機のように、第１信号出力手段（賞球排出を検知する検知センサ）から出力された第１信号は、払出制御基板の払出制御手段で制御処理される。この制御処理により、第１制御処理信号（例えば、賞球表示の増加を示す外端出力信号）が、払出制御基板から外部端子板に出力される。そして外部端子板が、第１ 制御処理信号に基づく信号（例えば、賞球情報信号）を外部装置（データ表示器やホールコンピュータ等）に出力する。ところでこの構成の遊技機によれば、第２信号出力手段から出力された第２信号については、払出制御基板の払出制御手段の制御処理に用いられることなく、外部端子板に出力される。そして外部端子板が、第２信号の入力に基づく信号を外部装置に出力することが可能である。このようにして、第２信号に係る新たな情報を払出制御基板を介して外部端子板（ 外部装置） に送る場合に、払出制御手段による制御処理の負担が増加するのを回避することが可能である。
【０４７２】
また、他の手段３１の遊技機は、他の手段３０の遊技機において、
遊技者による操作が可能な操作手段を備え、
前記第２信号出力手段は、前記操作手段を操作する呼出操作に基づいて前記第２信号を出力するものであり、前記外部端子板は、前記第２信号の入力に基づいて前記呼出操作が行われたことを示す呼出信号を当該遊技機の外部に出力可能なものであるものとしてもよい。
【０４７３】
このような遊技機によれば、操作手段に対して呼出操作を行うと、外部端子板が外部装置に呼出信号を出力する。これにより、ホールの従業員を呼び寄せることが可能である。つまり、当該遊技機に異常が生じた場合に、遊技者が席を立ってデータ表示器の呼出ボタンを操作したり、ホールの従業員を呼びに行ったりする必要がないため、快適に遊技させることが可能である。
【０４７４】
また、他の手段３２の遊技機は、他の手段３１の遊技機において、
前記操作手段が設けられている遊技機枠を備え、
前記遊技機枠は、当該遊技機枠の内部に設けられている所定の領域を視認可能な窓部と、前記窓部の下方側に位置し、遊技媒体を貯留可能な遊技媒体貯留部と、前記窓部の上方側に位置し、当該遊技機枠の上部を装飾する上部装飾部と、を備え、
前記上部装飾部は、前記遊技媒体貯留部の前端よりも前方に突出しているものとしてもよい。
【０４７５】
このような遊技機によれば、遊技機枠の上部装飾部が遊技媒体貯留部の前端よりも前方に突出しているため、遊技機枠の形状面におけるインパクトを強めることが可能である。しかしながら前方に突出する上部装飾部により、当該遊技機の上方に設置されているデータ表示器の呼び出しボタン等を操作し難くなる。そこで遊技者は、当該遊技機に設けられている操作手段に対する操作により、簡易な方法でホールの従業員を呼び寄せることが可能である。
【０４７６】
また、他の手段３３の遊技機は、他の手段３２の遊技機において、
前記上部装飾部に設けられている可動部材（可動部）と、
前記可動部材を所定の待機位置又は動作位置に移動させることが可能な可動部材制御手段と、を備え、
前記動作位置は、前記可動部材の少なくとも一部が前記遊技機枠の上縁よりも上方にある位置であるものとしてもよい。
【０４７７】
このような遊技機によれば、可動部材が動作位置にあるときには、遊技機枠の上縁よりも上方にあるため、演出効果を高めることが可能である。しかしながらこのときには、当該遊技機の上方に設置されているデータ表示器の視認性及び操作性が悪化する。そこで遊技者は、可動部材が遊技機枠の上縁よりも上方にあっても、操作手段に対する操作により、簡易な方法でホールの従業員を呼び寄せることが可能である。
【０４７８】
また、他の手段３４の遊技機は、他の手段３３の遊技機において、
前記動作位置は、前記可動部材の少なくとも一部が前記上部装飾部の前端よりも前方にある位置であるものとしてもよい。
【０４７９】
このような遊技機によれば、可動部材が動作位置にあるときには、遊技機枠の上縁より上方にあるだけでなく、上側装飾部の前端よりも前方に飛び出ているようになる。従って、データ表示器に対して一層手が届き難くなるものの、操作手段に対する操作により、簡易な方法でホールの従業員を呼び寄せることが可能である。
【０４８０】
本参考発明２の遊技機によれば、主基板の制御手段による制御処理の負担が増加するのを回避することが可能となる。
【０４８１】
尚、前述した参考発明１又は／及び２の何れか１又は複数を組合せてもよい。
【符号の説明】
【０４８２】
１  パチンコ遊技機、７ｂ  演出図柄表示領域（演出図柄表示部）、８  演出図柄、２０  第１始動口、２１  第２始動口、３０  第１大入賞口、３５  第２大入賞口、３９  特定領域、４１ａ  第１特別図柄表示器（第１特別図柄表示部）、４１ｂ  第２特別図柄表示器（第２特別図柄表示部）、８０  主制御基板（主制御部）、９０  サブ制御基板（サブ制御部）、１００  画像制御基板（画像制御部）、１０３ａ  演出第１特図保留表示器、１０３ｂ  演出第２特図保留表示器。
【図１】
2020058954.tif 000003
【図２】
2020058954.tif 000004
【図３】
2020058954.tif 000005
【図４】
2020058954.tif 000006
【図５】
2020058954.tif 000007
【図６】
2020058954.tif 000008
【図７】
2020058954.tif 000009
【図８】
2020058954.tif 000010
【図９】
2020058954.tif 000011
【図１０】
2020058954.tif 000012
【図１１】
2020058954.tif 000013
【図１２】
2020058954.tif 000014
【図１３】
2020058954.tif 000015
【図１４】
2020058954.tif 000016
【図１５】
2020058954.tif 000017
【図１６】
2020058954.tif 000018
【図１７】
2020058954.tif 000019
【図１８】
2020058954.tif 000020
【図１９】
2020058954.tif 000021
【図２０】
2020058954.tif 000022
【図２１】
2020058954.tif 000023
【図２２】
2020058954.tif 000024
【図２３】
2020058954.tif 000025
【図２４】
2020058954.tif 000026
【図２５】
2020058954.tif 000027
【図２６】
2020058954.tif 000028
【図２７】
2020058954.tif 000029
【図２８】
2020058954.tif 000030
【図２９】
2020058954.tif 000031
【図３０】
2020058954.tif 000032
【図３１】
2020058954.tif 000033
【図３２】
2020058954.tif 000034
【図３３】
2020058954.tif 000035
【図３４】
2020058954.tif 000036
【図３５】
2020058954.tif 000037
【図３６】
2020058954.tif 000038
【図３７】
2020058954.tif 000039
【図３８】
2020058954.tif 000040
【図３９】
2020058954.tif 000041
【図４０】
2020058954.tif 000042
【図４１】
2020058954.tif 000043
【図４２】
2020058954.tif 000044
【図４３】
2020058954.tif 000045
【図４４】
2020058954.tif 000046
【図４５】
2020058954.tif 000047
【図４６】
2020058954.tif 000048
【図４７】
2020058954.tif 000049
【図４８】
2020058954.tif 000050
【図４９】
2020058954.tif 000051
【図５０】
2020058954.tif 000052
【図５１】
2020058954.tif 000053
【図５２】
2020058954.tif 000054
【図５３】
2020058954.tif 000055
【図５４】
2020058954.tif 000056
【図５５】
2020058954.tif 000057
【図５６】
2020058954.tif 000058
【図５７】
2020058954.tif 000059
【図５８】
2020058954.tif 000060
【図５９】
2020058954.tif 000061
【図６０】
2020058954.tif 000062
【図６１】
2020058954.tif 000063
【図６２】
2020058954.tif 000064
【図６３】
2020058954.tif 000065
【図６４】
2020058954.tif 000066
【図６５】
2020058954.tif 000067
【図６６】
2020058954.tif 000068
【図６７】
2020058954.tif 000069